(57)【要約】【課題】複数回の変動表示に亘って表示される第１画像を用いた演出の演出効果を向上させることができる遊技機を提供すること。【解決手段】各々を識別可能な複数種類の識別情報の変動表示を行って表示結果を導出表示する変動表示手段４Ａ，４Ｂに予め定められた特定表示結果が導出表示されたときに、遊技者にとって有利な特定遊技状態に制御する遊技機１であって、遊技の進行に応じて実施される演出に関する各種画像を表示するための画像表示手段５と、所定条件の成立に基づいて、成立後の複数回の変動表示において画像表示手段５に１次画像を順次表示する１次画像表示手段と、１次画像表示手段によって表示された複数の１次画像を、特定表示結果となる可能性を示唆する複数の２次画像に変更する画像変更手段と、を備える。【選択図】図２５
2014140539.tif 000002
【特許請求の範囲】
【請求項１】
各々を識別可能な複数種類の識別情報の変動表示を行って表示結果を導出表示する変動表示手段に予め定められた特定表示結果が導出表示されたときに、遊技者にとって有利な特定遊技状態に制御する遊技機であって、
遊技の進行に応じて実施される演出に関する各種画像を表示するための画像表示手段と、
所定条件の成立に基づいて、該成立後の複数回の変動表示において前記画像表示手段に１次画像を順次表示する１次画像表示手段と、
前記１次画像表示手段によって表示された複数の１次画像を、前記特定表示結果となる可能性を示唆する複数の２次画像に変更する画像変更手段と、
を備える
ことを特徴とする遊技機。
【請求項２】
各々を識別可能な複数種類の識別情報の変動表示を行って表示結果を導出表示する変動表示手段に予め定められた特定表示結果が導出表示されたときに、遊技者にとって有利な特定遊技状態に制御する遊技機であって、
遊技の進行に応じて実施される演出に関する各種画像を表示するための画像表示手段と、
所定条件の成立に基づいて、該成立後の複数回の変動表示において前記画像表示手段に１次画像を順次表示する１次画像表示手段と、
前記１次画像表示手段によって表示された複数の１次画像を、遊技者にとって有利な価値であって前記特定遊技状態とは異なる有利価値が付与される可能性を示唆する複数の２次画像に変更する画像変更手段と、
を備える
ことを特徴とする遊技機。
【発明の詳細な説明】
【技術分野】
【０００１】
本発明は、各々を識別可能な複数種類の識別情報の変動表示を行って表示結果を導出表示する変動表示手段に予め定められた特定表示結果が導出表示されたときに、遊技者にとって有利な特定遊技状態に制御する遊技機に関する。
【背景技術】
【０００２】
従来、所定回数の変動表示の実行や所定数の遊技球が入賞口に入賞したことに基づいて、複数回の変動表示に亘って演出表示装置の表示画面にアイテムの画像を表示し、リーチ演出中において表示画面に表示されているアイテムを使用することで、該使用するアイテムに応じた演出を実行する遊技機がある（例えば、特許文献１参照）。
【先行技術文献】
【特許文献】
【０００３】
【特許文献１】特開２００６−５５３４１号公報
【発明の概要】
【発明が解決しようとする課題】
【０００４】
しかしながら、特許文献１に記載の遊技機にあっては、演出効果を向上させることができないという問題がある。
【０００５】
本発明は、このような問題点に着目してなされたもので、演出効果を向上させることができる遊技機を提供することを目的とする。
【課題を解決するための手段】
【０００６】
前記課題を解決するために、本発明の請求項１に記載の遊技機は、
各々を識別可能な複数種類の識別情報（例えば、特別図柄や演出図柄）の変動表示を行って表示結果を導出表示する変動表示手段（例えば、第１特別図柄表示装置４Ａ、第２特別図柄表示装置４Ｂ、演出表示装置５）に予め定められた特定表示結果（例えば、大当り図柄）が導出表示されたときに、遊技者にとって有利な特定遊技状態（例えば、大当り遊技）に制御する遊技機（パチンコ遊技機１）であって、
遊技の進行に応じて実施される演出に関する各種画像を表示するための画像表示手段（例えば、演出表示装置５）と、
所定条件の成立（例えば、スーパーリーチの変動カテゴリであること）に基づいて、該成立後の複数回の変動表示において前記画像表示手段に１次画像（例えば、プレゼントボックス）を順次表示する１次画像表示手段（例えば、演出制御用ＣＰＵ１２０が先読み予告演出決定処理においてステップＳ７３５〜ステップＳ７３７の処理を実行する部分）と、
前記１次画像表示手段によって表示された複数（例えば、３個）の１次画像を、前記特定表示結果となる可能性を示唆する複数の２次画像（例えば、キャラクタＡ、キャラクタＢを示す画像）に変更する画像変更手段（例えば、演出制御用ＣＰＵ１２０が変動表示中演出処理においてステップＳ５４３ｆの処理を実行する部分）と、
を備える
ことを特徴としている。
この特徴によれば、１次画像が変化した２次画像により特定表示結果となる可能性が示唆されるので、２次画像への変化に遊技者を注目させることができるので、遊技機の興趣を向上できる。
【０００７】
本発明の請求項２に記載の遊技機は、
各々を識別可能な複数種類の識別情報（例えば、特別図柄や演出図柄）の変動表示を行って表示結果を導出表示する変動表示手段（例えば、第１特別図柄表示装置４Ａ、第２特別図柄表示装置４Ｂ、演出表示装置５）に予め定められた特定表示結果（例えば、大当り図柄）が導出表示されたときに、遊技者にとって有利な特定遊技状態（例えば、大当り遊技）に制御する遊技機（パチンコ遊技機１）であって、
遊技の進行に応じて実施される演出に関する各種画像を表示するための画像表示手段（例えば、演出表示装置５）と、
所定条件の成立（例えば、スーパーリーチの変動カテゴリであること）に基づいて、該成立後の複数回の変動表示において前記画像表示手段に１次画像（例えば、プレゼントボックス）を順次表示する１次画像表示手段（例えば、演出制御用ＣＰＵ１２０が先読み予告演出決定処理においてステップＳ７３５〜ステップＳ７３７の処理を実行する部分）と、
前記１次画像表示手段によって表示された複数（例えば、３個）の１次画像を、遊技者にとって有利な価値であって前記特定遊技状態とは異なる有利価値（例えば、パチンコ遊技機１における演出態様を変更するために必要なポイント）が付与される可能性を示唆する複数の２次画像（例えば、１００ｐｔ、２００ｐｔを示す画像）に変更する画像変更手段（例えば、演出制御用ＣＰＵ１２０が変動表示中演出処理においてステップＳ５４３ｆの処理を実行する部分）と、
を備える
ことを特徴としている。
この特徴によれば、１次画像が変化した２次画像により有利価値が付与される可能性が示唆されるので、２次画像への変化に遊技者を注目させることができるので、遊技機の興趣を向上できる。
【０００８】
本発明の手段１に記載の遊技機は、請求項１または請求項２に記載の遊技機であって、
遊技領域に設けられた始動領域（例えば、第１始動入賞口、第２始動入賞口）を遊技媒体（例えば、遊技球）が通過したことに基づいて前記変動表示手段において変動表示を行う遊技機（パチンコ遊技機１）であって、
前記始動領域を遊技媒体が通過したにもかかわらず未だ開始されていない変動表示について、前記特定表示結果とするか否を決定するための情報を所定の上限記憶数（例えば、４個）の範囲内で保留記憶として記憶可能な保留記憶手段（例えば、第１特図保留記憶部１５１Ａ、第２特図保留記憶部１５１Ｂ）と、
前記保留記憶手段に記憶される保留記憶に基づく変動表示の表示結果として前記特定表示結果とすると決定されるか否かを、該保留記憶に基づく変動表示が開始される前に判定する開始前判定手段（例えば、ＣＰＵ１０３が入賞時乱数値判定処理においてステップＳ４１２の処理を実行する部分）と、
を備え、
前記１次画像表示手段は、前記所定条件として前記開始前判定手段の判定結果に関する条件の成立（例えば、スーパーリーチの変動カテゴリであること）に基づいて、該条件が成立した判定結果に対応する保留記憶が記憶される前に前記保留記憶手段に記憶されている保留記憶（例えば、始動入賞時受信コマンドバッファにおいて、バッファ番号にプレゼントボックス表示フラグに「１」または「２」が対応付けてセットされており、且つターゲット変動フラグが対応付けてセットされていない第１特図保留記憶）による変動表示において前記１次画像を表示し（例えば、演出制御用ＣＰＵ１２０が先読み予告演出決定処理においてステップＳ７３６〜ステップＳ７３７の処理を実行する部分）、
前記画像変更手段は、前記条件が成立した判定結果に対応する保留記憶（例えば、始動入賞時受信コマンドバッファにおいて、ターゲット変動フラグが対応付けてセットされている第１特図保留記憶）に基づく変動表示において前記１次画像を前記２次画像に変更する（例えば、演出制御用ＣＰＵ１２０が変動表示中演出処理においてステップＳ５４３ｆの処理を実行する部分）、
ことを特徴としている。
この特徴によれば、開始前判定手段の判定結果が条件を満たした保留記憶に基づく変動表示（ターゲット変動）までの変動表示において順次１次画像が表示されていき、該変動表示（ターゲット変動）において１次画像が２次画像に変更されるので、１次画像の表示による遊技者の期待感を維持することができる。
【０００９】
本発明の手段２に記載の遊技機は、請求項１、請求項２、手段１のいずれかに記載の遊技機であって、
遊技者が操作可能な操作手段（例えば、プッシュボタン３１Ｂ）を備え、
前記画像変更手段は、遊技者が前記操作手段を操作する毎に前記１次画像を２次画像に変更する（例えば、演出制御用ＣＰＵ１２０が変動表示中演出処理においてステップＳ５４３ｄ〜ステップＳ５４３ｇの処理を実行することで、遊技者がプッシュボタン３１Ｂを押下操作する毎に表示画面に表示されているプレゼントボックスの表示を、１個ずつプレゼントボックス表示変更態様記憶テーブルに記憶されている表示変更態様に変更する部分）
ことを特徴としている。
この特徴によれば、遊技者が操作手段を操作する毎に１次画像が２次画像に変更されていくので、遊技者の操作意欲を維持するとともに、２次画像に変化していない１次画像への期待感を維持することができる。
【００１０】
本発明の手段３に記載の遊技機は、請求項１、請求項２、手段１、手段２のいずれかに記載の遊技機であって、
前記１次画像表示手段は、表示態様の異なる複数種類の前記１次画像（例えば、ボックスカラーが「白」のプレゼントボックスと、ボックスカラーが「赤」のプレゼントボックス）を表示可能であり、
前記画像変更手段は、前記可能性の度合いが異なる複数種類の前記２次画像（例えば、ポイントの獲得を示す「１００ｐｔ」や「２００ｐｔ」の画像と、大当たり期待度を示す「キャラクタＡ」や「キャラクタＢ」の画像）に変更可能であって、可能性の度合いが高い２次画像に変更する割合が前記１次画像の種類によって異なる（例えば、演出制御用ＣＰＵ１２０が変形例１における先読み予告演出決定処理においてステップＳ７５２の処理を実行してプレゼントボックスのボックスカラーを「赤」に決定した後、ステップＳ７５５の処理を実行することでプレゼントボックスの変動表示態様を「キャラクタＢ」に決定する割合は、演出制御用ＣＰＵ１２０が変形例１における先読み予告演出決定処理においてステップＳ７５２の処理を実行してプレゼントボックスのボックスカラーを「白」に決定した後、ステップＳ７５４の処理を実行することでプレゼントボックスの変動表示態様を「キャラクタＢ」に決定する割合よりも高く設定されている）
ことを特徴としている。
この特徴によれば、１次画像の態様により、遊技者に１次画像が可能性の度合いが高い２次画像に変化する期待感を煽ることで興趣を向上させることができる。
尚、本発明の請求項１と請求項２においては、その表示順位から同一の名称である２次画像として表記しているが、これら請求項１における２次画像と請求項２における２次画像とは異なる画像であって、例えば、請求項１における２次画像は特定表示結果となる可能性を示唆する特定画像であり、請求項２における２次画像は有利価値が付与される可能性を示唆する特別画像である。
【図面の簡単な説明】
【００１１】
【図１】パチンコ遊技機を正面からみた正面図である。
【図２】遊技制御基板（主基板）の回路構成例を示すブロック図である。
【図３】演出制御コマンドの内容の一例などを示す説明図である。
【図４】各乱数を示す説明図である。
【図５】変動パターンを例示する図である。
【図６】変動パターン種別を例示する図である。
【図７】大当り判定テーブルを示す説明図である。
【図８】大当り種別決定テーブルの構成例を示す図である。
【図９】大当り変動パターン種別決定テーブル及び小当り変動パターン種別決定テーブルの構成例を示す図である。
【図１０】はずれ変動パターン種別決定テーブルを示す説明図である。
【図１１】変動パターン決定テーブルを示す説明図である。
【図１２】遊技制御用データ保持エリアの構成例を示すブロック図である。
【図１３】演出制御用データ保持エリアの構成例を示すブロック図などである。
【図１４】遊技制御用タイマ割込み処理の一例を示すフローチャートである。
【図１５】特別図柄プロセス処理の一例を示すフローチャートである。
【図１６】始動入賞判定処理の一例を示すフローチャートである。
【図１７】入賞時乱数値判定処理の一例を示すフローチャートである。
【図１８】特別図柄通常処理の一例を示すフローチャートである。
【図１９】変動パターン設定処理の一例を示すフローチャートである。
【図２０】演出制御メイン処理の一例を示すフローチャートである。
【図２１】コマンド解析処理の一例を示すフローチャートである。
【図２２】演出制御プロセス処理の一例を示すフローチャートである。
【図２３】先読み予告演出決定処理の一例を示すフローチャートである。
【図２４】先読み予告演出決定処理の一例を示すフローチャートである。
【図２５】変動表示開始設定処理の一例を示すフローチャートである。
【図２６】保留表示予告演出を決定する割合の設定例を示す図である。
【図２７】プレゼントボックス表示予告演出の実行を決定する割合の設定例を示す図である。
【図２８】プレゼントボックス表示予告演出の表示変更態様を決定する割合の設定例を示す図である。
【図２９】プレゼントボックス表示変更態様記憶テーブルを示す図である。
【図３０】獲得ポイント数記憶テーブルを示す図である。
【図３１】変動表示中予告演出処理の一例を示すフローチャートである。
【図３２】演出表示変更処理における表示態様を示す図である。
【図３３】プレゼントボックス表示予告演出の実行態様を示す図である。
【図３４】変形例１における先読み予告演出決定処理の一例を示すフローチャートの一部である。
【図３５】変形例１におけるプレゼントボックスのボックスカラーを決定する割合の設定例を示す図である。
【図３６】変形例１におけるプレゼントボックス表示予告演出の表示変更態様を決定する割合の設定例を示す図である。
【図３７】変形例２におけるプレゼントボックス表示予告演出の実行を決定する割合の設定例を示す図である。
【発明を実施するための形態】
【００１２】
本発明に係る遊技機を実施するための形態を実施例に基づいて以下に説明する。
【実施例】
【００１３】
以下、図面を参照しつつ、本発明の一実施例を詳細に説明する。図１は、本実施例におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００１４】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報（特別識別情報）である特別図柄（「特図」ともいう）が、変動可能に表示（変動表示）される。例えば、第１特別図柄表示装置４Ａと第２特別図柄表示装置４Ｂはそれぞれ、「０」〜「９」を示す数字や「−」を示す記号等から構成される複数種類の特別図柄を変動表示（可変表示ともいう）する。なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。
【００１５】
複数種類の特別図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。以下では、第１特別図柄表示装置４Ａにおいて変動表示される特別図柄を「第１特図」ともいい、第２特別図柄表示装置４Ｂにおいて変動表示される特別図柄を「第２特図」ともいう。
【００１６】
第１特別図柄表示装置４Ａと第２特別図柄表示装置４Ｂはともに、例えば方形状に形成されている。なお、第１特図の種類と第２特図の種類は同じ（例えば、ともに「０」〜「９」を示す数字、及び、「−」を示す記号）であってもよいし、種類が異なっていてもよい。また、第１特別図柄表示装置４Ａと第２特別図柄表示装置４Ｂはそれぞれ、例えば「００」〜「９９」を示す数字（あるいは２桁の記号）を変動表示するように構成されていてもよい。
【００１７】
遊技盤２における遊技領域の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示装置４Ａによる第１特図の変動表示や第２特別図柄表示装置４Ｂによる第２特図の変動表示のそれぞれに対応して、例えば３つといった複数の変動表示部となる演出図柄表示エリアにて、各々を識別可能な複数種類の識別情報（装飾識別情報）である演出図柄が変動表示される。この演出図柄の変動表示も、変動表示ゲームに含まれる。
【００１８】
一例として、演出表示装置５の表示領域には、「左」、「中」、「右」の演出図柄表示エリア５Ｌ、５Ｃ、５Ｒが配置されている。そして、特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各演出図柄表示エリア５Ｌ、５Ｃ、５Ｒにおいて演出図柄（飾り図柄ともいう）の変動（例えば上下方向のスクロール表示）が開始される。その後、特図ゲームにおける変動表示結果として確定特別図柄が停止表示されるときに、演出表示装置５における「左」、「中」、「右」の各演出図柄表示エリア５Ｌ、５Ｃ、５Ｒにて、演出図柄の変動表示結果となる確定演出図柄（最終停止図柄）が停止表示される。
【００１９】
このように、演出表示装置５の表示領域では、第１特別図柄表示装置４Ａにおける第１特図を用いた特図ゲーム、または、第２特別図柄表示装置４Ｂにおける第２特図を用いた特図ゲームと同期して、各々が識別可能な複数種類の演出図柄の変動表示を行い、変動表示結果となる確定演出図柄を導出表示（あるいは単に「導出」ともいう）する。なお、例えば特別図柄や演出図柄といった、各種の表示図柄を導出表示するとは、演出図柄等の識別情報を停止表示（完全停止表示や最終停止表示ともいう）して変動表示を終了させることである。これに対して、演出図柄の変動表示を開始してから変動表示結果となる確定演出図柄が導出表示されるまでの変動表示中には、演出図柄の変動速度が「０」となって、演出図柄が停留して表示され、例えば微少な揺れや伸縮などを生じさせる表示状態となることがある。このような表示状態は、仮停止表示ともいい、変動表示における表示結果が確定的に表示されていないものの、スクロール表示や更新表示による演出図柄の変動が進行していないことを遊技者が認識可能となる。なお、仮停止表示には、微少な揺れや伸縮なども生じさせず、所定時間（例えば１秒間）よりも短い時間だけ、演出図柄を完全停止表示することなどが含まれてもよい。
【００２０】
「左」、「中」、「右」の各演出図柄表示エリア５Ｌ、５Ｃ、５Ｒにて変動表示される演出図柄には、例えば８種類の図柄（英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。演出図柄のそれぞれには、対応する図柄番号が付されている。例えば、「１」〜「８」を示す英数字それぞれに対して、「１」〜「８」の図柄番号が付されている。なお、演出図柄は８種類に限定されず、大当り組合せやハズレとなる組合せなど適当な数の組合せを構成可能であれば、何種類であってもよい（例えば７種類や９種類など）。
【００２１】
演出図柄の変動表示が開始された後、変動表示結果となる確定演出図柄が導出表示されるまでには、「左」、「中」、「右」の各演出図柄表示エリア５Ｌ、５Ｃ、５Ｒにおいて、例えば図柄番号が小さいものから大きいものへと順次に上方から下方へと流れるようなスクロール表示が行われ、図柄番号が最大（例えば「８」）である演出図柄が表示されると、続いて図柄番号が最小（例えば「１」）である演出図柄が表示される。あるいは、演出図柄表示エリア５Ｌ、５Ｃ、５Ｒのうち少なくともいずれか１つ（例えば「左」の演出図柄表示エリア５Ｌなど）において、図柄番号が大きいものから小さいものへとスクロール表示を行って、図柄番号が最小である演出図柄が表示されると、続いて図柄番号が最大である演出図柄が表示されるようにしてもよい。
【００２２】
演出表示装置５の表示領域には、始動入賞記憶表示エリア５Ｈが配置されている。始動入賞記憶表示エリア５Ｈでは、特図ゲームに対応した変動表示の保留数（特図保留記憶数）を特定可能に表示する保留記憶表示が行われる。ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。本実施例では、第１始動入賞口を遊技球が通過（進入）することによる始動入賞に基づいて発生した保留記憶表示を丸型の白色表示とし、第２始動入賞口を遊技球が通過（進入）することによる始動入賞に基づいて発生した保留記憶表示を同様に丸型の白色表示とする。始動入賞記憶表示エリア５Ｈにおける保留記憶表示は、第１始動入賞口を遊技球が通過（進入）することによる始動入賞に基づいて発生したものであるか、第２始動入賞口を遊技球が通過（進入）することによる始動入賞に基づいて発生したものであるかに応じて、その表示態様（例えば表示色や形状）を異ならせても良い。尚、本実施例においては、『実行』と『実施』とは同義である。
【００２３】
図１に示す例では、始動入賞記憶表示エリア５Ｈとともに、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１特図保留記憶数は、第１特図を用いた特図ゲームの実行が保留されている記憶数である。第２特図保留記憶数は、第２特図を用いた特図ゲームの実行が保留されている記憶数である。第１特図保留記憶数と第２特図保留記憶数とを加算した変動表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００２４】
演出表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動領域（第２始動領域）第２始動入賞口を形成する。
【００２５】
一例として、普通可変入賞球装置６Ｂでは、普通電動役物用のソレノイド８１がオフ状態であるときに可動翼片が垂直位置となることにより、遊技球が第２始動入賞口を通過（進入）しがたい通常開放状態となる。その一方で、普通可変入賞球装置６Ｂでは、普通電動役物用のソレノイド８１がオン状態であるときに可動翼片が傾動位置となる傾動制御により、遊技球が第２始動入賞口を通過（進入）しやすい拡大開放状態となる。なお、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。このように、第２始動領域としての第２始動入賞口は、遊技球が通過（進入）しやすい拡大開放状態と、遊技球が通過（進入）しにくいまたは通過（進入）できない通常開放状態とに変化する。
【００２６】
普通入賞球装置６Ａに形成された第１始動入賞口を通過（進入）した遊技球は、例えば図２に示す第１始動口スイッチ２２Ａによって検出される。普通可変入賞球装置６Ｂに形成された第２始動入賞口を通過（進入）した遊技球は、例えば図２に示す第２始動口スイッチ２２Ｂによって検出される。第１始動口スイッチ２２Ａによって遊技球が検出されたことに基づき、所定個数（例えば３個）の遊技球が賞球として払い出され、第１特図保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２特図保留記憶数が所定の上限値（例えば「４」）以下であれば、第２始動条件が成立する。なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００２７】
普通入賞球装置６Ａと普通可変入賞球装置６Ｂの下方には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００２８】
一例として、特別可変入賞球装置７では、大入賞口扉用のソレノイド８２がオフ状態であるときに大入賞口扉が大入賞口を閉鎖状態として、遊技球が大入賞口を通過（進入）できなくする。その一方で、特別可変入賞球装置７では、大入賞口扉用のソレノイド８２がオン状態であるときに大入賞口扉が大入賞口を開放状態として、遊技球が大入賞口を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。なお、遊技球が大入賞口を通過（進入）できない閉鎖状態に代えて、あるいは閉鎖状態の他に、遊技球が大入賞口を通過（進入）しにくい一部開放状態を設けてもよい。
【００２９】
大入賞口を通過（進入）した遊技球は、例えば図２に示すカウントスイッチ２３によって検出される。カウントスイッチ２３によって遊技球が検出されたことに基づき、所定個数（例えば１５個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３０】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（変動表示）する。このような普通図柄の変動表示は、普図ゲーム（「普通図ゲーム」ともいう）と称される。
【００３１】
普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３２】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００３３】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００３４】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００３５】
次に、パチンコ遊技機１における遊技の進行を概略的に説明する。
【００３６】
パチンコ遊技機１では、遊技領域に設けられた通過ゲート４１を通過した遊技球が図２に示すゲートスイッチ２１によって検出されたことといった、普通図柄表示器２０にて普通図柄の変動表示を実行するための普図始動条件が成立した後に、例えば前回の普図ゲームが終了したことといった、普通図柄の変動表示を開始するための普図開始条件が成立したことに基づいて、普通図柄表示器２０による普図ゲームが開始される。
【００３７】
この普図ゲームでは、普通図柄の変動を開始させた後、普図変動時間となる所定時間が経過すると、普通図柄の変動表示結果となる確定普通図柄を停止表示（導出表示）する。このとき、確定普通図柄として、例えば「７」を示す数字といった、特定の普通図柄（普図当り図柄）が停止表示されれば、普通図柄の変動表示結果が「普図当り」となる。その一方、確定普通図柄として、例えば「７」を示す数字以外の数字や記号といった、普図当り図柄以外の普通図柄が停止表示されれば、普通図柄の変動表示結果が「普図ハズレ」となる。普通図柄の変動表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。
【００３８】
普通入賞球装置６Ａに形成された第１始動入賞口を通過（進入）した遊技球が図２に示す第１始動口スイッチ２２Ａによって検出されたことなどにより第１始動条件が成立した後に、例えば前回の特図ゲームや大当り遊技状態が終了したことなどにより第１開始条件が成立したことに基づいて、第１特別図柄表示装置４Ａによる特図ゲームが開始される。また、普通可変入賞球装置６Ｂに形成された第２始動入賞口を通過（進入）した遊技球が図２に示す第２始動口スイッチ２２Ｂによって検出されたことなどにより第２始動条件が成立した後に、例えば前回の特図ゲームや大当り遊技状態が終了したことなどにより第２開始条件が成立したことに基づいて、第２特別図柄表示装置４Ｂによる特図ゲームが開始される。
【００３９】
第１特別図柄表示装置４Ａや第２特別図柄表示装置４Ｂによる特図ゲームでは、特別図柄の変動表示を開始させた後、特図変動時間としての変動表示時間が経過すると、特別図柄の変動表示結果となる確定特別図柄（特図表示結果）を導出表示する。このとき、確定特別図柄として特定の特別図柄（大当り図柄）が停止表示されれば、特定表示結果としての「大当り」となり、大当り図柄とは異なる所定の特別図柄（小当り図柄）が停止表示されれば、所定表示結果としての「小当り」となる。また、大当り図柄や小当り図柄とは異なる特別図柄が確定特別図柄として停止表示されれば「ハズレ」となる。
【００４０】
特図ゲームでの変動表示結果が「大当り」になった後には、遊技者にとって有利なラウンド（「ラウンド遊技」ともいう）を所定回数実行する特定遊技状態としての大当り遊技状態に制御される。特図ゲームでの変動表示結果が「小当り」になった後には、大当り遊技状態とは異なる特殊遊技状態としての小当り遊技状態に制御される。
【００４１】
本実施例におけるパチンコ遊技機１では、一例として、「３」、「５」、「７」の数字を示す特別図柄を大当り図柄とし、「２」の数字を示す特別図柄を小当り図柄とし、「−」の記号を示す特別図柄をハズレ図柄としている。なお、第１特別図柄表示装置４Ａによる特図ゲームにおける大当り図柄や小当り図柄、ハズレ図柄といった各図柄は、第２特別図柄表示装置４Ｂによる特図ゲームにおける各図柄とは異なる特別図柄となるようにしてもよいし、双方の特図ゲームにおいて共通の特別図柄が大当り図柄や小当り図柄、ハズレ図柄となるようにしてもよい。
【００４２】
特図ゲームにおける確定特別図柄として大当り図柄が停止表示されて特定表示結果としての「大当り」となった後、大当り遊技状態において、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１状態（開放状態）とするラウンドが実行される。
【００４３】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２状態（閉鎖状態）に変化させて、１回のラウンドを終了させる。大入賞口の開放サイクルであるラウンドは、その実行回数が所定の上限回数（例えば「１５」など）に達するまで、繰り返し実行可能となっている。なお、ラウンドの実行回数が上限回数に達する前であっても、所定条件の成立（例えば大入賞口に遊技球が入賞しなかったことなど）により、ラウンドの実行が終了するようにしてもよい。
【００４４】
大当り遊技状態におけるラウンドのうち、特別可変入賞球装置７を遊技者にとって有利な第１状態（開放状態）とする上限時間が比較的に長い時間（例えば２９秒など）となるラウンドは、通常開放ラウンドともいう。一方、特別可変入賞球装置７を第１状態（開放状態）とする上限時間が比較的に短い時間（例えば０．１秒など）となるラウンドは、短期開放ラウンドともいう。
【００４５】
大当り図柄となる「３」、「５」、「７」の数字を示す特別図柄のうち、「３」、「７」の数字を示す特別図柄は通常開放ラウンド大当り図柄となり、「５」の数字を示す特別図柄は短期開放ラウンド大当り図柄となる。特図ゲームにおける確定特別図柄として通常開放ラウンド大当り図柄が導出された後に制御される通常開放ラウンド特定遊技状態としての大当り遊技状態（通常開放大当り状態）では、特別可変入賞球装置７の大入賞口扉が、第１期間となる所定の上限時間（例えば２９秒間）が経過するまでの期間、あるいは所定個数（例えば９個）の入賞球が発生するまでの期間にて大入賞口を開放状態とすることにより、特別可変入賞球装置７を遊技者にとって有利な第１状態（開放状態）に変化させるラウンドが実行される。なお、通常開放大当り状態は、第１特定遊技状態ともいう。
【００４６】
特図ゲームにおける確定特別図柄として短期開放ラウンド大当り図柄が導出された後に制御される短期開放ラウンド特定遊技状態としての大当り遊技状態（短期開放大当り状態）では、各ラウンドで特別可変入賞球装置７を遊技者にとって有利な第１状態に変化させる上限時間（大入賞口扉により大入賞口を開放状態とする期間の上限）が、通常開放大当り状態における第１期間よりも短い第２期間（例えば０．１秒間）となる。なお、短期開放大当り状態では、大入賞口の開放期間が第２期間となるように制御されればよく、それ以外の制御は通常開放大当り状態と同様に行われるようにしてもよい。あるいは、短期開放大当り状態では、ラウンドの実行回数が、通常開放大当り状態における第１ラウンド数（例えば「１５」）よりも少ない第２ラウンド数（例えば「２」）となるようにしてもよい。
【００４７】
このような短期開放大当り状態では、大入賞口に遊技球が入賞すれば所定個数（例えば１５個）の出玉（賞球）が得られる。しかし、大入賞口の開放期間は第２期間（０．１秒間など）であって、非常に短い。そのため、短期開放大当り状態は実質的には出玉（賞球）が得られない大当り遊技状態である。なお、短期開放大当り状態は、第２特定遊技状態ともいう。
【００４８】
また、短期開放ラウンド特定遊技状態としての大当り遊技状態は、通常開放ラウンド特定遊技状態としての大当り遊技状態に比べて、大入賞口の開放期間が短いものに限定されず、例えば大入賞口の開放期間（上限時間）は短期開放ラウンド特定遊技状態と通常開放ラウンド特定遊技状態とで同一である一方で、短期開放ラウンド特定遊技状態では大入賞口を開放状態とする上限回数（例えば２回）が通常開放ラウンド特定遊技状態での上限回数（例えば１５回）に比べて少なくなるものであってもよい。すなわち、短期開放ラウンド特定遊技状態としての大当り遊技状態は、各ラウンドで大入賞口を遊技球が通過（進入）しやすい第１状態に変化させる期間が通常開放ラウンド特定遊技状態における第１期間よりも短い第２期間となることと、ラウンドの実行回数が通常開放ラウンド特定遊技状態における第１ラウンド数よりも少ない第２ラウンド数となることのうち、少なくともいずれか一方となるものであればよい。
【００４９】
小当り図柄となる「２」の数字を示す特別図柄が特図ゲームにおける確定特別図柄として導出された後には、特殊遊技状態としての小当り遊技状態に制御される。この小当り遊技状態では、短期開放大当り状態と同様に特別可変入賞球装置７において大入賞口を遊技者にとって有利な第１状態（開放状態）に変化させる可変入賞動作が行われる。すなわち、小当り遊技状態では、例えば特別可変入賞球装置７を第２期間にわたり第１状態（開放状態）とする動作が繰り返し実行される。
【００５０】
演出表示装置５に設けられた「左」、「中」、「右」の演出図柄表示エリア５Ｌ、５Ｃ、５Ｒでは、第１特別図柄表示装置４Ａにおける第１特図を用いた特図ゲームと、第２特別図柄表示装置４Ｂにおける第２特図を用いた特図ゲームとのうち、いずれかの特図ゲームが開始されることに対応して、演出図柄の変動表示が開始される。そして、演出図柄の変動表示が開始されてから「左」、「中」、「右」の各演出図柄表示エリア５Ｌ、５Ｃ、５Ｒにおける確定演出図柄の停止表示により変動表示が終了するまでの期間では、演出図柄の変動表示状態が所定のリーチ状態となることがある。
【００５１】
ここで、リーチ状態とは、演出表示装置５の表示領域にて停止表示された演出図柄が大当り組合せの一部を構成しているときに未だ停止表示されていない演出図柄（「リーチ変動図柄」ともいう）については変動が継続している表示状態、あるいは、全部又は一部の演出図柄が大当り組合せの全部又は一部を構成しながら同期して変動している表示状態のことである。具体的には、「左」、「中」、「右」の演出図柄表示エリア５Ｌ、５Ｃ、５Ｒにおける一部（例えば「左」及び「右」の演出図柄表示エリア５Ｌ、５Ｒなど）では予め定められた大当り組合せを構成する演出図柄（例えば「７」の英数字を示す演出図柄）が停止表示されているときに未だ停止表示していない残りの演出図柄表示エリア（例えば「中」の演出図柄表示エリア５Ｃなど）では演出図柄が変動している表示状態、あるいは、「左」、「中」、「右」の演出図柄表示エリア５Ｌ、５Ｃ、５Ｒにおける全部又は一部で演出図柄が大当り組合せの全部又は一部を構成しながら同期して変動している表示状態である。
【００５２】
また、リーチ状態となったことに対応して、演出図柄の変動速度を低下させたり、演出表示装置５の表示領域に演出図柄とは異なるキャラクタ画像（人物等を模した演出画像）を表示させたり、背景画像の表示態様を変化させたり、演出図柄とは異なる動画像を再生表示させたり、演出図柄の変動態様を変化させたりすることで、リーチ状態となる以前とは異なる演出動作が実行される場合がある。このようなキャラクタ画像の表示や背景画像の表示態様の変化、動画像の再生表示、演出図柄の変動態様の変化といった演出動作を、リーチ演出表示（あるいは単にリーチ演出）という。なお、リーチ演出には、演出表示装置５における表示動作のみならず、スピーカ８Ｌ、８Ｒによる音声出力動作や、遊技効果ランプ９などの発光体における点灯動作（点滅動作）などを、リーチ状態となる以前の動作態様とは異なる動作態様とすることが、含まれていてもよい。
【００５３】
リーチ演出における演出動作としては、互いに動作態様（リーチ態様）が異なる複数種類の演出パターン（「リーチパターン」ともいう）が、予め用意されていればよい。そして、それぞれのリーチ態様では「大当り」となる可能性（「信頼度」あるいは「大当り信頼度」ともいう）が異なる。すなわち、複数種類のリーチ演出のいずれが実行されるかに応じて、変動表示結果が「大当り」となる可能性を異ならせることができる。
【００５４】
一例として、本実施例では、ノーマルリーチ、スーパーリーチα、スーパーリーチβといったリーチ態様が予め設定されている。そして、スーパーリーチαやスーパーリーチβといったスーパーリーチのリーチ態様が出現した場合には、ノーマルリーチのリーチ態様が出現した場合に比べて、変動表示結果が「大当り」となる可能性（大当り期待度）が高くなる。
【００５５】
演出図柄の変動表示中には、リーチ演出とは異なり、演出図柄の変動表示状態がリーチ状態となる可能性があることや、変動表示結果が「大当り」となる可能性があることなどを、演出図柄の変動表示態様などにより遊技者に報知するための変動表示演出が実行されることがあるようにしてもよい。「滑り」や「擬似連」といった変動表示演出が実行可能である。「滑り」や「擬似連」の変動表示演出は、主基板１１の側で変動パターンが決定されることなどに対応して実行するか否かが決定されればよい。なお、「滑り」の変動表示演出は、主基板１１の側で決定された変動パターンにかかわらず、演出制御基板１２の側で実行するか否かが決定されてもよい。
【００５６】
「滑り」の変動表示演出では、「左」、「中」、「右」の演出図柄表示エリア５Ｌ、５Ｃ、５Ｒにおける全部にて演出図柄を変動させてから、複数の演出図柄表示エリア（例えば「左」及び「右」の演出図柄表示エリア５Ｌ、５Ｒなど）にて演出図柄を仮停止表示させた後、その仮停止表示した演出図柄表示エリアのうち所定数（例えば「１」または「２」）の演出図柄表示エリア（例えば「左」の演出図柄表示エリア５Ｌと「右」の演出図柄表示エリア５Ｒのいずれか一方または双方）にて演出図柄を再び変動させた後に停止表示させることで、停止表示する演出図柄を変更させる演出表示が行われる。こうして、「滑り」の変動表示演出では、演出図柄の変動表示が開始されてから変動表示結果となる確定演出図柄が導出表示されるまでに複数の演出図柄を仮停止表示させた後、所定数の演出図柄について変動表示を再度実行することにより、演出図柄の変動表示状態がリーチ状態になるときと、リーチ状態とはならずに非リーチ組合せを構成する演出図柄が停止表示されるときとがある。
【００５７】
「擬似連」の変動表示演出では、特図ゲームの第１開始条件と第２開始条件のいずれか一方が１回成立したことに対応して、演出図柄の変動表示が開始されてから変動表示結果となる確定演出図柄が導出表示されるまでに、「左」、「中」、「右」の演出図柄表示エリア５Ｌ、５Ｃ、５Ｒにおける全部にて演出図柄を一旦仮停止表示させた後、全部の演出図柄表示エリア５Ｌ、５Ｃ、５Ｒにて演出図柄を再び変動（擬似連変動）させる演出表示を、所定回（例えば最大３回まで）行うことができる。擬似連変動の回数は、演出図柄の変動表示が開始されてから全部の演出図柄が最初に一旦仮停止するまでの初回変動を除く、「左」、「中」、「右」の演出図柄表示エリア５Ｌ、５Ｃ、５Ｒにおける全部にて演出図柄が再変動する回数である。
【００５８】
「擬似連」の変動表示演出では、「左」、「中」、「右」の演出図柄表示エリア５Ｌ、５Ｃ、５Ｒにて、例えば予め定められた複数種類の擬似連チャンス目のうちいずれかを構成する演出図柄が、所定表示結果として一旦は仮停止表示される。その後に、擬似連変動（再変動表示）が行われる。本実施例では、「擬似連」の変動表示演出において、擬似連変動（再変動）が１回〜２回行われることにより、第１開始条件あるいは第２開始条件が１回成立したことに基づき、演出図柄の変動表示があたかも２回〜３回続けて開始されたかのように見せることができる。なお、「擬似連」の変動表示演出における擬似連変動（再変動）の回数は、例えば３回や４回といった、１回〜２回よりも多くの回数まで実行できるようにしてもよい。
【００５９】
こうした演出図柄の変動表示動作を利用した変動表示演出としては、「滑り」や「擬似連」の他にも、例えば「発展チャンス目」や「発展チャンス目終了」、「チャンス目停止後滑り」といった、各種の演出動作が実行されてもよい。
【００６０】
演出図柄の変動表示中には、リーチ演出あるいは「滑り」や「擬似連」などの変動表示演出とは異なり、例えば所定の演出画像を表示することや、メッセージとなる画像表示や音声出力、ランプ点灯などのように、演出図柄の変動表示動作とは異なる演出動作により、演出図柄の変動表示状態がリーチ状態となる可能性があることや、スーパーリーチによるリーチ演出が実行される可能性があること、変動表示結果が「大当り」となる可能性があることなどを、遊技者に予め報知するための予告演出が実行されることがある。予告演出となる演出動作は、「左」、「中」、「右」の演出図柄表示エリア５Ｌ、５Ｃ、５Ｒの全部にて演出図柄の変動表示が開始されてから、演出図柄の変動表示状態がリーチ状態となるより前（「左」及び「右」の演出図柄表示エリア５Ｌ、５Ｒにて演出図柄が仮停止表示されるより前）に実行（開始）されるものであればよい。また、変動表示結果が「大当り」となる可能性があることを報知する予告演出には、演出図柄の変動表示状態がリーチ状態となった後に実行されるものが含まれていてもよい。
【００６１】
予告演出のうちには、先読み予告演出となるものが含まれていればよい。先読み予告演出は、変動表示結果が「大当り」となる可能性などが予告される対象となる変動表示を開始するより前に、特図ゲームの保留情報などに基づいて実行可能となる予告演出である。特に、複数回の特図ゲームに対応して複数回実行される演出図柄の変動表示にわたり、変動表示結果が「大当り」となる可能性などを連続して予告する先読み予告演出は、連続予告演出（連続演出）とも称される。なお、特図ゲームが１回実行される間に、演出図柄を一旦仮停止表示させた後、当該演出図柄を再び変動（擬似連変動、再変動）させる演出表示を所定回数行い、擬似的に複数回の変動表示が実行されているかのように見せる「擬似連」の変動表示演出を実行する遊技機においては、当該擬似的な複数回の変動表示にわたり、変動表示結果が「大当り」となる可能性などを連続して予告する予告演出も連続予告演出（連続演出）に含まれる。
【００６２】
また、本実施例では、このような先読み予告演出である連続予告演出（連続演出）として、後述するように、プレゼントボックスが複数の変動に亘って表示されるプレゼントボックス表示予告演出が実行されるようになっている。尚、これらプレゼントボックス表示予告演出以外に、変動表示が実行されるときに、当該変動表示の変動パターンや変動表示結果に基づいて、当該変動表示結果が「大当り」となる可能性などを予告するステップアップ予告演出またはセリフ予告演出等の変動中予告演出を実行するようにしても良い。
【００６３】
特図ゲームにおける確定特別図柄として、ハズレ図柄となる特別図柄が停止表示（導出）される場合には、演出図柄の変動表示が開始されてから、演出図柄の変動表示状態がリーチ状態とならずに、所定の非リーチ組合せとなる確定演出図柄が停止表示されることがある。このような演出図柄の変動表示態様は、変動表示結果が「ハズレ」となる場合における「非リーチ」（「通常ハズレ」ともいう）の変動表示態様と称される。
【００６４】
特図ゲームにおける確定特別図柄として、ハズレ図柄となる特別図柄が停止表示（導出）される場合には、演出図柄の変動表示が開始されてから、演出図柄の変動表示状態がリーチ状態となったことに対応して、リーチ演出が実行された後に、あるいは、リーチ演出が実行されずに、所定のリーチハズレ組合せとなる確定演出図柄が停止表示されることがある。このような演出図柄の変動表示結果は、変動表示結果が「ハズレ」となる場合における「リーチ」（「リーチハズレ」ともいう）の変動表示態様と称される。
【００６５】
特図ゲームにおける確定特別図柄として、通常開放ラウンド大当り図柄となる特別図柄のうち、「３」の数字を示す特別図柄といった通常大当り図柄が停止表示される場合には、演出図柄の変動表示状態がリーチ状態となったことに対応して、所定のリーチ演出が実行された後に、あるいは、リーチ演出が実行されずに、複数種類の大当り組合せのうち、所定の通常大当り組合せ（「非確変大当り組合せ」ともいう）となる確定演出図柄が停止表示される。通常大当り組合せとなる確定演出図柄は、例えば演出表示装置５における「左」、「中」、「右」の各演出図柄表示エリア５Ｌ、５Ｃ、５Ｒにて変動表示される図柄番号が「１」〜「８」の演出図柄のうち、図柄番号が偶数「２」、「４」、「６」、「８」である演出図柄のいずれか１つが、「左」、「中」、「右」の各演出図柄表示エリア５Ｌ、５Ｃ、５Ｒにて所定の有効ライン上に揃って停止表示されるものであればよい。通常大当り組合せを構成する図柄番号が偶数「２」、「４」、「６」、「８」である演出図柄は、通常図柄（「非確変図柄」ともいう）と称される。
【００６６】
特図ゲームにおける確定特別図柄が通常大当り図柄となることに対応して、所定のリーチ演出が実行された後に、あるいは、リーチ演出が実行されずに、通常大当り組合せの確定演出図柄が停止表示される演出図柄の変動表示態様は、変動表示結果が「大当り」となる場合における「非確変」（「通常大当り」ともいう）の変動表示態様（「大当り種別」ともいう）と称される。「非確変」の大当り種別で変動表示結果が「大当り」となったことに基づいて、通常開放大当り状態に制御され、その終了後には、時間短縮制御（時短制御）が行われる。時短制御が行われることにより、特図ゲームにおける特別図柄の変動表示時間（特図変動時間）は、通常状態に比べて短縮される。通常状態とは、大当り遊技状態等の特定遊技状態などとは異なる通常遊技状態であり、パチンコ遊技機１の初期設定状態（例えばシステムリセットが行われた場合のように、電源投入後に初期化処理を実行した状態）と同一の制御が行われる。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００６７】
特図ゲームにおける確定特別図柄として、通常開放ラウンド大当り図柄となる特別図柄のうち、「７」の数字を示す特別図柄といった確変大当り図柄が停止表示される場合には、演出図柄の変動表示状態がリーチ状態となったことに対応して、演出図柄の変動表示態様が「通常」である場合と同様のリーチ演出が実行された後に、あるいは、リーチ演出が実行されずに、複数種類の大当り組合せのうち、所定の確変大当り組合せとなる確定演出図柄が停止表示されることがある。確変大当り組合せとなる確定演出図柄は、例えば演出表示装置５における「左」、「中」、「右」の各演出図柄表示エリア５Ｌ、５Ｃ、５Ｒにて変動表示される図柄番号が「１」〜「８」の演出図柄のうち、図柄番号が奇数「１」、「３」、「５」、「７」である演出図柄のいずれか１つが、「左」、「中」、「右」の各演出図柄表示エリア５Ｌ、５Ｃ、５Ｒにて所定の有効ライン上に揃って停止表示されるものであればよい。確変大当り組合せを構成する図柄番号が奇数「１」、「３」、「５」、「７」である演出図柄は、確変図柄と称される。特図ゲームにおける確定特別図柄として確変大当り図柄が停止表示される場合に、演出図柄の変動表示結果として、通常大当り組合せとなる確定演出図柄が停止表示されることがあるようにしてもよい。
【００６８】
確定演出図柄が通常大当り組合せであるか確変大当り組合せであるかにかかわらず、特図ゲームにおける確定特別図柄として確変大当り図柄が停止表示される変動表示態様は、変動表示結果が「大当り」となる場合における「確変」の変動表示態様（「大当り種別」ともいう）と称される。「確変」の大当り種別で変動表示結果が「大当り」となったことに基づいて、通常開放大当り状態に制御され、その終了後には、時短制御とともに確率変動制御（確変制御）が行われる。確変制御が行われることにより、各回の特図ゲームにおいて変動表示結果（特図表示結果）が「大当り」となる確率は、通常状態に比べて高くなるように向上する。確変制御は、大当り遊技状態の終了後に変動表示結果が「大当り」となって再び大当り遊技状態に制御されるという条件が成立したときに、終了すればよい。なお、時短制御と同様に、大当り遊技状態の終了後に所定回数（例えば１００回）の特図ゲームが実行されたときに、確変制御を終了してもよい。また、大当り遊技状態の終了後に特図ゲームが開始されるごとに実行される確変転落抽選にて確変制御を終了させる「確変転落あり」の決定がなされたときに、確変制御を終了してもよい。
【００６９】
時短制御が行われるときには、普通図柄表示器２０による普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御といった、遊技球が第２始動入賞口を通過（進入）しやすくして第２始動条件が成立する可能性を高めることで遊技者にとって有利となる制御が行われる。このように、時短制御に伴い第２始動入賞口に遊技球が進入しやすくして遊技者にとって有利となる制御は、高開放制御ともいう。高開放制御としては、これらの制御のいずれか１つが行われるようにしてもよいし、複数の制御が組み合わせられて行われるようにしてもよい。
【００７０】
高開放制御が行われることにより、第２始動入賞口は、高開放制御が行われていないときよりも拡大開放状態となる頻度が高められる。これにより、第２特別図柄表示装置４Ｂにおける第２特図を用いた特図ゲームを実行するための第２始動条件が成立しやすくなり、特図ゲームが頻繁に実行可能となることで、次に変動表示結果が「大当り」となるまでの時間が短縮される。高開放制御が実行可能となる期間は、高開放制御期間ともいい、この期間は、時短制御が行われる期間と同一であればよい。
【００７１】
時短制御と高開放制御がともに行われる遊技状態は、時短状態あるいは高ベース状態ともいう。また、確変制御が行われる遊技状態は、確変状態あるいは高確状態ともいう。確変制御とともに時短制御や高開放制御が行われる遊技状態は、高確高ベース状態とも称される。確変制御のみが行われて時短制御や高開放制御が行われない確変状態は、高確低ベース状態とも称される。なお、確変制御とともに時短制御や高開放制御が行われる遊技状態のみを、特に「確変状態」ということもあり、高確低ベース状態とは区別するために、時短付確変状態ということもある。一方、確変制御のみが行われて時短制御や高開放制御が行われない確変状態（高確低ベース状態）は、高確高ベース状態と区別するために、時短なし確変状態ということもある。確変制御が行われずに時短制御や高開放制御が行われる時短状態は、低確高ベース状態とも称される。確変制御や時短制御および高開放制御がいずれも行われない通常状態は、低確低ベース状態とも称される。通常状態以外の遊技状態において時短制御や確変制御の少なくともいずれかが行われるときには、特図ゲームが頻繁に実行可能となることや、各回の特図ゲームにおける変動表示結果が「大当り」となる確率が高められることにより、遊技者にとって有利な状態となる。大当り遊技状態とは異なる遊技者にとって有利な遊技状態は、特別遊技状態とも称される。
【００７２】
特図ゲームにおける確定特別図柄として、「５」の数字を示す特別図柄といった短期開放ラウンド大当り図柄が停止表示される場合や、「２」の数字を示す特別図柄といった小当り図柄が停止表示される場合には、演出図柄の変動表示状態がリーチ状態とならずに、開放チャンス目として予め定められた複数種類の確定演出図柄の組合せのいずれかが停止表示されることがある。また、特図ゲームにおける確定特別図柄として、短期開放ラウンド大当り図柄が停止表示される場合には、演出図柄の変動表示状態がリーチ状態となったことに対応して、所定のリーチ演出が実行された後などに、所定のリーチ組合せとなる確定演出図柄（短期開放ラウンド大当り状態に対応したチャンス目となる確定演出図柄）が停止表示されることもある。
【００７３】
特図ゲームにおける確定特別図柄が短期開放ラウンド大当り図柄となることに対応して、各種の確定演出図柄が停止表示される演出図柄の変動表示態様は、変動表示結果が「大当り」となる場合における「突確」（「突確大当り」あるいは「突然確変大当り」ともいう）の変動表示態様（「大当り種別」ともいう）と称される。「突確」の大当り種別で変動表示結果が「大当り」となったことに基づいて、短期開放大当り状態に制御され、その終了後には、時短制御とともに確変制御が行われればよい。
【００７４】
特図ゲームにおける確定特別図柄として、「２」の数字を示す特別図柄といった小当り図柄が停止表示されて変動表示結果が「小当り」となったことに基づいて、小当り遊技状態に制御され、その終了後には、遊技状態の変更が行われず、変動表示結果が「小当り」となる以前の遊技状態に継続して制御される。ただし、変動表示結果が「小当り」となる特図ゲームが実行されたときに、特別遊技状態における特図ゲームの実行回数が所定回数に達していれば、小当り遊技状態の終了後には、特別遊技状態が終了して通常状態となることがある。
【００７５】
演出図柄の変動表示結果として開放チャンス目を構成する確定演出図柄が導出表示された後に大入賞口が開放状態となる場合には、変動表示結果が「大当り」で大当り種別が「突確」であることに基づき短期開放大当り状態に制御されたときと、変動表示結果が「小当り」であることに基づき小当り遊技状態に制御されたときとがある。一方、演出図柄の変動表示結果としてリーチ組合せを構成する確定演出図柄が導出表示された後に大入賞口が開放状態となるのは、変動表示結果が「大当り」で大当り種別が「突確」であることに基づき短期開放大当り状態に制御されたときのみである。したがって、開放チャンス目を構成する確定演出図柄は、短期開放大当り状態および小当り遊技状態のいずれに制御されることにも対応している一方で、リーチ組合せの確定演出図柄は、短期開放大当り状態に制御されることに対応している。
【００７６】
確定演出図柄が非確変大当り組合せや確変大当り組合せとなる演出図柄の変動表示中には、再抽選演出が実行されることがある。再抽選演出では、演出表示装置５における「左」、「中」、「右」の演出図柄表示エリア５Ｌ、５Ｃ、５Ｒに通常大当り組合せとなる演出図柄を仮停止表示させた後に、例えば「左」、「中」、「右」の各演出図柄表示エリア５Ｌ、５Ｃ、５Ｒにて同一の演出図柄が揃った状態で再び変動させ、確変大当り組合せとなる演出図柄（確変図柄）と、通常大当り組合せとなる演出図柄（通常図柄）のうちいずれかを、確定演出図柄として停止表示（最終停止表示）させる。ここで、大当り種別が「非確変」である場合に再抽選演出が実行されるときには、その再抽選演出として、仮停止表示させた演出図柄を再変動させた後に通常大当り組合せとなる確定演出図柄を導出表示する再抽選落選演出が行われる。これに対して、大当り種別が「確変」である場合に再抽選演出が実行されるときには、その再抽選演出として、仮停止表示させた演出図柄を再変動させた後に確変大当り組合せとなる確定演出図柄を停止表示する再抽選当選演出が実行されることもあれば、再抽選落選演出が実行されることもある。
【００７７】
通常大当り組合せとなる確定演出図柄が導出表示された後には、大当り遊技状態の開始時や大当り遊技状態におけるラウンドの実行中、大当り遊技状態においていずれかのラウンドが終了してから次のラウンドが開始されるまでの期間、大当り遊技状態において最終のラウンドが終了してから次の変動表示ゲームが開始されるまでの期間などにて、確変状態に制御するか否かの確変報知演出となる大当り中昇格演出が実行されてもよい。なお、大当り中昇格演出と同様の報知演出が、大当り遊技状態の終了後における最初の変動表示ゲーム中などにて実行されてもよい。大当り遊技状態において最終のラウンドが終了してから実行される大当り中昇格演出を、特に「エンディング昇格演出」ということもある。
【００７８】
大当り中昇格演出には、確定演出図柄が通常大当り組合せであるにもかかわらず遊技状態が確変状態となる昇格がある旨を報知する大当り中昇格成功演出と、確変状態となる昇格がない旨を報知する大当り中昇格失敗演出とがある。例えば、大当り中昇格演出では、演出表示装置５の表示領域にて演出図柄を変動表示させて通常図柄と確変図柄のいずれかを演出表示結果として停止表示させること、あるいは、演出図柄の変動表示とは異なる演出画像の表示を行うことなどにより、確変状態となる昇格の有無を、遊技者が認識できるように報知すればよい。
【００７９】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、情報端子基板、発射制御基板、インタフェース基板などといった、各種の基板が配置されている。
【００８０】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。
【００８１】
主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１、８２に伝送するソレノイド回路１１１などが搭載されている。
【００８２】
演出制御基板１２は、主基板１１とは独立したサブ側の制御基板であり、中継基板１５を介して主基板１１から伝送された制御信号を受信して、演出表示装置５、スピーカ８Ｌ、８Ｒ及び遊技効果ランプ９といった演出用の電気部品による演出動作を制御するための各種回路が搭載されている。すなわち、演出制御基板１２は、演出表示装置５における表示動作や、スピーカ８Ｌ、８Ｒからの音声出力動作の全部または一部、遊技効果ランプ９などにおける点灯／消灯動作の全部または一部といった、演出用の電気部品に所定の演出動作を実行させるための制御内容を決定する機能を備えている。
【００８３】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９などにおける点灯／消灯駆動を行うランプドライバ回路などが搭載されている。
【００８４】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。なお、ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００８５】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば演出表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれている。
【００８６】
図３（Ａ）は、本実施例で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。なお、図３（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【００８７】
図３（Ａ）に示す例において、コマンド８００１Ｈは、第１特別図柄表示装置４Ａにおける第１特図を用いた特図ゲームにおける変動開始を指定する第１変動開始コマンドである。コマンド８００２Ｈは、第２特別図柄表示装置４Ｂにおける第２特図を用いた特図ゲームにおける変動開始を指定する第２変動開始コマンドである。コマンド８１ＸＸＨは、特図ゲームにおける特別図柄の変動表示に対応して演出表示装置５における「左」、「中」、「右」の各演出図柄表示エリア５Ｌ、５Ｃ、５Ｒで変動表示される演出図柄などの変動パターン（変動時間）を指定する変動パターン指定コマンドである。ここで、ＸＸＨは不特定の１６進数であることを示し、演出制御コマンドによる指示内容に応じて任意に設定される値であればよい。変動パターン指定コマンドでは、指定する変動パターンなどに応じて、異なるＥＸＴデータが設定される。
【００８８】
コマンド８ＣＸＸＨは、特別図柄や演出図柄などの変動表示結果を指定する変動表示結果通知コマンドである。変動表示結果通知コマンドでは、例えば図３（Ｂ）に示すように、変動表示結果が「ハズレ」であるか「大当り」であるかの決定結果（事前決定結果）や、変動表示結果が「大当り」となる場合の大当り種別を複数種類のいずれとするかの決定結果（大当り種別決定結果）に応じて、異なるＥＸＴデータが設定される。より具体的には、コマンド８Ｃ００Ｈは、変動表示結果が「ハズレ」となる旨の事前決定結果を示す第１変動表示結果通知コマンドである。コマンド８Ｃ０１Ｈは、変動表示結果が「大当り」で大当り種別が「非確変」となる旨の事前決定結果及び大当り種別決定結果を通知する第２変動表示結果通知コマンドである。コマンド８Ｃ０２Ｈは、変動表示結果が「大当り」で大当り種別が「確変」となる旨の事前決定結果及び大当り種別決定結果を通知する第３変動表示結果通知コマンドである。コマンド８Ｃ０３Ｈは、変動表示結果が「大当り」で大当り種別が「突確」となる旨の事前決定結果及び大当り種別決定結果を通知する第４変動表示結果通知コマンドである。コマンド８Ｃ０４Ｈは、変動表示結果が「小当り」となる旨の事前決定結果を示す第５変動表示結果通知コマンドである。
【００８９】
コマンド８Ｆ００Ｈは、演出表示装置５における「左」、「中」、「右」の各演出図柄表示エリア５Ｌ、５Ｃ、５Ｒで演出図柄の変動停止（確定）を指定する図柄確定コマンドである。コマンド９５ＸＸＨは、パチンコ遊技機１における現在の遊技状態を指定する遊技状態指定コマンドである。遊技状態指定コマンドでは、例えばパチンコ遊技機１における現在の遊技状態に応じて、異なるＥＸＴデータが設定される。具体的な一例として、コマンド９５００Ｈを時短制御と確変制御がいずれも行われない遊技状態（低確低ベース状態、通常状態）に対応した第１遊技状態指定コマンドとし、コマンド９５０１Ｈを時短制御が行われる一方で確変制御は行われない遊技状態（低確高ベース状態、時短状態）に対応した第２遊技状態指定コマンドとする。また、コマンド９５０２Ｈを確変制御が行われる一方で時短制御は行われない遊技状態（高確低ベース状態、時短なし確変状態）に対応した第３遊技状態指定コマンドとし、コマンド９５０３Ｈを時短制御と確変制御がともに行われる遊技状態（高確高ベース状態、時短付確変状態）に対応した第４遊技状態指定コマンドとする。
【００９０】
コマンドＡ０ＸＸＨは、大当り遊技状態や小当り遊技状態の開始を示す演出画像の表示を指定する当り開始指定コマンド（「ファンファーレコマンド」ともいう）である。コマンドＡ１ＸＸＨは、大当り遊技状態や小当り遊技状態において、大入賞口が開放状態となっている期間であることを通知する大入賞口開放中通知コマンドである。コマンドＡ２ＸＸＨは、大当り遊技状態や小当り遊技状態において、大入賞口が開放状態から閉鎖状態に変化した期間であることを通知する大入賞口開放後通知コマンドである。コマンドＡ３ＸＸＨは、大当り遊技状態や小当り遊技状態の終了時における演出画像の表示を指定する当り終了指定コマンドである。
【００９１】
当り開始指定コマンドや当り終了指定コマンドでは、例えば変動表示結果通知コマンドと同様のＥＸＴデータが設定されることなどにより、事前決定結果や大当り種別決定結果に応じて異なるＥＸＴデータが設定されてもよい。あるいは、当り開始指定コマンドや当り終了指定コマンドでは、事前決定結果及び大当り種別決定結果と設定されるＥＸＴデータとの対応関係を、変動表示結果通知コマンドにおける対応関係とは異ならせるようにしてもよい。大入賞口開放中通知コマンドや大入賞口開放後通知コマンドでは、例えば通常開放大当り状態や短期開放大当り状態におけるラウンドの実行回数（例えば「１」〜「１５」）に対応して、異なるＥＸＴデータが設定される。
【００９２】
コマンドＢ１００Ｈは、普通入賞球装置６Ａが形成する第１始動入賞口を通過（進入）した遊技球が第１始動口スイッチ２２Ａにより検出されて始動入賞（第１始動入賞）が発生したことに基づき、第１特別図柄表示装置４Ａにおける第１特図を用いた特図ゲームを実行するための第１始動条件が成立したことを通知する第１始動口入賞指定コマンドである。コマンドＢ２００Ｈは、普通可変入賞球装置６Ｂが形成する第２始動入賞口を通過（進入）した遊技球が第２始動口スイッチ２２Ｂにより検出されて始動入賞（第２始動入賞）が発生したことに基づき、第２特別図柄表示装置４Ｂにおける第２特図を用いた特図ゲームを実行するための第２始動条件が成立したことを通知する第２始動口入賞指定コマンドである。
【００９３】
コマンドＣ１ＸＸＨは、始動入賞記憶表示エリア５Ｈなどにて特図保留記憶数を特定可能に表示するために、第１特図保留記憶数を通知する第１保留記憶数通知コマンドである。コマンドＣ２ＸＸＨは、始動入賞記憶表示エリア５Ｈなどにて特図保留記憶数を特定可能に表示するために、第２特図保留記憶数を通知する第２保留記憶数通知コマンドである。第１保留記憶数通知コマンドは、例えば第１始動入賞口を遊技球が通過（進入）して第１始動条件が成立したことに基づいて、第１始動口入賞指定コマンドが送信されるときに、主基板１１から演出制御基板１２に対して送信される。第２保留記憶数通知コマンドは、例えば第２始動入賞口を遊技球が通過（進入）して第２始動条件が成立したことに基づいて、第２始動口入賞指定コマンドが送信されるときに、主基板１１から演出制御基板１２に対して送信される。また、第１保留記憶数通知コマンドや第２保留記憶数通知コマンドは、第１開始条件と第２開始条件のいずれかが成立したときに、特図ゲームの実行が開始されることなどに対応して送信されるようにしてもよい。
【００９４】
第１保留記憶数通知コマンドは、第１始動入賞の発生により第１始動条件が成立したときに、第１特図保留記憶数の増加を通知するものとして送信される。また、第２保留記憶数通知コマンドは、第２始動入賞の発生により第２始動条件が成立したときに、第２特図保留記憶数の増加を通知するものとして送信される。
【００９５】
本実施例では、保留記憶情報として、第１始動入賞口と第２始動入賞口とのいずれに始動入賞したかを指定する第１始動口入賞指定コマンドや第２始動口入賞指定コマンドを送信するとともに、第１特図保留記憶数や第２特図保留記憶数を指定する第１保留記憶数通知コマンドや第２保留記憶数通知コマンドを送信する。なお、保留記憶数が増加したときに、第１特図保留記憶数または第２特図保留記憶数が増加したことを示す保留記憶数加算指定コマンド（第１保留記憶数加算指定コマンドまたは第２保留記憶数加算指定コマンド）を送信する一方、保留記憶数が減少したときに、第１特図保留記憶数または第２特図保留記憶数が減少したことを示す保留記憶数減算指定コマンド（第１保留記憶数減算指定コマンドまたは第２保留記憶数減算指定コマンド）を送信するようにしてもよい。
【００９６】
第１保留記憶数通知コマンドや第２保留記憶数通知コマンドに代えて、合計保留記憶数を通知する合計保留記憶数通知コマンドを送信するようにしてもよい。すなわち、合計保留記憶数の増加（または減少）を通知するための合計保留記憶数通知コマンドが用いられてもよい。
【００９７】
コマンドＣ４ＸＸＨおよびコマンドＣ６ＸＸＨは、入賞時判定結果の内容を示す演出制御コマンド（入賞時判定結果指定コマンド）である。このうち、コマンドＣ４ＸＸＨは、入賞時判定結果として、変動表示結果が「大当り」となるか否かや「小当り」となるか否か、大当り種別（確変や非確変や突確）の判定結果を示す図柄指定コマンドである。また、コマンドＣ６ＸＸＨは、入賞時判定結果として、変動パターン種別決定用の乱数値ＭＲ３がいずれの決定値の範囲となるかの判定結果（変動パターン種別の判定結果）を示す変動カテゴリコマンドである。
【００９８】
本実施例では、入賞時乱数値判定処理（図１７（Ａ）参照）において、始動入賞の発生に基づき、変動表示結果が「大当り」に決定されるか否かや「小当り」に決定されるか否か、大当りの種別、変動パターン種別決定用の乱数値ＭＲ３がいずれの決定値の範囲になるかを判定する。そして、図柄指定コマンドのＥＸＴデータに、変動表示結果が「大当り」や「小当り」に決定されることを指定する値や、大当り種別（確変や非確変や突確）を指定する値を設定し、演出制御基板１２に対して送信する制御を行う。また、変動カテゴリコマンドのＥＸＴデータに判定結果としての乱数値ＭＲ３が含まれる決定値の範囲を指定する値を設定し、演出制御基板１２に対して送信する制御を行う。演出制御基板１２に搭載された演出制御用ＣＰＵ１２０は、図柄指定コマンドに設定されている値に基づいて、変動表示結果が「大当り」や「小当り」に決定されるか否か、大当り種別を認識できるとともに、変動カテゴリコマンドに設定されている値に基づいて、変動パターン種別決定用の乱数値ＭＲ３が所定範囲の決定値に含まれる場合には変動パターン種別を認識できる。
【００９９】
図柄指定コマンドの一例として、コマンドＣ４００Ｈを変動表示結果が「ハズレ」となる場合に応じた第１図柄指定コマンドとし、コマンドＣ４０１Ｈを変動表示結果が「大当り」で大当り種別が「確変」となる場合に応じた第２図柄指定コマンドとし、コマンドＣ４０２Ｈを変動表示結果が「大当り」で大当り種別が「非確変」となる場合に応じた第３図柄指定コマンドとし、コマンドＣ４０３Ｈを変動表示結果が「大当り」で大当り種別が「突確」となる場合に応じた第４図柄指定コマンドとし、コマンドＣ４０４Ｈを変動表示結果が「小当り」となる場合に応じた第５図柄指定コマンドとする。なお、図柄指定コマンドに設定されるＥＸＴデータと、変動表示結果通知コマンドに設定されるＥＸＴデータとを共通化してもよい。
【０１００】
変動カテゴリコマンドの一例として、例えば、後述する図１７（Ｂ）に示すように、コマンドＣ６００Ｈを合計保留記憶数に応じて判定閾値が異なる「非リーチ」の変動表示態様となる場合に応じた第１変動カテゴリコマンドとし、コマンドＣ６０１Ｈを合計保留記憶数にかかわらず共通して「スーパーリーチ」の変動表示態様となる場合に応じた第２変動カテゴリコマンドとし、コマンドＣ６０２Ｈを「非リーチ」と「スーパーリーチ」以外の変動表示態様（例えばノーマルリーチ）となる場合に応じた第３変動カテゴリコマンドとする。
【０１０１】
主基板１１に搭載された遊技制御用マイクロコンピュータ１００は、例えば１チップのマイクロコンピュータであり、遊技制御用のプログラムや固定データ等を記憶するＲＯＭ（ReadOnlyMemory）１０１と、遊技制御用のワークエリアを提供するＲＡＭ（RandomAccessMemory）１０２と、遊技制御用のプログラムを実行して制御動作を行うＣＰＵ（CentralProcessingUnit）１０３と、ＣＰＵ１０３とは独立して乱数値を示す数値データの更新を行う乱数回路１０４と、Ｉ／Ｏ（Input/Outputport）１０５とを備えて構成される。
【０１０２】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【０１０３】
図４は、主基板１１の側においてカウントされる乱数値を例示する説明図である。図４に示すように、本実施例では、主基板１１の側において、特図表示結果決定用の乱数値ＭＲ１、大当り種別決定用の乱数値ＭＲ２、変動パターン種別決定用の乱数値ＭＲ３、変動パターン決定用の乱数値ＭＲ４、普図表示結果決定用の乱数値ＭＲ５のそれぞれを示す数値データが、カウント可能に制御される。なお、遊技効果を高めるために、これら以外の乱数値が用いられてもよい。こうした遊技の進行を制御するために用いられる乱数は、遊技用乱数ともいう。
【０１０４】
乱数回路１０４は、これらの乱数値ＭＲ１〜ＭＲ５の一部または全部を示す数値データをカウントするものであればよい。ＣＰＵ１０３は、例えば図１２に示す遊技制御カウンタ設定部１５４に設けられたランダムカウンタといった、乱数回路１０４とは異なるランダムカウンタを用いて、ソフトウェアによって各種の数値データを更新することで、乱数値ＭＲ１〜ＭＲ５の一部を示す数値データをカウントするようにしてもよい。
【０１０５】
特図表示結果決定用の乱数値ＭＲ１は、特図ゲームにおける特別図柄などの変動表示結果を「大当り」として大当り遊技状態に制御するか否かや、変動表示結果を「小当り」として小当り遊技状態に制御するか否かを、決定するために用いられる乱数値であり、例えば「１」〜「６５５３５」の範囲の値をとる。大当り種別決定用の乱数値ＭＲ２は、変動表示結果を「大当り」とする場合における演出図柄の変動表示態様である大当り種別を「非確変」、「確変」、「突確」のいずれかに決定するために用いられる乱数値であり、例えば「１」〜「１００」の範囲の値をとる。
【０１０６】
変動パターン種別決定用の乱数値ＭＲ３は、特別図柄や演出図柄の変動表示における変動パターン種別を、予め用意された複数種類のいずれかに決定するために用いられる乱数値であり、例えば「１」〜「２５１」の範囲の値をとる。変動パターン決定用の乱数値ＭＲ４は、特別図柄や演出図柄の変動表示における変動パターンを、予め用意された複数種類のいずれかに決定するために用いられる乱数値であり、例えば「１」〜「９９７」の範囲の値をとる。普図表示結果決定用の乱数値ＭＲ５は、普通図柄表示器２０による普図ゲームにおける変動表示結果を「普図当り」とするか「普図ハズレ」とするかなどの決定を行うために用いられる乱数値であり、例えば「３」〜「１３」の範囲の値をとる。
【０１０７】
図５は、本実施例における変動パターンを示している。本実施例では、変動表示結果が「ハズレ」となる場合のうち、演出図柄の変動表示態様が「非リーチ」である場合と「リーチ」である場合のそれぞれに対応して、また、変動表示結果が「大当り」となる場合などに対応して、複数の変動パターンが予め用意されている。なお、変動表示結果が「ハズレ」で演出図柄の変動表示態様が「非リーチ」である場合に対応した変動パターンは、非リーチ変動パターン（「非リーチハズレ変動パターン」ともいう）と称され、変動表示結果が「ハズレ」で演出図柄の変動表示態様が「リーチ」である場合に対応した変動パターンは、リーチ変動パターン（「リーチハズレ変動パターン」ともいう）と称される。また、非リーチ変動パターンとリーチ変動パターンは、変動表示結果が「ハズレ」となる場合に対応したハズレ変動パターンに含まれる。変動表示結果が「大当り」である場合に対応した変動パターンは、大当り変動パターンと称される。
【０１０８】
大当り変動パターンやリーチ変動パターンには、ノーマルリーチのリーチ演出が実行されるノーマルリーチ変動パターンと、スーパーリーチαまたはスーパーリーチβといったスーパーリーチのリーチ演出が実行されるスーパーリーチ変動パターンとがある。変動表示結果が「小当り」である場合に対応した変動パターンは、小当り変動パターンと称される。大当り変動パターンと小当り変動パターンは、変動表示結果が「大当り」または「小当り」となる場合に対応した当り変動パターンに含まれる。
【０１０９】
図６は、本実施例における変動パターン種別を示している。図５に示す各変動パターンは、図６に示す複数の変動パターン種別のうち、少なくとも１つの変動パターン種別に含まれている。すなわち、各変動パターン種別は、例えば演出図柄の変動表示中に実行される演出動作の態様などに基づいて分類（グループ化）された単一または複数の変動パターンを含むように構成されていればよい。
【０１１０】
一例として、複数の変動パターンをリーチ演出の種類（演出態様）で分類（グループ化）して、演出図柄の変動表示状態がリーチ状態とならない変動パターンが含まれる変動パターン種別と、ノーマルリーチを伴う変動パターンが含まれる変動パターン種別と、スーパーリーチ（スーパーリーチαまたはスーパーリーチβ）を伴う変動パターンが含まれる変動パターン種別とに分ければよい。また、スーパーリーチを伴う変動パターンについては、リーチ演出の内容（例えばスーパーリーチαであるかスーパーリーチβであるか）に応じて、異なる変動パターン種別に分類されるようにしてもよい。あるいは、所定の変動表示演出が実行されるか否かなどに応じて、異なる変動パターン種別に分類されるようにしてもよい。他の一例として、複数の変動パターンを演出図柄の変動表示時間などに応じて、分類（グループ化）してもよい。複数の変動パターン種別のうちには、共通の変動パターンを含んで構成されたものがあってもよい。
【０１１１】
図６に示すように、各変動パターン種別には、変動表示態様や変動表示の内容に応じて、１つまたは複数の変動パターンが分類される。図５に示す変動パターンの具体的な分類については、例えば図１１に示すように設定された変動パターン決定テーブル１３４から特定することができる。すなわち、変動パターン決定テーブル１３４において、各変動パターン種別に応じて決定値が割り当てられた変動パターンは、その変動パターン種別に含まれるように分類されている。
【０１１２】
図２に示す遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、図５に示すような変動パターンを複数種類格納する変動パターンテーブルを構成するテーブルデータなどが、記憶されている。
【０１１３】
図７は、ＲＯＭ１０１に記憶される特図表示結果決定テーブルの構成例を示している。本実施例では、特図表示結果決定テーブルとして、図７（Ａ）に示す第１特図表示結果決定テーブル１３０Ａと、図７（Ｂ）に示す第２特図表示結果決定テーブル１３０Ｂとが、予め用意されている。第１特図表示結果決定テーブル１３０Ａは、第１特別図柄表示装置４Ａによる第１特図を用いた特図ゲームにおいて変動表示結果となる確定特別図柄が導出表示される以前に、その変動表示結果を「大当り」として大当り遊技状態に制御するか否かや、変動表示結果を「小当り」として小当り遊技状態に制御するか否かを、特図表示結果決定用の乱数値ＭＲ１に基づいて決定するために参照されるテーブルである。第２特図表示結果決定テーブル１３０Ｂは、第２特別図柄表示装置４Ｂによる第２特図を用いた特図ゲームにおいて変動表示結果となる確定特別図柄が導出表示される以前に、その変動表示結果を「大当り」として大当り遊技状態に制御するか否かや、変動表示結果を「小当り」として小当り遊技状態に制御するか否かを、特図表示結果決定用の乱数値ＭＲ１に基づいて決定するために参照されるテーブルである。
【０１１４】
第１特図表示結果決定テーブル１３０Ａでは、パチンコ遊技機１における遊技状態が通常状態または時短状態（低確状態）であるか、確変状態（高確状態）であるかに応じて、特図表示結果決定用の乱数値ＭＲ１と比較される数値（決定値）が、「大当り」や「小当り」、「ハズレ」の特図表示結果に割り当てられている。第２特図表示結果決定テーブル１３０Ｂでは、遊技状態が通常状態または時短状態（低確状態）であるか、確変状態（高確状態）であるかに応じて、特図表示結果決定用の乱数値ＭＲ１と比較される数値（決定値）が、「大当り」や「ハズレ」の特図表示結果に割り当てられている。
【０１１５】
第１特図表示結果決定テーブル１３０Ａや第２特図表示結果決定テーブル１３０Ｂにおいて、特図表示結果決定用の乱数値ＭＲ１と比較される決定値を示すテーブルデータは、特図表示結果を「大当り」として大当り遊技状態に制御するか否かの決定結果に割り当てられる決定用データとなっている。第１特図表示結果決定テーブル１３０Ａと第２特図表示結果決定テーブル１３０Ｂのそれぞれでは、遊技状態が確変状態（高確状態）であるときに、通常状態または時短状態（低確状態）であるときよりも多くの決定値が、「大当り」の特図表示結果に割り当てられている。これにより、パチンコ遊技機１において確変制御が行われる確変状態（高確状態）では、通常状態または時短状態（低確状態）であるときに比べて、特図表示結果を「大当り」として大当り遊技状態に制御すると決定される確率が高くなる。すなわち、第１特図表示結果決定テーブル１３０Ａと第２特図表示結果決定テーブル１３０Ｂのそれぞれでは、パチンコ遊技機１における遊技状態が確変状態であるときに、通常状態や時短状態であるときに比べて大当り遊技状態に制御すると決定される確率が高くなるように、決定用データが大当り遊技状態に制御するか否かの決定結果に割り当てられている。
【０１１６】
第１特図表示結果決定テーブル１３０Ａの設定例では、所定範囲の決定値（「３００００」〜「３０３５０」の範囲の値）が「小当り」の特図表示結果に割り当てられている。その一方で、第２特図表示結果決定テーブル１３０Ｂの設定例では、「小当り」の特図表示結果に決定値が割り当てられていない。このような設定により、第１特別図柄表示装置４Ａによる第１特図を用いた特図ゲームを開始するための第１開始条件が成立したことに基づいて変動表示結果の判定を行う場合と、第２特別図柄表示装置４Ｂによる第２特図を用いた特図ゲームを開始するための第２開始条件が成立したことに基づいて変動表示結果の判定を行う場合とで、特図表示結果を「小当り」として小当り遊技状態に制御すると決定される割合を、異ならせることができる。
【０１１７】
特に、第２特図を用いた特図ゲームでは特図表示結果を「小当り」として小当り遊技状態に制御すると決定されることがないので、例えば時短状態（低確高ベース状態）や確変状態（高確高ベース状態）といった、普通可変入賞球装置６Ｂが形成する第２始動入賞口に遊技球が進入しやすい遊技状態において、賞球を得ることが困難な小当り遊技状態の頻発を回避して、遊技の間延びによる遊技興趣の低下を防止できる。なお、第２特図表示結果決定テーブル１３０Ｂにおいても、第１特図表示結果決定テーブル１３０Ａにおける設定とは異なる所定範囲の決定値が、「小当り」の特図表示結果に割り当てられるようにしてもよい。例えば、第２特図表示結果決定テーブル１３０Ｂでは、第１特図表示結果決定テーブル１３０Ａに比べて少ない決定値が、「小当り」の特図表示結果に割り当てられてもよい。こうして、時短状態や確変状態といった高ベース状態であるときには、通常状態や時短なし確変状態といった低ベース状態であるときよりも、小当り遊技状態に制御すると決定される割合が低くなるようにしてもよい。あるいは、第１開始条件と第２開始条件のいずれが成立したかにかかわらず、共通の特図表示結果決定テーブルを参照して、特図表示結果の決定を行うようにしてもよい。
【０１１８】
図８は、ＲＯＭ１０１に記憶される大当り種別決定テーブル１３１の構成例を示している。大当り種別決定テーブル１３１は、特図表示結果を「大当り」として大当り遊技状態に制御すると決定されたときに、大当り種別決定用の乱数値ＭＲ２に基づき、大当り種別を複数種類のいずれかに決定するために参照されるテーブルである。大当り種別決定テーブル１３１では、特図ゲームにおいて変動表示（変動）が行われた特別図柄が第１特図（第１特別図柄表示装置４Ａによる特図ゲーム）であるか第２特図（第２特別図柄表示装置４Ｂによる特図ゲーム）であるかに応じて、大当り種別決定用の乱数値ＭＲ２と比較される数値（決定値）が、「非確変」や「確変」、「突確」といった複数種類の大当り種別に割り当てられている。
【０１１９】
大当り種別決定テーブル１３１の設定例では、変動特図が第１特図であるか第２特図であるかに応じて、「突確」の大当り種別に対する決定値の割当てが異なっている。すなわち、変動特図が第１特図である場合には、所定範囲の決定値（「８２」〜「９９」の範囲の値）が「突確」の大当り種別に割り当てられる一方で、変動特図が第２特図である場合には、「突確」の大当り種別に対して決定値が割り当てられていない。このような設定により、第１特別図柄表示装置４Ａによる第１特図を用いた特図ゲームを開始するための第１開始条件が成立したことに基づいて大当り種別を複数種類のいずれかに決定する場合と、第２特別図柄表示装置４Ｂによる第２特図を用いた特図ゲームを開始するための第２開始条件が成立したことに基づいて大当り種別を複数種類のいずれかに決定する場合とで、大当り種別を「突確」に決定する割合を、異ならせることができる。特に、第２特図を用いた特図ゲームでは大当り種別を「突確」として短期開放大当り状態に制御すると決定されることがないので、例えば時短制御に伴う高開放制御により、普通可変入賞球装置６Ｂが形成する第２始動入賞口に遊技球が進入しやすい遊技状態において、賞球を得ることが困難な短期開放大当り状態の頻発を回避して、遊技の間延びによる遊技興趣の低下を防止できる。
【０１２０】
なお、変動特図が第２特図である場合にも、変動特図が第１特図である場合とは異なる所定範囲の決定値が、「突確」の大当り種別に割り当てられるようにしてもよい。例えば、変動特図が第２特図である場合には、変動特図が第１特図である場合に比べて少ない決定値が、「突確」の大当り種別に割り当てられてもよい。あるいは、変動特図が第１特図であるか第２特図であるかにかかわらず、共通のテーブルデータを参照して、大当り種別の決定を行うようにしてもよい。
【０１２１】
図９及び図１０は、ＲＯＭ１０１に記憶される変動パターン種別決定テーブルの構成例を示している。本実施例では、変動パターン種別決定テーブルとして、図９（Ａ）に示す大当り変動パターン種別決定テーブル１３２Ａと、図９（Ｂ）に示す小当り変動パターン種別決定テーブル１３２Ｂと、図１０（Ａ）に示すハズレ変動パターン種別決定テーブル（通常時）１３３Ａと、図１０（Ｂ）に示すハズレ変動パターン種別決定テーブル（時短制御中）１３３Ｂとが、予め用意されている。
【０１２２】
大当り変動パターン種別決定テーブル１３２Ａは、特図表示結果を「大当り」にすると決定（事前決定）されたときに、大当り種別の決定結果に応じて、変動パターン種別を、変動パターン種別決定用の乱数値ＭＲ３に基づいて、複数種類のうちのいずれかに決定するために参照されるテーブルである。大当り変動パターン種別決定テーブル１３２Ａでは、大当り種別の決定結果が「非確変」や「確変」、「突確」のいずれであるかに応じて、変動パターン種別決定用の乱数値ＭＲ３と比較される数値（決定値）が、変動パターン種別ＣＡ３−１〜変動パターン種別ＣＡ３−３、変動パターン種別ＣＡ４−１及び変動パターン種別ＣＡ４−２のいずれかに割り当てられている。
【０１２３】
大当り変動パターン種別決定テーブル１３２Ａでは、大当り種別が複数種類のいずれに決定されたかに応じて、各変動パターン種別に決定される割合が異なるように、決定値が各変動パターン種別に割り当てられている部分がある。例えば、大当り種別が「非確変」であるか「確変」であるかに応じて、変動パターン種別ＣＡ３−１〜変動パターン種別ＣＡ３−３に対する決定値の割当てが異なっている。これにより、大当り種別を複数種類のいずれにするかの決定結果に応じて、同一の変動パターン種別に決定される割合を異ならせることができる。
【０１２４】
また、大当り変動パターン種別決定テーブル１３２Ａでは、大当り種別が複数種類のいずれに決定されたかに応じて、異なる変動パターン種別に決定値が割り当てられている部分がある。例えば、大当り種別が「非確変」又は「確変」である場合には、変動パターン種別ＣＡ３−１〜変動パターン種別ＣＡ３−３に対して決定値が割り当てられている一方で、変動パターン種別ＣＡ４−１及び変動パターン種別ＣＡ４−２に対しては決定値が割り当てられていない。これに対して、大当り種別が「突確」である場合には、変動パターン種別ＣＡ４−１及び変動パターン種別ＣＡ４−２に対して決定値が割り当てられている一方で、変動パターン種別ＣＡ３−１〜変動パターン種別ＣＡ３−３に対しては決定値が割り当てられていない。これにより、特図表示結果が「大当り」で大当り種別が「突確」に応じて短期開放大当り状態に制御される場合には、通常開放大当り状態に制御される場合とは異なる変動パターン種別に決定することができる。
【０１２５】
なお、大当り種別が「非確変」や「確変」、「突確」のいずれかに決定された場合に、パチンコ遊技機１における遊技状態が通常状態や確変状態、時短状態のいずれであるかに応じて、各変動パターン種別に対する決定値の割当てを異ならせるようにしてもよい。これにより、遊技状態が複数種類のいずれであるかに応じて、同一の変動パターン種別に決定される割合を異ならせることができる。また、大当り種別が「非確変」や「確変」、「突確」のいずれかに決定された場合に、パチンコ遊技機１における遊技状態が通常状態や確変状態、時短状態のいずれであるかに応じて、異なる変動パターン種別に決定値が割り当てられるようにしてもよい。これにより、遊技状態が複数種類のいずれであるかに応じて、異なる変動パターン種別に決定することができる。
【０１２６】
ハズレ変動パターン種別決定テーブル（通常時）１３３Ａと、ハズレ変動パターン種別決定テーブル（時短制御中）１３３Ｂは、特図表示結果を「ハズレ」にすると決定（事前決定）されたときに、変動パターン種別を、変動パターン種別決定用の乱数値ＭＲ３に基づいて、複数種類のうちのいずれかに決定するために参照されるテーブルである。ここで、ハズレ変動パターン種別決定テーブル（通常時）１３３Ａは、例えば遊技状態が通常状態であるときに使用テーブルとして選択される。これに対して、ハズレ変動パターン種別決定テーブル（時短制御中）１３３Ｂは、例えば遊技状態が確変状態や時短状態であるときに、時短制御が行われていることに対応する使用テーブルとして選択される。
【０１２７】
ハズレ変動パターン種別決定テーブル（通常時）１３３Ａとハズレ変動パターン種別決定テーブル（時短制御中）１３３Ｂとでは、互いに各変動パターン種別に決定される割合が異なるように、決定値が各変動パターン種別に割り当てられている部分がある。これにより、遊技状態が通常状態であるか確変状態や時短状態において時短制御中であるかに応じて、同一の変動パターン種別に決定される割合を異ならせることができる。ハズレ変動パターン種別決定テーブル（通常時）１３３Ａとハズレ変動パターン種別決定テーブル（時短制御中）１３３Ｂとでは、異なる変動パターン種別に決定値が割り当てられている部分がある。これにより、遊技状態が通常状態であるか確変状態や時短状態において時短制御中であるかに応じて、異なる変動パターン種別に決定することができる。
【０１２８】
図１１は、ＲＯＭ１０１に記憶される変動パターン決定テーブル１３４の構成例を示している。変動パターン決定テーブル１３４は、変動パターン種別の決定結果に応じて、変動パターン決定用の乱数値ＭＲ４に基づき、変動パターンを複数種類のうちのいずれかに決定するために参照されるテーブルである。変動パターン決定テーブル１３４では、変動パターン種別に応じて、変動パターン決定用の乱数値ＭＲ４と比較される数値（決定値）が、単一または複数の変動パターンに割り当てられている。
【０１２９】
図２に示す遊技制御用マイクロコンピュータ１００が備えるＲＡＭ１０２は、その一部または全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部または全部の内容は保存される。特に、少なくとも、遊技状態すなわち遊技制御手段の制御状態に応じたデータ（特図プロセスフラグなど）と未払出賞球数を示すデータは、バックアップＲＡＭに保存されるようにすればよい。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。
【０１３０】
このようなＲＡＭ１０２には、パチンコ遊技機１における遊技の進行などを制御するために用いられる各種のデータを保持する領域として、例えば図１２に示すような遊技制御用データ保持エリア１５０が設けられている。図１２に示す遊技制御用データ保持エリア１５０は、第１特図保留記憶部１５１Ａと、第２特図保留記憶部１５１Ｂと、普図保留記憶部１５１Ｃと、遊技制御フラグ設定部１５２と、遊技制御タイマ設定部１５３と、遊技制御カウンタ設定部１５４と、遊技制御バッファ設定部１５５とを備えている。
【０１３１】
第１特図保留記憶部１５１Ａは、普通入賞球装置６Ａが形成する第１始動入賞口を遊技球が通過（進入）して始動入賞（第１始動入賞）が発生したものの未だ開始されていない特図ゲーム（第１特別図柄表示装置４Ａにおける第１特図を用いた特図ゲーム）の保留データを記憶する。一例として、第１特図保留記憶部１５１Ａは、第１始動入賞口への入賞順（遊技球の検出順）に保留番号と関連付けて、その遊技球の通過（進入）における第１始動条件の成立に基づいてＣＰＵ１０３により乱数回路１０４等から抽出された特図表示結果決定用の乱数値ＭＲ１や大当り種別決定用の乱数値ＭＲ２、変動パターン種別決定用の乱数値ＭＲ３を示す数値データなどを保留データとして、その記憶数が所定の上限値（例えば「４」）に達するまで記憶する。こうして第１特図保留記憶部１５１Ａに記憶された保留データは、第１特図を用いた特図ゲームの実行が保留されていることを示し、この特図ゲームにおける変動表示結果（特図表示結果）に基づき所定の遊技価値が付与されるか否かなどを判定可能にする保留情報となる。
【０１３２】
第２特図保留記憶部１５１Ｂは、普通可変入賞球装置６Ｂが形成する第２始動入賞口を遊技球が通過（進入）して始動入賞（第２始動入賞）が発生したものの未だ開始されていない特図ゲーム（第２特別図柄表示装置４Ｂにおける第２特図を用いた特図ゲーム）の保留データを記憶する。一例として、第２特図保留記憶部１５１Ｂは、第２始動入賞口への入賞順（遊技球の検出順）に保留番号と関連付けて、その遊技球の通過（進入）における第２始動条件の成立に基づいてＣＰＵ１０３により乱数回路１０４等から抽出された特図表示結果決定用の乱数値ＭＲ１や大当り種別決定用の乱数値ＭＲ２、変動パターン種別決定用の乱数値ＭＲ３を示す数値データなどを保留データとして、その数が所定の上限値（例えば「４」）に達するまで記憶する。こうして第２特図保留記憶部１５１Ｂに記憶された保留データは、第２特図を用いた特図ゲームの実行が保留されていることを示し、この特図ゲームにおける変動表示結果（特図表示結果）に基づき所定の遊技価値が付与されるか否かなどを判定可能にする保留情報となる。
【０１３３】
なお、第１始動入賞口を遊技球が通過（進入）したことによる第１始動条件の成立に基づく保留情報（第１保留情報）と、第２始動入賞口を遊技球が通過（進入）したことによる第２始動入賞の成立に基づく保留情報（第２保留情報）とを、共通の保留記憶部にて保留番号と対応付けて記憶するようにしてもよい。この場合には、第１始動入賞口と第２始動入賞口のいずれを遊技球が通過（進入）したかを示す始動口データを保留情報に含め、保留番号と対応付けて記憶させればよい。
【０１３４】
普図保留記憶部１５１Ｃは、通過ゲート４１を通過した遊技球がゲートスイッチ２１によって検出されたにもかかわらず、未だ普通図柄表示器２０により開始されていない普図ゲームの保留情報を記憶する。例えば、普図保留記憶部１５１Ｃは、遊技球が通過ゲート４１を通過した順に保留番号と対応付けて、その遊技球の通過に基づいてＣＰＵ１０３により乱数回路１０４等から抽出された普図表示結果決定用の乱数値ＭＲ５を示す数値データなどを保留データとして、その数が所定の上限値（例えば「４」）に達するまで記憶する。
【０１３５】
遊技制御フラグ設定部１５２には、パチンコ遊技機１における遊技の進行状況などに応じて状態を更新可能な複数種類のフラグが設けられている。例えば、遊技制御フラグ設定部１５２には、複数種類のフラグそれぞれについて、フラグの値を示すデータや、オン状態あるいはオフ状態を示すデータが記憶される。
【０１３６】
遊技制御タイマ設定部１５３には、パチンコ遊技機１における遊技の進行を制御するために用いられる各種のタイマが設けられている。例えば、遊技制御タイマ設定部１５３には、複数種類のタイマそれぞれにおけるタイマ値を示すデータが記憶される。
【０１３７】
遊技制御カウンタ設定部１５４には、パチンコ遊技機１における遊技の進行を制御するために用いられるカウント値を計数するためのカウンタが複数種類設けられている。例えば、遊技制御カウンタ設定部１５４には、複数種類のカウンタそれぞれにおけるカウント値を示すデータが記憶される。ここで、遊技制御カウンタ設定部１５４には、遊技用乱数の一部または全部をＣＰＵ１０３がソフトウェアにより更新可能にカウントするためのランダムカウンタが設けられてもよい。
【０１３８】
例えば、遊技制御カウンタ設定部１５４のランダムカウンタには、乱数値ＭＲ２〜ＭＲ５を示す数値データが、ランダムカウント値として記憶され、ＣＰＵ１０３によるソフトウェアの実行に応じて、定期的あるいは不定期に、各乱数値を示す数値データが更新される。ＣＰＵ１０３がランダムカウント値を更新するために実行するソフトウェアは、ランダムカウント値を乱数回路１０４における数値データの更新動作とは別個に更新するためのものであってもよいし、乱数回路１０４から抽出された数値データの全部又は一部にスクランブル処理や演算処理といった所定の処理を施すことによりランダムカウント値を更新するためのものであってもよい。
【０１３９】
遊技制御バッファ設定部１５５には、パチンコ遊技機１における遊技の進行を制御するために用いられるデータを一時的に記憶する各種のバッファが設けられている。例えば、遊技制御バッファ設定部１５５には、複数種類のバッファそれぞれにおけるバッファ値を示すデータが記憶される。
【０１４０】
図２に示す遊技制御用マイクロコンピュータ１００が備えるＩ／Ｏ１０５は、遊技制御用マイクロコンピュータ１００に伝送された各種信号を取り込むための入力ポートと、遊技制御用マイクロコンピュータ１００の外部へと各種信号を伝送するための出力ポートとを含んで構成されている。
【０１４１】
図２に示すように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【０１４２】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【０１４３】
演出制御用ＣＰＵ１２０、ＲＯＭ１２１、ＲＡＭ１２２は、演出制御基板１２に搭載された１チップの演出制御用マイクロコンピュータに含まれてもよい。
【０１４４】
演出制御基板１２には、演出表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線などが接続されている。
【０１４５】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。
【０１４６】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。
【０１４７】
一例として、ＲＯＭ１２１には、演出制御用ＣＰＵ１２０が各種の演出装置（例えば演出表示装置５やスピーカ８Ｌ、８Ｒ、遊技効果ランプ９及び装飾用ＬＥＤ、演出用模型など）による演出動作を制御するために使用する演出制御パターンを複数種類格納した演出制御パターンテーブルが記憶されている。演出制御パターンは、パチンコ遊技機１における遊技の進行状況に応じて実行される各種の演出動作に対応して、その制御内容を示すデータなどから構成されている。演出制御パターンテーブルには、例えば特図変動時演出制御パターンと、予告演出制御パターンと、各種演出制御パターン等が、格納されていればよい。
【０１４８】
特図変動時演出制御パターンは、複数種類の変動パターンに対応して、特図ゲームにおいて特別図柄の変動が開始されてから特図表示結果となる確定特別図柄が導出表示されるまでの期間における、演出図柄の変動表示動作やリーチ演出、再抽選演出などにおける演出表示動作、あるいは、演出図柄の変動表示を伴わない各種の演出表示動作といった、様々な演出動作の制御内容を示すデータなどから構成されている。予告演出制御パターンは、例えば、予め複数パターンが用意された予告パターンに対応して実行される予告演出となる演出動作の制御内容を示すデータなどから構成されている。各種演出制御パターンは、パチンコ遊技機１における遊技の進行状況に応じて実行される各種の演出動作に対応して、その制御内容を示すデータなどから構成されている。
【０１４９】
特図変動時演出制御パターンのうちには、例えばリーチ演出を実行する変動パターンごとに、それぞれのリーチ演出における演出態様を異ならせた複数種類のリーチ演出制御パターンが含まれてもよい。
【０１５０】
図２に示す演出制御基板１２に搭載されたＲＡＭ１２２には、演出動作を制御するために用いられる各種データを保持する領域として、例えば図１３（Ａ）に示すような演出制御用データ保持エリア１９０が設けられている。図１３（Ａ）に示す演出制御用データ保持エリア１９０は、演出制御フラグ設定部１９１と、演出制御タイマ設定部１９２と、演出制御カウンタ設定部１９３と、演出制御バッファ設定部１９４とを備えている。
【０１５１】
演出制御フラグ設定部１９１には、例えば演出表示装置５の画面上における演出画像の表示状態などといった演出動作状態や主基板１１から伝送された演出制御コマンド等に応じて状態を更新可能な複数種類のフラグが設けられている。例えば、演出制御フラグ設定部１９１には、複数種類のフラグそれぞれについて、フラグの値を示すデータや、オン状態あるいはオフ状態を示すデータが記憶される。
【０１５２】
演出制御タイマ設定部１９２には、例えば演出表示装置５の画面上における演出画像の表示動作などといった各種演出動作の進行を制御するために用いられる複数種類のタイマが設けられている。例えば、演出制御タイマ設定部１９２には、複数種類のタイマそれぞれにおけるタイマ値を示すデータが記憶される。
【０１５３】
演出制御カウンタ設定部１９３には、各種演出動作の進行を制御するために用いられる複数種類のカウンタが設けられている。例えば、演出制御カウンタ設定部１９３には、複数種類のカウンタそれぞれにおけるカウント値を示すデータが記憶される。
【０１５４】
演出制御バッファ設定部１９４には、各種演出動作の進行を制御するために用いられるデータを一時的に記憶する各種のバッファが設けられている。例えば、演出制御バッファ設定部１９４には、複数種類のバッファそれぞれにおけるバッファ値を示すデータが記憶される。
【０１５５】
本実施例では、図１３（Ｂ）に示すような始動入賞時受信コマンドバッファ１９４Ａを構成するデータが、演出制御バッファ設定部１９４の所定領域に記憶される。始動入賞時受信コマンドバッファ１９４Ａには、第１特図保留記憶の合計保留記憶数の最大値（例えば「４」）に対応した格納領域（バッファ番号「１」〜「４」に対応した領域）と、変動表示中の第１特図保留記憶に対応した格納領域（バッファ番号「０」に対応した領域）とが設けられている。また、始動入賞時受信コマンドバッファ１９４Ａには、第２特図保留記憶の合計保留記憶数の最大値（例えば「４」）に対応した格納領域（バッファ番号「１」〜「４」に対応した領域）と、変動表示中の第２特図保留記憶に対応した格納領域（バッファ番号「０」に対応した領域）とが設けられている。第１始動入賞口や第２始動入賞口への始動入賞があったときには、始動口入賞指定コマンド（第１始動口入賞指定コマンドまたは第２始動口入賞指定コマンド）や図柄指定コマンド、変動カテゴリコマンド、および保留記憶数通知コマンド（第１保留記憶数通知コマンドまたは第２保留記憶数通知コマンド）という４つのコマンドを１セットして、主基板１１から演出制御基板１２へと送信される。始動入賞時受信コマンドバッファ１９４Ａにおける第１特図保留記憶に対応した格納領域と第１特図保留記憶に対応した格納領域は、これらの始動口入賞指定コマンド、図柄指定コマンド、変動カテゴリコマンド、保留記憶数通知コマンドを対応付けて、第１特図保留記憶と第２特図保留記憶とに分けて格納できるように確保されており、変動表示中の第１特図保留記憶に対応した格納領域と変動表示中の第２特図保留記憶に対応した格納領域は、始動口入賞指定コマンド、図柄指定コマンド、変動カテゴリコマンドを対応付けて、第１特図保留記憶と第２特図保留記憶とに分けて格納できるように確保されている。
【０１５６】
更に、本実施例の始動入賞時受信コマンドバッファ１９４Ａには、後述する先読み予告演出決定処理（図２３〜図２４参照）において演出図柄の変動表示中に演出表示装置５に３つのプレゼントボックスが表示され、遊技者のプッシュボタン３１Ｂの押下操作によってこれらプレゼントボックスが大当りの期待度を示す表示画像や、該パチンコ遊技機１における演出態様を変更するために必要なポイントの獲得を示す表示画像に表示態様が変更されるプレゼントボックス表示予告演出の実行が決定された際に、プレゼントボックスの表示態様をプッシュボタン３１Ｂの押下操作により変更するターゲット変動であることを示すターゲット変動フラグと、プレゼントボックスの表示態様をプッシュボタン３１Ｂの押下操作により変更するターゲット変動を含む複数の変動表示に亘って各変動表示においてプレゼントボックスを表示することを示すプレゼントボックス表示フラグと、が第１特図保留記憶に対応する各バッファ番号に対応付けて格納できるように記憶領域が確保されている。尚、プレゼントボックス表示フラグは、「０」〜「２」の値を取り、これら「０」〜「２」の値は、セットされている変動表示において表示されるプレゼントボックス数を示している。つまり、本実施例のプレゼントボックス表示予告演出では、合計３個のプレゼントボックスの表示を、必ず複数回の変動表示に亘って実行するようになっている。
【０１５７】
演出制御用ＣＰＵ１２０は、第１始動入賞口への始動入賞時には、コマンドを始動入賞時受信コマンドバッファ１９４Ａの第１特図保留記憶に対応する空きエントリにおける先頭（バッファ番号の最も若いエントリ）から格納していき、第２始動入賞口への始動入賞時には、コマンドを始動入賞時受信コマンドバッファ１９４Ａの第２特図保留記憶に対応する空きエントリにおける先頭（バッファ番号の最も若いエントリ）から格納していく。始動入賞時には、始動口入賞指定コマンド、図柄指定コマンド、変動カテゴリコマンド、保留記憶数通知コマンドの順にコマンド送信が行われる。したがって、コマンド受信が行われれば、第１特図保留記憶または第２特図保留記憶に対応するバッファ番号「０」〜「４」のそれぞれに対応する格納領域に、始動口入賞指定コマンド、図柄指定コマンド、変動カテゴリコマンド、保留記憶数通知コマンドの順に格納されていくことになる。なお、図１３（Ｂ）では、第１特図保留記憶に対応するバッファ番号「０」〜「３」に対応する格納領域にてコマンドが格納されている。
【０１５８】
図１３（Ｂ）に示す始動入賞時受信コマンドバッファ１９４Ａに格納されているコマンドは、演出図柄の変動表示を開始するごとに、前回の変動表示が終了した保留記憶に対応した格納領域（バッファ番号「０」に対応した領域）に格納されているものから削除され、以降の記憶内容がシフトされる。例えば図１３（Ｂ）に示す格納状態において第１特図保留記憶の演出図柄の変動表示が終了した場合には、バッファ番号「０」に格納されている各コマンドが削除され、バッファ番号「１」に対応した領域にて格納されている各コマンドがバッファ番号「０」に対応した領域にシフトされ、バッファ番号「２」、「３」のそれぞれに対応した領域にて格納されている各コマンドが、バッファ番号「１」、「２」に対応した領域にシフトされる。
【０１５９】
始動入賞時受信コマンドバッファ１９４Ａに格納される始動入賞時のコマンド（始動口入賞指定コマンド、図柄指定コマンド、変動カテゴリコマンドおよび保留記憶数通知コマンド）に基づいて、後述する保留表示予告演出を実行するか否かや、実行する場合における保留表示予告パターン、プレゼントボックス表示予告演出を実行するか否かや、実行する場合におけるプレゼントボックスの表示変更態様が決定される。
【０１６０】
また、本実施例のＲＡＭ１２２の所定領域には、図２９に示すように、後述する先読み予告演出決定処理においてプレゼントボックス表示予告演出の実行が決定された場合に、プレゼントボックスの表示変更態様を表示レベル（後述）順に記憶するプレゼントボックス表示変更態様記憶テーブルと、図３０に示すように、パチンコ遊技機１の遊技において獲得したポイント数を獲得ポイント数として記憶する獲得ポイント数記憶テーブルと、が設定されている。
【０１６１】
次に、本実施例におけるパチンコ遊技機１の動作（作用）を説明する。
【０１６２】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０１がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【０１６３】
こうした遊技制御メイン処理を実行したＣＰＵ１０３は、ＣＴＣからの割込み要求信号を受信して割込み要求を受け付けると、図１４のフローチャートに示す遊技制御用タイマ割込み処理を実行する。図１４に示す遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する（ステップＳ１１）。続いて、所定のメイン側エラー処理を実行することにより、パチンコ遊技機１の異常診断を行い、その診断結果に応じて必要ならば警告を発生可能とする（ステップＳ１２）。この後、所定の情報出力処理を実行することにより、例えばパチンコ遊技機１の外部に設置されたホール管理用コンピュータに供給される大当り情報、始動情報、確率変動情報などのデータを出力する（ステップＳ１３）。
【０１６４】
情報出力処理に続いて、主基板１１の側で用いられる乱数値ＭＲ１〜ＭＲ５といった遊技用乱数の少なくとも一部をソフトウェアにより更新するための遊技用乱数更新処理を実行する（ステップＳ１４）。この後、ＣＰＵ１０３は、特別図柄プロセス処理を実行する（ステップＳ１５）。特別図柄プロセス処理では、遊技制御フラグ設定部１５２に設けられた特図プロセスフラグの値をパチンコ遊技機１における遊技の進行状況に応じて更新し、第１特別図柄表示装置４Ａや第２特別図柄表示装置４Ｂにおける表示動作の制御や、特別可変入賞球装置７における大入賞口の開閉動作設定などを、所定の手順で行うために、各種の処理が選択されて実行される。
【０１６５】
特別図柄プロセス処理に続いて、普通図柄プロセス処理が実行される（ステップＳ１６）。ＣＰＵ１０３は、普通図柄プロセス処理を実行することにより、普通図柄表示器２０における表示動作（例えばセグメントＬＥＤの点灯、消灯など）を制御して、普通図柄の変動表示や普通可変入賞球装置６Ｂにおける可動翼片の傾動動作設定などを可能にする。
【０１６６】
普通図柄プロセス処理を実行した後、ＣＰＵ１０３は、コマンド制御処理を実行することにより、主基板１１から演出制御基板１２などのサブ側の制御基板に対して制御コマンドを伝送させる（ステップＳ１７）。一例として、コマンド制御処理では、遊技制御バッファ設定部１５５に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理を実行した後には、割込み許可状態に設定してから、遊技制御用タイマ割込み処理を終了する。
【０１６７】
図１５は、特別図柄プロセス処理として、図１４に示すステップＳ１５にて実行される処理の一例を示すフローチャートである。この特別図柄プロセス処理において、ＣＰＵ１０３は、まず、始動入賞判定処理を実行する（ステップＳ１０１）。図１６は、始動入賞判定処理として、図１５のステップＳ１０１にて実行される処理の一例を示すフローチャートである。
【０１６８】
図１６に示す始動入賞判定処理において、ＣＰＵ１０３は、まず、普通入賞球装置６Ａが形成する第１始動入賞口に対応して設けられた第１始動口スイッチ２２Ａからの検出信号に基づき、第１始動口スイッチ２２Ａがオンであるか否かを判定する（ステップＳ２０１）。このとき、第１始動口スイッチ２２Ａがオンであれば（ステップＳ２０１；Ｙｅｓ）、第１特図を用いた特図ゲームの保留記憶数である第１特図保留記憶数が、所定の上限値（例えば上限記憶数としての「４」）となっているか否かを判定する（ステップＳ２０２）。ＣＰＵ１０３は、例えば遊技制御カウンタ設定部１５４に設けられた第１保留記憶数カウンタの格納値である第１保留記憶数カウント値を読み取ることにより、第１特図保留記憶数を特定できればよい。ステップＳ２０２にて第１特図保留記憶数が上限値ではないときには（ステップＳ２０２；Ｎｏ）、例えば遊技制御バッファ設定部１５５に設けられた始動口バッファの格納値を、「１」に設定する（ステップＳ２０３）。
【０１６９】
ステップＳ２０１にて第１始動口スイッチ２２Ａがオフであるときや（ステップＳ２０１；Ｎｏ）、ステップＳ２０２にて第１特図保留記憶数が上限値に達しているときには（ステップＳ２０２；Ｙｅｓ）、普通可変入賞球装置６Ｂが形成する第２始動入賞口に対応して設けられた第２始動口スイッチ２２Ｂからの検出信号に基づき、第２始動口スイッチ２２Ｂがオンであるか否かを判定する（ステップＳ２０４）。このとき、第２始動口スイッチ２２Ｂがオンであれば（ステップＳ２０４；Ｙｅｓ）、第２特図を用いた特図ゲームの保留記憶数である第２特図保留記憶数が、所定の上限値（例えば上限記憶数としての「４」）となっているか否かを判定する（ステップＳ２０５）。ＣＰＵ１０３は、例えば遊技制御カウンタ設定部１５４に設けられた第２保留記憶数カウンタの格納値である第２保留記憶数カウント値を読み取ることにより、第２特図保留記憶数を特定できればよい。ステップＳ２０５にて第２特図保留記憶数が上限値ではないときには（ステップＳ２０５；Ｎｏ）、例えば遊技制御バッファ設定部１５５に設けられた始動口バッファの格納値を、「２」に設定する（ステップＳ２０６）。
【０１７０】
ステップＳ２０３、Ｓ２０６の処理のいずれかを実行した後には、始動口バッファの格納値である始動口バッファ値に応じた特図保留記憶数を１加算するように更新する（ステップＳ２０７）。例えば、始動口バッファ値が「１」であるときには第１保留記憶数カウント値を１加算する一方で、始動口バッファ値が「２」であるときには第２保留記憶数カウント値を１加算する。こうして、第１保留記憶数カウント値は、第１始動入賞口を遊技球が通過（進入）して第１特図を用いた特図ゲームに対応した第１始動条件が成立したときに、１増加するように更新される。また、第２保留記憶数カウント値は、第２始動入賞口を遊技球が通過（進入）して第２特図を用いた特図ゲームに対応した第２始動条件が成立したときに、１増加するように更新される。このときには、合計保留記憶数も１加算するように更新する（ステップＳ２０８）。例えば、遊技制御カウンタ設定部１５４に設けられた合計保留記憶数カウンタの格納値である合計保留記憶数カウント値を、１加算するように更新すればよい。
【０１７１】
ステップＳ２０８の処理を実行した後に、ＣＰＵ１０３は、乱数回路１０４や遊技制御カウンタ設定部１５４のランダムカウンタによって更新されている数値データのうちから、特図表示結果決定用の乱数値ＭＲ１や大当り種別決定用の乱数値ＭＲ２、変動パターン種別決定用の乱数値ＭＲ３を示す数値データを、抽出する（ステップＳ２０９）。こうして抽出した各乱数値を示す数値データは、始動口バッファ値に応じた特図保留記憶部における空きエントリの先頭に、保留情報としてセットされることで記憶される（ステップＳ２１０）。例えば、始動口バッファ値が「１」であるときには、第１特図保留記憶部１５１Ａに乱数値ＭＲ１〜ＭＲ３を示す数値データが格納される一方、始動口バッファ値が「２」であるときには、第２特図保留記憶部１５１Ｂに乱数値ＭＲ１〜ＭＲ３を示す数値データが格納される。
【０１７２】
特図表示結果決定用の乱数値ＭＲ１や大当り種別決定用の乱数値ＭＲ２を示す数値データは、特別図柄や演出図柄の変動表示結果を「大当り」または「小当り」とするか否か、さらには変動表示結果を「大当り」とする場合の大当り種別を決定するために用いられる。変動パターン種別決定用の乱数値ＭＲ３は、特別図柄や演出図柄の変動表示時間を含む変動パターンが属する変動パターン種別を決定するために用いられる。ＣＰＵ１０３は、ステップＳ２０９の処理を実行することにより、特別図柄や演出図柄の変動表示結果や変動表示時間を含む変動表示態様の決定に用いられる乱数値のうち、一部または全部を示す数値データを抽出する。
【０１７３】
ステップＳ２１０の処理に続いて、始動口バッファ値に応じた始動口入賞指定コマンドの送信設定が行われる（ステップＳ２１１）。例えば、始動口バッファ値が「１」であるときにはＲＯＭ１０１における第１始動口入賞指定コマンドテーブルの記憶アドレスを送信コマンドバッファにおいて送信コマンドポインタにより指定されたバッファ領域に格納することなどにより、演出制御基板１２に対して第１始動口入賞指定コマンドを送信するための設定を行う。これに対して、始動口バッファ値が「２」であるときにはＲＯＭ１０１における第２始動口入賞指定コマンドテーブルの記憶アドレスを送信コマンドバッファのバッファ領域に格納することなどにより、演出制御基板１２に対して第２始動口入賞指定コマンドを送信するための設定を行う。こうして設定された始動口入賞指定コマンドは、例えば特別図柄プロセス処理が終了した後、図１４に示すステップＳ１７のコマンド制御処理が実行されることなどにより、主基板１１から演出制御基板１２に対して伝送される。
【０１７４】
ステップＳ２１１の処理に続いて、入賞時乱数値判定処理を実行する（ステップＳ２１２）。その後、例えばＲＯＭ１０１における保留記憶数通知コマンドテーブルの記憶アドレスを送信コマンドバッファにおいて送信コマンドポインタによって指定されたバッファ領域に格納することなどにより、演出制御基板１２に対して保留記憶数通知コマンドを送信するための設定を行う（ステップＳ２１３）。こうして設定された保留記憶数通知コマンドは、例えば特別図柄プロセス処理が終了した後、図１４に示すステップＳ１７のコマンド制御処理が実行されることなどにより、主基板１１から演出制御基板１２に対して伝送される。
【０１７５】
ステップＳ２１３の処理を実行した後には、始動口バッファ値が「１」であるか否かを判定する（ステップＳ２１４）。このとき、始動口バッファ値が「１」であれば（ステップＳ２１４でＹ）始動口バッファをクリアして、その格納値を「０」に初期化してから（ステップＳ２１５）、ステップＳ２０４の処理に進む。これに対して、始動口バッファ値が「２」であるときには（ステップＳ２１４でＮ）、始動口バッファをクリアして、その格納値を「０」に初期化してから（ステップＳ２１６）、始動入賞判定処理を終了する。これにより、第１始動口スイッチ２２Ａと第２始動口スイッチ２２Ｂの双方が同時に有効な遊技球の始動入賞を検出した場合でも、確実に双方の有効な始動入賞の検出に基づく処理を完了できる。
【０１７６】
図１７（Ａ）は、入賞時乱数値判定処理として、図１６のステップＳ２１２にて実行される処理の一例を示すフローチャートである。本実施例において、特別図柄や演出図柄の変動表示が開始されるときには、後述する特別図柄通常処理（図１５のステップＳ１１０、図１８）により、特図表示結果（特別図柄の変動表示結果）を「大当り」や「小当り」として大当り遊技状態や小当り遊技状態に制御するか否かの決定が行われる。また、後述する変動パターン設定処理（図１５のステップＳ１１１、図１９）において、演出図柄の変動表示態様を抽象的に分類した変動パターン種別の決定や、演出図柄の変動表示態様を具体的に規定する変動パターンの決定などが行われる。他方、これらの決定とは別に、遊技球が始動入賞口（第１始動入賞口または第２始動入賞口）にて検出されたタイミングで、ＣＰＵ１０３がステップＳ２１２の入賞時乱数値判定処理を実行することにより、特図表示結果として大当り図柄や小当り図柄を導出表示すると決定される乱数値ＭＲ１であるか否かの判定や、演出図柄の変動表示態様がスーパーリーチを伴う所定表示態様となるか否かの判定などを行う。これにより、始動入賞口に進入した遊技球の検出に基づく特別図柄や演出図柄の変動表示が開始されるより前に、特図表示結果が「大当り」や「小当り」となることや、演出図柄の変動表示態様が所定表示態様であるスーパーリーチの表示態様となることを予測し、この予測結果に基づいて、演出制御基板１２の側で演出制御用ＣＰＵ１２０などにより、後述するように、先読み予告演出であるプレゼントボックス表示予告演出を実行するか否かを、決定することができる。
【０１７７】
図１７（Ａ）に示す入賞時乱数値判定処理において、ＣＰＵ１０３は、まず、例えば遊技制御フラグ設定部１５２などに設けられた時短フラグや確変フラグの状態を確認することなどにより、パチンコ遊技機１における現在の遊技状態を特定する（ステップＳ４０１）。ＣＰＵ１０３は、確変フラグがオンであるときには確変状態であることを特定し、確変フラグがオフで時短フラグがオンであるときには時短状態であることを特定し、確変フラグと時短フラグがともにオフであるときには通常状態であることを特定すればよい。
【０１７８】
ステップＳ４０１の処理に続いて、第１特図表示結果決定テーブル１３０Ａまたは第２特図表示結果決定テーブル１３０Ｂを構成するテーブルデータから、始動口バッファ値（「１」または「２」）や現在の遊技状態に対応して特図表示結果の決定に用いられる特図表示結果決定用テーブルデータを選択する（ステップＳ４０２）。その後、図１６のステップＳ２０９にて抽出された特図表示結果決定用の乱数値ＭＲ１を示す数値データが所定の大当り判定範囲内であるか否かを判定する（ステップＳ４０３）。大当り判定範囲には、ステップＳ４０２の処理により選択された特図表示結果決定用テーブルデータにおいて「大当り」の特図表示結果に割り当てられた個々の決定値が設定され、ＣＰＵ１０３が乱数値ＭＲ１と各決定値とを逐一比較することにより、乱数値ＭＲ１と合致する決定値の有無を判定できればよい。あるいは、大当り判定範囲に含まれる決定値の最小値（下限値）と最大値（上限値）とを示す数値を設定して、ＣＰＵ１０３が乱数値ＭＲ１と大当り判定範囲の最小値や最大値とを比較することにより、乱数値ＭＲ１が大当り判定範囲の範囲内であるか否かを判定できればよい。このとき、乱数値ＭＲ１が大当り判定範囲の範囲内であると判定されることにより、その乱数値ＭＲ１を含む保留データに基づく変動表示結果が「大当り」に決定されると判定（大当り始動判定）できる。
【０１７９】
ステップＳ４０３にて大当り判定範囲内ではないと判定された場合には（ステップＳ４０３；Ｎｏ）、その乱数値ＭＲ１を示す数値データが所定の小当り判定範囲内であるか否かを判定する（ステップＳ４０４）。ＣＰＵ１０３は、ステップＳ４０２の処理により選択された特図表示結果決定用テーブルデータにおいて「小当り」の特図表示結果に割り当てられた決定値について、大当り判定範囲の場合と同様の処理を実行することにより、乱数値ＭＲ１が小当り判定範囲の範囲内であるか否かを判定できればよい。ステップＳ４０４にて小当り判定範囲内ではないと判定された場合には（ステップＳ４０４；Ｎｏ）、変動表示結果が「ハズレ」となる場合に応じた図柄指定コマンドを、演出制御基板１２に対して送信するための設定を行う（ステップＳ４０５）。一例として、ＣＰＵ１０３は、図柄指定コマンドにおけるＥＸＴデータを「００Ｈ」とするためのコマンドテーブルなどを設定すればよい。
【０１８０】
ステップＳ４０５の処理に続いて、ステップＳ４０１の処理により特定された現在の遊技状態における時短制御の有無に応じて、ハズレ用の変動パターン種別判定閾値を設定する（ステップＳ４０６）。例えば、時短制御が行われていないときには、「７９」、「９９」、「１６９」、「２１９」、「２２９」を、ハズレ用の変動パターン種別判定閾値に設定する。このうち、「７９」は、図１０（Ａ）に示すハズレ変動パターン種別決定テーブル（通常時）１３３Ａにおいて、合計保留記憶数にかかわらず変動パターン種別ＣＡ１−１に決定される乱数値ＭＲ３の上限値となっている。また、「９９」は、合計保留記憶数が「０」または「１」であるときに、変動表示態様が「非リーチ」となる変動パターン種別に決定される乱数値ＭＲ３の上限値となっている。「１９９」は、合計保留記憶数が「２」〜「４」のいずれかであるときに、変動表示態様が「非リーチ」となる変動パターン種別に決定される乱数値ＭＲ３の上限値となっている。「２１９」は、合計保留記憶数が「５」〜「８」のいずれかであるときに、変動表示態様が「非リーチ」となる変動パターン種別に決定される乱数値ＭＲ３の上限値となっている。「２２９」は、合計保留記憶数にかかわらず、スーパーリーチのリーチ演出が実行されない変動パターン種別に決定される乱数値ＭＲ３の上限値となっている。
【０１８１】
尚、時短制御が行われているときには、「１６９」、「１９９」、「２１４」、「２２９」をハズレ用の変動パターン種別判定閾値に設定する。このうち、「１６９」は、図１０（Ｂ）に示すハズレ変動パターン種別決定テーブル（時短制御中）１３３Ｂにおいて、合計保留記憶数が「０」であるときに、変動表示態様が「非リーチ」となる変動パターン種別に決定される乱数値ＭＲ３の上限値となっている。「１９９」は、合計保留記憶数が「１」であるときに、変動表示態様が「非リーチ」となる変動パターン種別に決定される乱数値ＭＲ３の上限値となっている。「２１４」は、合計保留記憶数が「２」〜「８」のいずれかであるときに、変動表示態様が「非リーチ」となる変動パターン種別に決定される乱数値ＭＲ３の上限値となっている。「２２９」は、合計保留記憶数にかかわらず、スーパーリーチのリーチ演出が実行されない変動パターン種別に決定される乱数値ＭＲ３の上限値となっている。
【０１８２】
このように、変動パターン種別判定閾値は、変動パターン種別決定用の乱数値ＭＲ３が含まれる決定値の範囲を特定し、変動パターン種別などに応じて予め設定された複数種類の変動カテゴリのうち、いずれに決定されるかを判定するために設定される判定値となる。この実施例では、図１７（Ｂ）に示すように、少なくとも変動表示結果が「ハズレ」となる場合に、合計保留記憶数にかかわらず共通して「非リーチ」の変動表示態様となる変動カテゴリと、「スーパーリーチ」の変動表示態様となる変動カテゴリと、「非リーチ」と「スーパーリーチ」以外の変動表示態様（例えばノーマルリーチ）となる「その他」の変動カテゴリと、を設け、乱数値ＭＲ３に基づいて、このような変動カテゴリに決定されるか否かを判定できればよい。
【０１８３】
ステップＳ４０４にて小当り判定範囲内であると判定された場合には（ステップＳ４０４；Ｙｅｓ）、変動表示結果が「小当り」となる場合に応じた図柄指定コマンドを、演出制御基板１２に対して送信するための設定を行う（ステップＳ４０７）。一例として、ＣＰＵ１０３は、図柄指定コマンドにおけるＥＸＴデータを「０４Ｈ」とするためのコマンドテーブルなどを設定すればよい。ステップＳ４０７の処理に続いて、小当り用の変動パターン種別判定閾値を設定する（ステップＳ４０８）。例えば、ステップＳ４０８の処理では、「２５１」を小当り用の変動パターン種別判定閾値に設定する。ここで、「２５１」は、変動パターン種別決定用の乱数値ＭＲ３における最大値であり、乱数値ＭＲ３は常に小当り用の変動パターン種別判定閾値以下の値となる。すなわち、変動表示結果が「小当り」となる場合に応じた変動カテゴリは１つのみ設けられて、その変動カテゴリに決定されると判定される。
【０１８４】
ステップＳ４０３にて大当り判定範囲内であると判定された場合には（ステップＳ４０３；Ｙｅｓ）、大当り種別決定用の乱数値ＭＲ２に基づいて、大当り種別を判定する（ステップＳ４０９）。このとき、ＣＰＵ１０３は、始動口バッファ値に対応して特定される変動特図（「１」に対応する「第１特図」または「２」に対応する「第２特図」）に応じて、大当り種別決定テーブル１３１を構成するテーブルデータから大当り種別決定用テーブルデータを選択する。そして、選択した大当り種別決定用テーブルデータを参照することにより、大当り種別が複数種別のいずれに決定されるかを判定する。こうしたステップＳ４０９の処理による判定結果に応じた図柄指定コマンドを、演出制御基板１２に対して送信するための設定が行われる（ステップＳ４１０）。一例として、ステップＳ４０９にて大当り種別が「確変」に決定されると判定した場合には図柄指定コマンドにおけるＥＸＴデータを「０１Ｈ」とし、大当り種別が「非確変」に決定されると判定した場合には図柄指定コマンドにおけるＥＸＴデータを「０２Ｈ」とし、大当り種別が「突確」に決定されると判定した場合には図柄指定コマンドにおけるＥＸＴデータを「０３Ｈ」とするためのコマンドテーブルなどを設定すればよい。ステップＳ４１０の処理に続いて、ステップＳ４０９の処理による判定結果に応じた変動パターン種別判定閾値を設定する（ステップＳ４１１）。
【０１８５】
ステップＳ４０６、Ｓ４０８、Ｓ４１１の処理のいずれかを実行した後には、それぞれの処理にて設定された変動パターン種別判定閾値と、変動パターン種別決定用の乱数値ＭＲ３を示す数値データとを用いて、乱数値ＭＲ３が含まれる決定値の範囲に応じた変動カテゴリを判定する（ステップＳ４１２）。
【０１８６】
なお、ステップＳ４０６、Ｓ４０８、Ｓ４１１の処理により、予め定められた変動パターン種別判定閾値を設定するものに代えて、図９および図１０に示すような変動パターン種別決定テーブルのいずれかを設定して、変動カテゴリとしていずれの変動パターン種別に決定されるかの判定を行うようにしてもよい。その後、ステップＳ４１２の処理による判定結果に応じた変動カテゴリコマンドを、演出制御基板１２に対して送信するための設定を行ってから（ステップＳ４１３）、入賞時乱数値判定処理を終了する。
【０１８７】
図１７（Ａ）に示す入賞時乱数値判定処理では、変動表示結果が「大当り」や「小当り」となる場合でも一律に変動パターン種別決定用の乱数値ＭＲ３が含まれる決定値の範囲となる変動カテゴリの判定を行うようにしている。これに対して、変動表示結果が「大当り」や「小当り」に決定される場合には、変動カテゴリの判定を行わないようにしてもよい。この場合、変動表示結果が「大当り」または「小当り」となることに応じた図柄指定コマンドを送信するとともに、変動表示結果が「大当り」または「小当り」であるときの変動パターン種別となることを包括的に示す変動カテゴリコマンドを送信するようにしてもよい。
【０１８８】
図１６に示す始動入賞判定処理や図１７（Ａ）に示す入賞時乱数値判定処理では、図１６におけるステップＳ２１１の処理を実行した後に、ステップＳ２１２にて図１７（Ａ）に示す入賞時乱数値判定処理が実行されることで、図１７（Ａ）におけるステップＳ４０５、Ｓ４０７、Ｓ４１０、Ｓ４１３の処理を実行し、さらに図１６におけるステップＳ２１４の処理を実行する。これらの処理が実行されてから、図１４に示すステップＳ１７のコマンド制御処理を実行することにより、第１始動入賞口や第２始動入賞口を遊技球が通過（進入）して第１始動条件や第２始動条件が成立したときには、始動口入賞指定コマンド（第１始動口入賞指定コマンドまたは第２始動口入賞指定コマンド）、図柄指定コマンド、変動カテゴリコマンド、保留記憶数通知コマンド（第１保留記憶数通知コマンドまたは第２保留記憶数通知コマンド）という４つのコマンドが１セットとして、１タイマ割込内に一括して送信される。なお、１タイマ割込内に一括して送信されるものに限定されず、タイマ割込毎にステップＳ１７のコマンド制御処理により１つずつコマンドが順次に送信されてもよい。
【０１８９】
図１５のステップＳ１０１にて始動入賞判定処理を実行した後、ＣＰＵ１０３は、遊技制御フラグ設定部１５２に設けられた特図プロセスフラグの値に応じて、ステップＳ１１０〜Ｓ１２０の処理のいずれかを選択して実行する。
【０１９０】
ステップＳ１１０の特別図柄通常処理は、特図プロセスフラグの値が“０”のときに実行される。この特別図柄通常処理では、第１特図保留記憶部１５１Ａや第２特図保留記憶部１５１Ｂに記憶されている保留データの有無などに基づいて、第１特別図柄表示装置４Ａや第２特別図柄表示装置４Ｂによる特図ゲームを開始するか否かの判定が行われる。また、特別図柄通常処理では、特図表示結果決定用の乱数値ＭＲ１を示す数値データに基づき、特別図柄や演出図柄の変動表示結果を「大当り」または「小当り」とするか否かを、その変動表示結果が導出表示される前に決定（事前決定）する。さらに、特別図柄通常処理では、特図ゲームにおける特別図柄の変動表示結果に対応して、第１特別図柄表示装置４Ａや第２特別図柄表示装置４Ｂによる特図ゲームにおける確定特別図柄（大当り図柄や小当り図柄、ハズレ図柄のいずれか）が設定される。特別図柄通常処理では、特別図柄や演出図柄の変動表示結果を事前決定したときに、特図プロセスフラグの値が“１”に更新される。
【０１９１】
ステップＳ１１１の変動パターン設定処理は、特図プロセスフラグの値が“１”のときに実行される。この変動パターン設定処理には、変動表示結果を「大当り」または「小当り」とするか否かの事前決定結果などに基づき、変動パターン種別決定用の乱数値ＭＲ３を示す数値データを用いて変動パターン種別を複数種類のいずれかに決定する処理や、変動パターン種別の決定結果に基づき、変動パターン決定用の乱数値ＭＲ４を示す数値データを用いて変動パターンを複数種類のいずれかに決定する処理などが含まれている。変動パターン設定処理が実行されて特別図柄の変動表示が開始されたときには、特図プロセスフラグの値が“２”に更新される。
【０１９２】
ステップＳ１１０の特別図柄通常処理やステップＳ１１１の変動パターン設定処理により、特別図柄の変動表示結果となる確定特別図柄や特別図柄および演出図柄の変動表示時間を含む変動パターンが決定される。すなわち、特別図柄通常処理や変動パターン設定処理は、特図表示結果決定用の乱数値ＭＲ１、大当り種別決定用の乱数値ＭＲ２、変動パターン種別決定用の乱数値ＭＲ３、変動パターン決定用の乱数値ＭＲ４を用いて、特別図柄や演出図柄の変動表示態様を決定する処理を含んでいる。
【０１９３】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。例えば、ステップＳ１１２の特別図柄変動処理が実行されるごとに、遊技制御タイマ設定部１５３に設けられた特図変動タイマにおける格納値である特図変動タイマ値を１減算あるいは１加算して、第１特別図柄表示装置４Ａにおける第１特図を用いた特図ゲームであるか、第２特別図柄表示装置４Ｂにおける第２特図を用いた特図ゲームであるかにかかわらず、共通のタイマによって経過時間の測定が行われる。また、計測された経過時間が変動パターンに対応する特図変動時間に達したか否かの判定も行われる。このように、ステップＳ１１２の特別図柄変動処理は、第１特別図柄表示装置４Ａにおける第１特図を用いた特図ゲームでの特別図柄の変動や、第２特別図柄表示装置４Ｂにおける第２特図を用いた特図ゲームでの特別図柄の変動を、共通の処理ルーチンによって制御する処理となっていればよい。そして、特別図柄の変動を開始してからの経過時間が特図変動時間に達したときには、特図プロセスフラグの値が“３”に更新される。
【０１９４】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の変動表示結果となる確定特別図柄を停止表示（導出）させるための設定を行う処理が含まれている。そして、遊技制御フラグ設定部１５２に設けられた大当りフラグがオンとなっているか否かの判定などが行われ、大当りフラグがオンである場合には特図プロセスフラグの値が“４”に更新される。その一方で、大当りフラグがオフであり、小当りフラグがオンである場合には、特図プロセスフラグの値が“８”に更新される。また、大当りフラグと小当りフラグがともにオフである場合には、特図プロセスフラグの値が“０”に更新される。
【０１９５】
ステップＳ１１４の大当り開放前処理は、特図プロセスフラグの値が“４”のときに実行される。この大当り開放前処理には、変動表示結果が「大当り」となったことなどに基づき、大当り遊技状態においてラウンドの実行を開始して大入賞口を開放状態とするための設定を行う処理などが含まれている。このときには、例えば大当り種別が「非確変」、「確変」、「突確」のいずれであるかに対応して、大入賞口を開放状態とする期間の上限を設定するようにしてもよい。一例として、大当り種別が「非確変」または「確変」に対応して、大入賞口を開放状態とする期間の上限を「２９秒」に設定するとともに、ラウンドを実行する上限回数となる大入賞口の開放回数を「１５回」に設定することにより、通常開放大当り状態とする設定が行われればよい。一方、大当り種別が「突確」に対応して、大入賞口を開放状態とする期間の上限を「０．１秒」に設定するとともに、ラウンドを実行する上限回数となる大入賞口の開放回数を「１５回」に設定することにより、短期開放大当り状態とする設定が行われればよい。このときには、特図プロセスフラグの値が“５”に更新される。
【０１９６】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド８２に対するソレノイド駆動信号の供給を停止させる処理などを実行した後、特図プロセスフラグの値が“６”に更新される。
【０１９７】
ステップＳ１１６の大当り開放後処理は、特図プロセスフラグの値が“６”のときに実行される。この大当り開放後処理には、大入賞口を開放状態とするラウンドの実行回数が大入賞口開放回数最大値に達したか否かを判定する処理や、大入賞口開放回数最大値に達した場合に大当り終了指定コマンドを送信するための設定を行う処理などが含まれている。そして、ラウンドの実行回数が大入賞口開放回数最大値に達していないときには、特図プロセスフラグの値が“５”に更新される一方、大入賞口開放回数最大値に達したときには、特図プロセスフラグの値が“７”に更新される。
【０１９８】
ステップＳ１１７の大当り終了処理は、特図プロセスフラグの値が“７”のときに実行される。この大当り終了処理には、演出表示装置５やスピーカ８Ｌ、８Ｒ、遊技効果ランプ９などといった演出装置により、大当り遊技状態の終了を報知する演出動作としてのエンディング演出が実行される期間に対応した待ち時間が経過するまで待機する処理や、大当り遊技状態の終了に対応して確変制御や時短制御を開始するための各種の設定を行う処理などが含まれている。こうした設定が行われたときには、特図プロセスフラグの値が“０”に更新される。
【０１９９】
尚、大当り終了処理においては、遊技制御バッファ設定部１５５に記憶されている大当り種別バッファ値を読み出して、大当り種別が「非確変」、「確変」、「突確」のいずれであったかを特定する。そして、特定した大当り種別が「非確変」ではないと判定された場合には、確変制御を開始するための設定（確変フラグのセット）を行う。
【０２００】
また、特定した大当り種別が「非確変」である場合には、時短制御を開始するための設定（時短フラグのセットと時短制御中に実行可能な特図ゲームの上限値に対応して予め定められたカウント初期値（例えば「１００」）を時短回数カウンタにセット）を行う。
【０２０１】
ステップＳ１１８の小当り開放前処理は、特図プロセスフラグの値が“８”のときに実行される。この小当り開放前処理には、変動表示結果が「小当り」となったことに基づき、小当り遊技状態において大入賞口を開放状態とするための設定を行う処理などが含まれている。一例として、変動表示結果が「小当り」となったときには、変動表示結果が「大当り」で大当り種別が「突確」となったときと同様に、大入賞口を開放状態とする期間の上限を「０．１秒」に設定するとともに、大入賞口の開放回数を「１５回」に設定することにより、小当り遊技状態とする設定が行われればよい。このときには、特図プロセスフラグの値が“９”に更新される。
【０２０２】
ステップＳ１１９の小当り開放中処理は、特図プロセスフラグの値が“９”のときに実行される。この小当り開放中処理には、大入賞口を開放状態としてからの経過時間を計測する処理や、その計測した経過時間などに基づいて、大入賞口を開放状態から閉鎖状態に戻すタイミングとなったか否かを判定する処理などが含まれている。大入賞口を閉鎖状態に戻すときには、大入賞口扉用のソレノイド８２に対する駆動信号の供給を停止させる処理などが実行されればよい。
【０２０３】
ステップＳ１２０の小当り終了処理は、特図プロセスフラグの値が“１０”のときに実行される。この小当り終了処理には、演出表示装置５やスピーカ８Ｌ、８Ｒ、遊技効果ランプ９などといった演出装置により、小当り遊技状態の終了を報知する演出動作が実行される期間に対応した待ち時間が経過するまで待機する処理などが含まれている。ここで、小当り遊技状態が終了するときには、確変フラグや時短フラグの状態を変更しないようにして、小当り遊技状態となる以前のパチンコ遊技機１における遊技状態を継続させる。小当り遊技状態の終了時における待ち時間が経過したときには、特図プロセスフラグの値が“０”に更新される。
【０２０４】
図１８は、特別図柄通常処理として、図１５のステップＳ１１０にて実行される処理の一例を示すフローチャートである。図１８に示す特別図柄通常処理において、ＣＰＵ１０３は、まず、第２特図保留記憶数が「０」であるか否かを判定する（ステップＳ２３１）。第２特図保留記憶数は、第２特別図柄表示装置４Ｂによる第２特図を用いた特図ゲームの保留記憶数である。例えば、ステップＳ２３１の処理では、遊技制御カウンタ設定部１５４に記憶されている第２保留記憶数カウント値を読み出し、その読出値が「０」であるか否かを判定すればよい。
【０２０５】
ステップＳ２３１にて第２特図保留記憶数が「０」以外であるときには（ステップＳ２３１；Ｎｏ）、第２特図保留記憶部１５１Ｂにて保留番号「１」に対応して記憶されている保留データとして、特図表示結果決定用の乱数値ＭＲ１、大当り種別決定用の乱数値ＭＲ２、変動パターン種別決定用の乱数値ＭＲ３を示す数値データをそれぞれ読み出す（ステップＳ２３２）。このとき読み出された数値データは、例えば変動用乱数バッファなどに格納されて、一時記憶されればよい。
【０２０６】
ステップＳ２３２の処理に続いて、例えば第２保留記憶数カウント値を１減算して更新することなどにより、第２特図保留記憶数を１減算させるように更新するとともに、第２特図保留記憶部１５１Ｂにて保留番号「１」より下位のエントリ（例えば保留番号「２」〜「４」に対応するエントリ）に記憶された乱数値ＭＲ１〜ＭＲ３を示す保留データを、１エントリずつ上位にシフトする（ステップＳ２３３）。また、ステップＳ２３３の処理では、遊技制御カウンタ設定部１５４にて合計保留記憶数カウンタが記憶する合計保留記憶数カウント値を１減算するように更新してもよい。このときには、変動特図指定バッファの格納値である変動特図指定バッファ値を「２」に更新する（ステップＳ２３４）。
【０２０７】
ステップＳ２３１にて第２特図保留記憶数が「０」であるときには（ステップＳ２３１；Ｙｅｓ）、第１特図保留記憶数が「０」であるか否かを判定する（ステップＳ２３５）。第１特図保留記憶数は、第１特別図柄表示装置４Ａによる第１特図を用いた特図ゲームの保留記憶数である。例えば、ステップＳ２３５の処理では、遊技制御カウンタ設定部１５４にて第１保留記憶数カウンタが記憶する第１保留記憶数カウント値を読み出し、その読出値が「０」であるか否かを判定すればよい。このように、ステップＳ２３５の処理は、ステップＳ２３１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０２０８】
なお、第２特図を用いた特図ゲームが第１特図を用いた特図ゲームよりも優先して実行されるものに限定されず、例えば第１始動入賞口や第２始動入賞口を遊技球が進入（通過）して始動入賞が発生した順に、特図ゲームの実行が開始されるようにしてもよい。この場合には、始動入賞が発生した順番を特定可能なデータを記憶するテーブルを設けて、その記憶データから第１特図と第２特図のいずれを用いた特図ゲームの実行を開始するかが決定できればよい。
【０２０９】
ステップＳ２３５にて第１特図保留記憶数が「０」以外であるときには（ステップＳ２３５；Ｎｏ）、第１特図保留記憶部１５１Ａにて保留番号「１」に対応して記憶されている保留データとして、特図表示結果決定用の乱数値ＭＲ１、大当り種別決定用の乱数値ＭＲ２、変動パターン種別決定用の乱数値ＭＲ３を示す数値データをそれぞれ読み出す（ステップＳ２３６）。このとき読み出された数値データは、例えば変動用乱数バッファなどに格納されて、一時記憶されればよい。
【０２１０】
ステップＳ２３６の処理に続いて、例えば第１保留記憶数カウント値を１減算して更新することなどにより、第１特図保留記憶数を１減算させるように更新するとともに、第１特図保留記憶部１５１Ａにて保留番号「１」より下位のエントリ（例えば保留番号「２」〜「４」に対応するエントリ）に記憶された乱数値ＭＲ１〜ＭＲ３を示す保留データを、１エントリずつ上位にシフトする（ステップＳ２３７）。また、ステップＳ２３７の処理では、遊技制御カウンタ設定部１５４にて合計保留記憶数カウンタが記憶する合計保留記憶数カウント値を１減算するように更新してもよい。このときには、変動特図指定バッファ値を「１」に更新する（ステップＳ２３８）。
【０２１１】
ステップＳ２３４、Ｓ２３８の処理のいずれかを実行した後には、特別図柄の変動表示結果である特図表示結果を「大当り」と「ハズレ」のいずれとするかを決定するための使用テーブルとして、変動特図指定バッファ値に対応する特図表示結果決定テーブルを選択してセットする（ステップＳ２３９）。例えば、変動特図指定バッファ値が「１」である場合には第１特図表示結果決定テーブル１３０Ａを使用テーブルにセットする。一方、変動特図指定バッファ値が「２」である場合には第２特図表示結果決定テーブル１３０Ｂを使用テーブルにセットする。また、ＣＰＵ１０３は、図１７（Ａ）に示すステップＳ４０２の処理と同様に、現在の遊技状態に対応した特図表示結果決定用テーブルデータを選択すればよい。続いて、変動用乱数バッファに格納された特図表示結果決定用の乱数値ＭＲ１を示す数値データを、「大当り」や「小当り」、「ハズレ」の各特図表示結果に割り当てられた決定値と比較して、特図表示結果を「大当り」と「小当り」と「ハズレ」のいずれとするかを決定する（ステップＳ２４０）。
【０２１２】
ステップＳ２３９では現在の遊技状態に対応した特図表示結果決定用テーブルデータが選択されていることから、ステップＳ２４０の処理では、特図ゲームなどの変動表示が開始されるときの遊技状態が確変状態であるか否かに応じて、異なる決定用データを用いて特図表示結果を「大当り」とするか否かが決定される。例えば、特図ゲームなどの変動表示が開始されるときの遊技状態が通常状態又は時短状態であるときには、第１特図表示結果決定テーブル１３０Ａや第２特図表示結果決定テーブル１３０Ｂにおいて遊技状態が通常状態又は時短状態の場合に対応するテーブルデータが、通常決定用データとして選択され、これを参照して乱数値ＭＲ１に対応する特図表示結果を決定する。これに対して、特図ゲームなどの変動表示が開始されるときの遊技状態が確変状態であるときには、第１特図表示結果決定テーブル１３０Ａや第２特図表示結果決定テーブル１３０Ｂにおいて遊技状態が確変状態の場合に対応するテーブルデータが、特別決定用データとして選択され、これを参照して乱数値ＭＲ１に対応する特図表示結果を決定する。
【０２１３】
ステップＳ２４０にて特図表示結果を決定した後には、その特図表示結果が「大当り」であるか否かを判定する（ステップＳ２４１）。そして、「大当り」であると判定された場合には（ステップＳ２４１；Ｙｅｓ）、遊技制御フラグ設定部１５２に設けられた大当りフラグをオン状態にセットする（ステップＳ２４２）。このときには、大当り種別を複数種類のいずれかに決定するための使用テーブルとして、大当り種別決定テーブル１３１を選択してセットする（ステップＳ２４３）。こうしてセットされた大当り種別決定テーブル１３１を参照することにより、変動用乱数バッファに格納された大当り種別決定用の乱数値ＭＲ２を示す数値データを、「非確変」、「確変」、「突確」の各大当り種別に割り当てられた決定値のいずれと合致するかに応じて、大当り種別を複数種別のいずれとするかを決定する（ステップＳ２４４）。
【０２１４】
ステップＳ２４４の処理にて大当り種別を決定することにより、大当り遊技状態の終了後における遊技状態を、時短状態と、時短状態よりも遊技者にとって有利度が高い確変状態とのうち、いずれの遊技状態に制御するかが、変動表示結果としての確定特別図柄が導出される以前に決定されることになる。こうして決定された大当り種別に対応して、例えば遊技制御バッファ設定部１５５に設けられた大当り種別バッファの格納値である大当り種別バッファ値を設定することなどにより（ステップＳ２４５）、決定された大当り種別を記憶させる。一例として、大当り種別が「非確変」であれば大当り種別バッファ値を「０」とし、「確変」であれば「１」とし、「突確」であれば「２」とすればよい。
【０２１５】
ステップＳ２４１にて「大当り」ではないと判定された場合には（ステップＳ２４１；Ｎｏ）、その特図表示結果が「小当り」であるか否かを判定する（ステップＳ２４６）。そして、「小当り」であると判定されたときには（ステップＳ２４６；Ｙｅｓ）、遊技制御フラグ設定部１５２に設けられた小当りフラグをオン状態にセットする（ステップＳ２４７）。
【０２１６】
ステップＳ２４６にて「小当り」ではないと判定された場合や（ステップＳ２４６；Ｎｏ）、ステップＳ２４５、Ｓ２４７の処理のいずれかを実行した後には、大当り遊技状態や小当り遊技状態に制御するか否かの事前決定結果、さらには、大当り遊技状態とする場合における大当り種別の決定結果に対応して、確定特別図柄を設定する（ステップＳ２４８）。一例として、ステップＳ２４６にて特図表示結果が「小当り」ではないと判定された場合には、特図表示結果を「ハズレ」とする旨の事前決定結果に対応して、ハズレ図柄となる「−」の記号を示す特別図柄を、確定特別図柄に設定する。その一方で、ステップＳ２４６にて特図表示結果が「小当り」であると判定された場合には、特図表示結果を「小当り」とする旨の事前決定結果に対応して、小当り図柄となる「２」の数字を示す特別図柄を、確定特別図柄に設定する。また、ステップＳ２４１にて特図表示結果が「大当り」であると判定された場合には、ステップＳ２４４における大当り種別の決定結果に応じて、大当り図柄となる「３」、「５」、「７」の数字を示す特別図柄のいずれかを、確定特別図柄に設定する。すなわち、大当り種別を「非確変」とする決定結果に応じて、通常開放ラウンド大当り図柄のうち通常大当り図柄となる「３」の数字を示す特別図柄を、確定特別図柄に設定する。また、大当り種別を「確変」とする決定結果に応じて、通常開放ラウンド大当り図柄のうち確変大当り図柄となる「７」の数字を示す特別図柄を、確定特別図柄に設定する。大当り種別を「突確」とする決定結果に応じて、短期開放大当り図柄となる「５」の数字を示す特別図柄を、確定特別図柄に設定する。
【０２１７】
ステップＳ２４８にて確定特別図柄を設定した後には、特図プロセスフラグの値を変動パターン設定処理に対応した値である“１”に更新してから（ステップＳ２４９）、特別図柄通常処理を終了する。ステップＳ２３５にて第１特図を用いた特図ゲームの保留記憶数が「０」である場合には（ステップＳ２３５；Ｙｅｓ）、所定のデモ表示設定を行ってから（ステップＳ２５０）、特別図柄通常処理を終了する。このデモ表示設定では、例えば演出表示装置５において所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。
【０２１８】
図１９は、変動パターン設定処理として、図１５のステップＳ１１１にて実行される処理の一例を示すフローチャートである。図１９に示す変動パターン設定処理において、ＣＰＵ１０３は、まず、大当りフラグがオンであるか否かを判定する（ステップＳ２６１）。そして、大当りフラグがオンであれば（ステップＳ２６１；Ｙｅｓ）、変動パターン種別を複数種別のいずれかに決定するための使用テーブルとして、大当り変動パターン種別決定テーブル１３２Ａを選択してセットする（ステップＳ２６２）。
【０２１９】
ステップＳ２６１にて大当りフラグがオフであるときには（ステップＳ２６１；Ｎｏ）、小当りフラグがオンであるか否かを判定する（ステップＳ２６４）。そして、小当りフラグがオンであれば（ステップＳ２６４；Ｙｅｓ）、変動パターン種別を複数種類のいずれかに決定するための使用テーブルとして、小当り変動パターン種別決定テーブル１３２Ｂを選択してセットする（ステップＳ２６５）。
【０２２０】
ステップＳ２６４にて小当りフラグがオフであるときには（ステップＳ２６４；Ｎｏ）、例えば遊技制御フラグ設定部１５２に設けられた時短フラグがオンであるか否かを判定することなどにより、遊技状態が確変状態や時短状態で時短制御が行われる時短制御中であるか否かを判定する（ステップＳ２６６）。そして、時短制御中ではないときには（ステップＳ２６６；Ｎｏ）、変動パターン種別を複数種類のいずれかに決定するための使用テーブルとして、ハズレ変動パターン種別決定テーブル（通常時）１３３Ａを選択してセットする（ステップＳ２６７）。ステップＳ２６６にて時短制御中である場合には（ステップＳ２６６；Ｙｅｓ）、ハズレ変動パターン種別決定テーブル（時短制御中）１３３Ｂを選択し、変動パターン種別を決定するための使用テーブルにセットする（ステップＳ２６８）。なお、ステップＳ２６７、Ｓ２６８の処理のいずれかを実行したときには、例えば遊技制御カウンタ設定部１５４に設けられた合計保留記憶数カウンタの格納値を読み取ることなどにより、合計保留記憶数を特定するとよい。
【０２２１】
ステップＳ２６２、Ｓ２６５、Ｓ２６７、Ｓ２６８の処理のいずれかを実行した後には、例えば変動用乱数バッファなどに格納されている変動パターン種別決定用の乱数値ＭＲ３を示す数値データなどに基づき、使用テーブルにセットされた変動パターン種別決定テーブルを参照することにより、変動パターン種別を複数種類のいずれかに決定する（ステップＳ２６９）。ここで、ステップＳ２６９の処理では、第１始動条件が成立したことに基づき第１特別図柄表示装置４Ａにより第１特図を用いて実行される特図ゲームに対応した演出図柄の変動パターン種別を決定するか、第２始動条件が成立したことに基づき第２特別図柄表示装置４Ｂにより第２特図を用いて実行される特図ゲームに対応した演出図柄の変動パターン種別を決定するかにかかわらず、共通のランダムカウンタなどによって更新される変動パターン種別決定用となる共通の乱数値ＭＲ３を示す数値データを用いて、共通の処理モジュールにより変動パターン種別を複数種類のいずれかに決定することができる。
【０２２２】
大当りフラグがオンであるときには、大当り変動パターン種別決定テーブル１３２Ａを構成するテーブルデータのうちから、大当り種別に応じたテーブルデータを選択し、変動パターン種別決定用の乱数値ＭＲ３を示す数値データに対応する決定値が割り当てられた変動パターン種別を決定できればよい。こうして、ＣＰＵ１０３は、特図表示結果を「大当り」にする決定結果に対応して予め複数用意された変動パターン種別のうちから、いずれかの変動パターン種別に決定できればよい。
【０２２３】
小当りフラグがオンであるときには、小当り変動パターン種別決定テーブル１３２Ｂを参照し、変動パターン種別決定用の乱数値ＭＲ３を示す数値データに対応する決定値が割り当てられた変動パターン種別を決定できればよい。こうして、ＣＰＵ１０３は、特図表示結果を「小当り」にする決定結果に対応して予め用意された変動パターン種別に決定できればよい。
【０２２４】
大当りフラグと小当りフラグがともにオフであるときには、ステップＳ２６９の処理にて変動パターン種別を決定することにより、演出図柄の変動表示態様を「リーチ」とするか否かが決定される。すなわち、ステップＳ２６９の処理には、変動表示結果が「ハズレ」となる場合に、演出図柄の変動表示状態をリーチ状態とするか否かを決定する処理が含まれている。
【０２２５】
ステップＳ２６９にて変動パターン種別を決定した後には、変動パターン決定テーブル１３４を選択し、変動パターンを複数種類のいずれかに決定するための使用テーブルとしてセットする（ステップＳ２７０）。続いて、変動パターン決定用の乱数値ＭＲ４を示す数値データに基づき、ステップＳ２７０にてセットした変動パターン決定テーブル１３４を参照することにより、変動パターンを複数種類のいずれかに決定する（ステップＳ２７１）。
【０２２６】
変動パターン決定用の乱数値ＭＲ４を示す数値データは、ステップＳ２７１の処理が実行されるときに乱数回路１０４や遊技制御カウンタ設定部１５４のランダムカウンタなどから抽出されてもよいし、第１始動入賞口や第２始動入賞口を通過（進入）した遊技球が検出された始動入賞時に抽出されたものを、乱数値ＭＲ１〜ＭＲ３とともに、第１特図保留記憶部１５１Ａや第２特図保留記憶部１５１Ｂにおける保留情報として記憶しておいてもよい。
【０２２７】
ステップＳ２７１の処理では、第１始動条件が成立したことに基づき第１特別図柄表示装置４Ａにより第１特図を用いて実行される特図ゲームに対応した演出図柄の変動パターンを決定するか、第２始動条件が成立したことに基づき第２特別図柄表示装置４Ｂにより第２特図を用いて実行される特図ゲームに対応した演出図柄の変動パターンを決定するかにかかわらず、共通のランダムカウンタなどによって更新される変動パターン決定用となる共通の乱数値ＭＲ４を示す数値データを用いて、共通の処理モジュールにより変動パターンを複数種類のいずれかに決定することができる。また、ステップＳ２７１の処理では、ステップＳ２６９における変動パターン種別の決定結果にかかわらず、変動パターン決定用となる共通の乱数値ＭＲ４を示す数値データを用いて、共通の処理モジュールにより変動パターンを複数種類のいずれかに決定することができる。
【０２２８】
ステップＳ２７１にて変動パターンを決定した後には、その変動パターンの決定結果に応じた特別図柄の変動表示時間である特図変動時間を設定する（ステップＳ２７２）。特別図柄の変動表示時間となる特図変動時間は、特図ゲームにおいて特別図柄の変動を開始してから変動表示結果（特図表示結果）となる確定特別図柄が導出表示されるまでの所要時間である。
【０２２９】
ステップＳ２７２の処理を実行した後、変動特図指定バッファ値に応じて、第１特別図柄表示装置４Ａにおける第１特図を用いた特図ゲームと、第２特別図柄表示装置４Ｂにおける第２特図を用いた特図ゲームのいずれかを開始させるように、特別図柄の変動を開始させるための設定を行う（ステップＳ２７３）。一例として、変動特図指定バッファ値が「１」であれば、第１特別図柄表示装置４Ａにおける第１特図の表示を更新させる駆動信号を送信するための設定を行う。一方、変動特図指定バッファ値が「２」であれば、第２特別図柄表示装置４Ｂにおける第２特図の表示を更新させる駆動信号を送信するための設定を行う。
【０２３０】
ステップＳ２７３の処理に続いて、特別図柄の変動開始時用となる各種コマンドを送信するための設定を行う（ステップＳ２７４）。例えば、変動特図指定バッファ値が「１」である場合に、ＣＰＵ１０３は、主基板１１から演出制御基板１２に対して遊技状態指定コマンド、第１変動開始コマンド、変動パターン指定コマンド、変動表示結果通知コマンド、第１保留記憶数通知コマンドを順次に送信するために、予め用意された第１変動開始用コマンドテーブルのＲＯＭ１０１における記憶アドレス（先頭アドレス）を示す設定データを、遊技制御バッファ設定部１５５に設けられた送信コマンドバッファにおいて送信コマンドポインタによって指定されたバッファ領域に格納する。他方、変動特図指定バッファ値が「２」である場合に、ＣＰＵ１０３は、主基板１１から演出制御基板１２に対して遊技状態指定コマンド、第２変動開始コマンド、変動パターン指定コマンド、変動表示結果通知コマンド、第２保留記憶数通知コマンドを順次に送信するために、予め用意された第２変動開始用コマンドテーブルのＲＯＭ１０１における記憶アドレスを示す設定データを、送信コマンドバッファにおいて送信コマンドポインタによって指定されたバッファ領域に格納する。その後、特図プロセスフラグの値を特別図柄変動処理に対応した値である“２”に更新してから（ステップＳ２７５）、変動パターン設定処理を終了する。
【０２３１】
ステップＳ２７４でのコマンド送信設定に基づいて、変動パターン設定処理が終了してから図１４に示すステップＳ１７のコマンド制御処理が実行されるごとに、主基板１１から演出制御基板１２に対して遊技状態指定コマンド、第１変動開始コマンドまたは第２変動開始コマンド、変動パターン指定コマンド、変動表示結果通知コマンド、第１保留記憶数通知コマンドまたは第２保留記憶数通知コマンドが、順次に送信されることになる。なお、これらの演出制御コマンドが送信される順番は任意に変更可能であり、例えば変動表示結果通知コマンドを最初に送信してから、第１変動開始コマンドまたは第２変動開始コマンド、変動パターン指定コマンド、遊技状態指定コマンド、第１保留記憶数通知コマンドまたは第２保留記憶数通知コマンドの順などで送信されるようにしてもよい。
【０２３２】
次に、演出制御基板１２における動作を説明する。
【０２３３】
演出制御基板１２では、電源基板等から電源電圧の供給を受けると、演出制御用ＣＰＵ１２０が起動して、図２０のフローチャートに示すような演出制御メイン処理を実行する。図２０に示す演出制御メイン処理を開始すると、演出制御用ＣＰＵ１２０は、まず、所定の初期化処理を実行して（ステップＳ７１）、ＲＡＭ１２２のクリアや各種初期値の設定、また演出制御基板１２に搭載されたＣＴＣ（カウンタ／タイマ回路）のレジスタ設定等を行う。その後、タイマ割込みフラグがオンとなっているか否かの判定を行う（ステップＳ７２）。タイマ割込みフラグは、例えばＣＴＣのレジスタ設定に基づき、所定時間（例えば２ミリ秒）が経過するごとにオン状態にセットされる。このとき、タイマ割込みフラグがオフであれば（ステップＳ７２；Ｎｏ）、ステップＳ７２の処理を繰り返し実行して待機する。
【０２３４】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えば演出制御バッファ設定部１９４に設けられた演出制御コマンド受信用バッファに格納する。一例として、演出制御コマンドが２バイト構成である場合には、１バイト目（ＭＯＤＥ）と２バイト目（ＥＸＴ）を順次に受信して演出制御コマンド受信用バッファに格納する。その後、演出制御用ＣＰＵ１２０は、割込み許可に設定してから、コマンド受信割込み処理を終了する。
【０２３５】
ステップＳ７２にてタイマ割込みフラグがオンである場合には（ステップＳ７２；Ｙｅｓ）、タイマ割込みフラグをクリアしてオフ状態にするとともに（ステップＳ７３）、コマンド解析処理を実行する（ステップＳ７４）。ステップＳ７４にて実行されるコマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０２３６】
ステップＳ７４にてコマンド解析処理を実行した後には、演出表示装置５の表示画面に当該パチンコ遊技機１にて実行される各種演出表示の態様の変更を遊技者から受付けるための演出表示変更処理を行う（ステップＳ７４ａ）。演出表示変更処理において、演出制御用ＣＰＵ１２０は、例えば、図３２（Ａ）に示すように、演出制御基板１２が主基板１１から客待ちデモ指定コマンドを受信したことで、パチンコ遊技機１において特別図柄及び演出図柄の変動表示が実行されておらず、演出表示装置５の表示画面において客待ちデモ表示が実行されている状態において、プッシュボタン３１Ｂが所定時間の間長押し操作されたか否かを判定し、プッシュボタン３１Ｂが所定時間の間長押し操作されたことに基づいて、図３２（Ｂ）に示すように、当該パチンコ遊技機１にて実行される各種演出表示の態様を変更するための演出表示変更画面を演出表示装置５の表示画面に表示する。
【０２３７】
この演出表示変更画面には、図３２（Ｂ）に示すように、リーチ演出、演出図柄、大当りＢＧＭ等の態様を変更可能な演出が表示されている。また、演出表示変更画面の左下部には、パチンコ遊技機１における遊技において獲得ポイント数記憶テーブル（図３０参照）に記憶されているポイント数が表示されている。演出制御用ＣＰＵ１２０は、この演出表示変更画面が表示されている状態においてスティックコントローラ３１Ａ及びプッシュボタン３１Ｂの操作を受け付けることで、パチンコ遊技機１において実行される演出を変更する。尚、該演出の変更には、所定数のポイントを遊技者が所有していることが必要とされ、該演出の変更により、遊技者が所有しているポイントから所定数のポイントが消費（減算）される。
【０２３８】
ステップＳ７４ａにて演出表示変更処理を実行した後には、ＲＡＭ１２２の所定領域に記憶されている獲得ポイント数記憶テーブル（図３０参照）におけるポイント数の更新やクリア（初期化）等を行うための履歴記録管理処理を実行する（ステップＳ７４ｂ）。履歴記録管理処理において、演出制御用ＣＰＵ１２０は、演出図柄の変動開始時、つまり、後述する演出プロセスフラグが変動表示開始設定処理に対応する“１”にセットされていれば、該演出図柄の変動が実行される保留記憶がターゲット変動フラグ（図１３（Ｂ）参照）がセットされている保留記憶であるか否かを判定する。ターゲット変動フラグがセットされている保留記憶であれば、後述するプレゼントボックス表示態様記憶テーブルを参照し、該プレゼントボックス表示態様記憶テーブルに表示変更態様としてポイントの獲得を示す表示態様が格納されているか否かを判定する。このとき、演出制御用ＣＰＵ１２０は、プレゼントボックス表示態様記憶テーブルに表示変更態様としてポイントの獲得を示す表示態様が格納されている場合は、該表示態様が示すポイント数を獲得ポイント数記憶テーブルに記憶されている獲得ポイント数に加算する処理を実行する。このように、履歴記録管理処理では、後述する演出プロセスフラグが“１”にセットされている場合のみポイント数の加算が実行されるようになっているので、ポイントの加算は、１回の変動表示につき１回のみ実行される。
【０２３９】
また、履歴記録管理処理において、演出制御用ＣＰＵ１２０は、演出制御基板１２が主基板１１から客待ちデモ指定コマンドを受信したか否かを判定し、演出制御基板１２が客待ちデモ指定コマンドを受信している場合は、非遊技状態判定カウンタに所定時間（例えば６０秒）に対応したカウントをセットし、該非遊技状態判定カウンタのカウントダウンを開始する。そして、該非遊技状態判定カウンタが０となった場合、演出制御用ＣＰＵ１２０は、パチンコ遊技機１において遊技者により遊技が行われていない非遊技状態であると判定し、図３０に示す獲得ポイント数記憶テーブルに記憶されている獲得ポイント数をリセットする。
【０２４０】
尚、本実施例では、パチンコ遊技機１が非遊技状態となることでポイント数記憶テーブルに記憶されている獲得ポイント数をリセットしているため、遊技中に獲得したポイント数を次回の遊技に持ち越すことが不可能となっているが、本発明はこれに限定されず、例えば、パチンコ遊技機１を、遊技者が遊技終了後にスティックコントローラ３１Ａやプッシュボタン３１Ｂを操作することで演出表示装置５の表示画面に遊技中に獲得したポイント数の情報を含む２次元コード等を出力可能とし、該２次元コードを遊技者が携帯端末から読み込むことで、該携帯端末から外部に設けられたサーバにアクセスし、該サーバに獲得したポイント数を記憶するようにしても良い。このようにすることで、パチンコ遊技機１で遊技を行う場合には、遊技者の携帯端末からサーバにアクセスすることで該サーバに記憶されているポイント数の情報を含むパスワードを発行し、遊技者がスティックコントローラ３１Ａやプッシュボタン３１Ｂを操作して該パスワードをパチンコ遊技機１に入力することで、前回の遊技までに獲得したポイント数を次回の遊技に引き継ぐことができる。
【０２４１】
更に、このように前回の遊技までに獲得したポイント数を次回の遊技に引き継ぐパチンコ遊技機１においては、遊技者がスティックコントローラ３１Ａやプッシュボタン３１Ｂを操作してパスワードをパチンコ遊技機１に入力した場合は、演出制御用ＣＰＵ１２０は、客待ちデモ指定コマンドを受信していても、非遊技状態判定カウンタのカウントダウンを実行しないようにすることで、パチンコ遊技機１が非遊技状態となっても遊技中に獲得したポイント数をリセットしないようにしても良い。
【０２４２】
ステップＳ７４ｂにおいて履歴記録管理処理を実行した後には、演出制御プロセス処理を実行する（ステップＳ７５）。ステップＳ７５の演出制御プロセス処理では、例えば演出表示装置５の表示領域における演出画像の表示動作、スピーカ８Ｌ、８Ｒからの音声出力動作、遊技効果ランプ９及び装飾用ＬＥＤといった装飾発光体における点灯動作、演出用模型における駆動動作といった、各種の演出装置を用いた演出動作の制御内容について、主基板１１から送信された演出制御コマンド等に応じた判定や決定、設定などが行われる。
【０２４３】
ステップＳ７５の演出制御プロセス処理に続いて、演出用乱数更新処理が実行され（ステップＳ７６）、演出制御に用いる各種の乱数値として、演出制御カウンタ設定部１９３のランダムカウンタによってカウントされる演出用乱数を示す数値データを、ソフトウェアにより更新する。その後、ステップＳ７２の処理に戻る。
【０２４４】
図２１は、コマンド解析処理として、図２１のステップＳ７４にて実行される処理の一例を示すフローチャートである。図２１に示すコマンド解析処理において、演出制御用ＣＰＵ１２０は、まず、演出制御コマンド受信用バッファの記憶内容を確認することなどにより、中継基板１５を介して伝送された主基板１１からの受信コマンドがあるか否かを判定する（ステップＳ５０１）。このとき、受信コマンドがなければ（ステップＳ５０１；Ｎｏ）、コマンド解析処理を終了する。
【０２４５】
ステップＳ５０１にて受信コマンドがある場合には（ステップＳ５０１；Ｙｅｓ）、例えば受信コマンドのＭＯＤＥデータを確認することなどにより、その受信コマンドが第１始動口入賞指定コマンドであるか否かを判定する（ステップＳ５０２）。そして、第１始動口入賞指定コマンドであるときには（ステップＳ５０２；Ｙｅｓ）、第１保留記憶数通知待ち時間を設定する（ステップＳ５０３）。例えば、ステップＳ５０３の処理では、第１保留記憶数通知コマンドの受信待ち時間に対応して予め定められたタイマ初期値が、演出制御タイマ設定部１９２に設けられたコマンド受信制御タイマにセットされればよい。
【０２４６】
ステップＳ５０２にて受信コマンドが第１始動口入賞指定コマンドではない場合には（ステップＳ５０２；Ｎｏ）、その受信コマンドは第２始動口入賞指定コマンドであるか否かを判定する（ステップＳ５０４）。そして、第２始動口入賞指定コマンドであるときには（ステップＳ５０４；Ｙｅｓ）、第２保留記憶数通知待ち時間を設定する（ステップＳ５０５）。例えば、ステップＳ５０５の処理では、第２保留記憶数通知コマンドの受信待ち時間に対応して予め定められたタイマ初期値が、コマンド受信制御タイマにセットされればよい。
【０２４７】
ステップＳ５０４にて受信コマンドが第２始動口入賞指定コマンドではない場合には（ステップＳ５０４；Ｎｏ）、その受信コマンドは図柄指定コマンドであるか否かを判定する（ステップＳ５０６）。ステップＳ５０６にて受信コマンドが図柄指定コマンドではない場合には（ステップＳ５０６；Ｎｏ）、その受信コマンドは変動カテゴリコマンドであるか否かを判定する（ステップＳ５０７）。ステップＳ５０７にて受信コマンドが変動カテゴリコマンドではない場合には（ステップＳ５０７；Ｎｏ）、その受信コマンドは第１保留記憶数通知コマンドであるか否かを判定する（ステップＳ５０８）。そして、第１保留記憶数通知コマンドであるときには（ステップＳ５０８；Ｙｅｓ）、例えばコマンド受信制御タイマによる計時動作を初期化することなどにより、第１保留記憶数通知待ち時間をクリアする（ステップＳ５０９）。
【０２４８】
ステップＳ５０８にて受信コマンドが第１保留記憶数通知コマンドではない場合には（ステップＳ５０８；Ｎｏ）、その受信コマンドは第２保留記憶数通知コマンドであるか否かを判定する（ステップＳ５１０）。そして、第２保留記憶数通知コマンドであるときには（ステップＳ５１０；Ｙｅｓ）、例えばコマンド受信制御タイマによる計時動作を初期化することなどにより、第２保留記憶数通知待ち時間をクリアする（ステップＳ５１１）。
【０２４９】
ステップＳ５０６にて受信コマンドが図柄指定コマンドである場合や（ステップＳ５０６；Ｙｅｓ）、ステップＳ５０７にて受信コマンドが変動カテゴリコマンドである場合（ステップＳ５０７；Ｙｅｓ）、あるいはステップＳ５０３、Ｓ５０５、Ｓ５０９、Ｓ５１１の処理のいずれかを実行した後には、受信コマンドを始動入賞時受信コマンドバッファ１９４Ａにおける第１特図保留記憶または第２特図保留記憶に対応した空きエントリの先頭に格納してから（ステップＳ５１２）、ステップＳ５０１の処理に戻る。
【０２５０】
一方、第２保留記憶数通知コマンドでない場合には（ステップＳ５１０；Ｎｏ）、その受信コマンドは第１変動開始コマンドであるか否かを判定する（ステップＳ５１３）。そして、第１変動開始コマンドである場合は（ステップＳ５１３；Ｙｅｓ）、演出制御フラグ設定部１９１の所定領域に第１変動開始コマンド受信フラグをセットしてから（ステップＳ５１４）、ステップＳ５０１の処理に戻り、第１変動開始コマンドでない場合は（ステップＳ５１３；Ｎｏ）、その受信コマンドは第２変動開始コマンドであるか否かを判定する（ステップＳ５１５）。第２変動開始コマンドである場合は（ステップＳ５１５；Ｙｅｓ）、演出制御フラグ設定部１９１の所定領域に第２変動開始コマンド受信フラグをセットしてから（ステップＳ５１６）、ステップＳ５０１の処理に戻り、第２変動開始コマンドでない場合は（ステップＳ５１５；Ｎｏ）、その他の受信コマンドに応じた設定を行ってから（ステップＳ５１３）、ステップＳ５０１の処理に戻る。
【０２５１】
始動口入賞指定コマンドや図柄指定コマンド、変動カテゴリコマンド、保留記憶数通知コマンドのように、始動入賞が発生したときに主基板１１から受信する演出制御コマンドは、始動入賞時のコマンドともいう。また、第１特図保留記憶数や第２特図保留記憶数が増加したことを認識可能に指定する演出制御コマンドである第１保留記憶数通知コマンドや第２保留記憶数通知コマンドは、保留記憶情報ともいう。保留記憶情報には、始動口入賞指定コマンドも含まれる。始動入賞が発生したときに、乱数値ＭＲ１〜ＭＲ３などを示す数値データに基づいて、変動表示結果が「大当り」や「小当り」に決定されるか否かの判定結果、大当り種別の判定結果、変動カテゴリの判定結果を指定する演出制御コマンドである図柄指定コマンドや変動カテゴリコマンドは、判定結果情報ともいう。なお、始動入賞時受信コマンドバッファ１９４Ａにおける第１特図保留記憶または第２特図保留記憶に対応した空きエントリの先頭から順次に受信コマンドを格納するときには、受信コマンドが始動口入賞指定コマンド、図柄指定コマンド、変動カテゴリコマンド、保留記憶数通知コマンドのいずれであるかを区別せずに格納してもよいし、各受信コマンドを区別して、対応する格納領域における空きエントリの先頭に格納してもよい。
【０２５２】
図２２は、演出制御プロセス処理として、図２０のステップＳ７５にて実行される処理の一例を示すフローチャートである。図２２に示す演出制御プロセス処理において、演出制御用ＣＰＵ１２０は、まず、先読み予告演出の有無や演出態様を決定する先読み予告演出決定処理を実行する（ステップＳ１６１）。図２３、図２４は、図２２のステップＳ１６１にて実行される先読み予告演出決定処理の一例を示すフローチャートである。図２３に示す先読み予告演出決定処理において、演出制御用ＣＰＵ１２０は、まず、始動入賞時受信コマンドバッファ１９４Ａにおける記憶内容をチェックする（ステップＳ７０１）。そして、始動入賞時のコマンドのうち主基板１１から最後に送信されるコマンドの受信が有るか否かを判定する（ステップＳ７０２）。つまり、本実施例では、前述したように、始動入賞時のコマンドのコマンドとして始動口入賞指定コマンド、図柄指定コマンド、変動カテゴリコマンド、保留記憶数通知コマンドが１セットとして１割り込みにおいて送信されるので、最後に送信される始動入賞時のコマンドである保留記憶数通知コマンドの受信があるか否かを判定することで、１セットの始動入賞時のコマンドの受信があったか否か、つまり、始動入賞があったか否かを判定できる。主基板１１から最後に送信される始動入賞時のコマンドの受信が無い場合は（ステップＳ７０２；Ｎｏ）、先読み予告演出決定処理を終了する。
【０２５３】
主基板１１から最後に送信される始動入賞時のコマンド（保留記憶数通知コマンド）の受信が有る場合は（ステップＳ７０２；Ｙｅｓ）、該受信した（保留記憶数通知コマンド）の順序と内容をチェックして（ステップＳ７０３）、正常に受信できているか否かを判定する（ステップＳ７０４）。ステップＳ７０４の処理では、例えば始動入賞時の受信コマンドが順番通りであるか否か、欠落なくすべて受信できたか否か、図柄指定コマンドと変動カテゴリコマンドとの内容が整合しているか否か、始動口入賞指定コマンドと保留記憶数通知コマンドとの内容が整合しているか否かなどの確認を行い、いずれか１つでも否定された場合には、正常に受信できなかったと判定すればよい。なお、いずれか１つでも否定された場合に異常が発生したと判定するものに限定されず、例えばいずれか２つが否定された場合に異常が発生したと判定するようにしてもよい。あるいは、すべてが否定された場合に異常が発生したと判定するようにしてもよい。
【０２５４】
ステップＳ７０４にて始動入賞時のコマンドを正常に受信できなかったと判定されたときには（ステップＳ７０４；Ｎｏ）、始動入賞記憶表示エリア５Ｈにおける保留表示として、第１特図保留記憶数や第２特図保留記憶数を示す表示部位をそれぞれ、所定の非正常表示態様に変更して、新たに保留されたことに対応する表示部位の変更も行う（ステップＳ７０９）。尚、始動口入賞指定コマンド（第１始動口入賞指定コマンドまたは第２始動口入賞指定コマンド）を正常に受信できなかった場合でも、保留記憶数通知コマンド（第１保留記憶数通知コマンドまたは第２保留記憶数通知コマンド）を正常に受信できていれば、第１特図保留記憶数と第２特図保留記憶数とを特定することができるので、通常表示態様で保留表示を更新してもよい。但し、始動口入賞指定コマンド（第１始動口入賞指定コマンドまたは第２始動口入賞指定コマンド）も、保留記憶数通知コマンド（第１保留記憶数通知コマンドまたは第２保留記憶数通知コマンド）を正常に受信できずに、始動入賞が、第１始動入賞であるのか第２始動入賞であるのかを特定できず、いずれの保留記憶数として表示すべきかを特定できない場合には、その時点の遊技状態が、非時短状態（時短フラグがセットされていない状態）であれば、第１始動入賞である可能性が高いと判定して、第１特図保留記憶数の表示部位に非正常表示態様にて表示する一方、その時点の遊技状態が、時短状態（時短フラグがセットされている状態）であれば、第２始動入賞である可能性が高いと判定して、第２特図保留記憶数の表示部位に非正常表示態様にて表示するようにすれば良い。尚、非正常表示態様は、通常表示態様や予告表示態様であるときとは表示部位の表示色や表示形状、表示キャラクタなどの一部または全部を異ならせることにより、始動入賞時のコマンドに取りこぼしが生じたことを認識可能に報知できればよい。なお、新たに保留されたことに対応する表示部位のみを非正常表示態様とする一方で、その他の表示部位における表示態様は変更しなくてもよい。
【０２５５】
一方、ステップＳ７０４にて始動入賞時のコマンドを正常に受信できたと判定されたときには（ステップＳ７０４；Ｙｅｓ）、例えば乱数回路１２４や演出制御カウンタ設定部１９３のランダムカウンタなどから抽出した保留表示予告演出用の乱数値を示す数値データに基づいて、保留表示予告演出決定テーブルを参照することにより、保留表示予告演出を実行するか否かと、保留表示予告演出を実行する場合における保留表示予告演出の演出態様に対応した保留表示予告パターンと、を決定する（ステップＳ７０５）。ステップＳ７０５においては、例えば、図２６に示すような決定割合で、保留表示予告演出の有無と保留表示予告パターンを決定する。図２６に示す決定割合の設定例では、ステップＳ７０３の処理において特定した変動表示結果及び変動パターンに応じて、保留表示予告演出の有無や保留表示予告演出の予告パターンの決定割合を異ならせている。
【０２５６】
具体的には、保留表示予告演出の予告パターンとして、予告α及び予告βの２種類が設けられている。このうち、保留表示予告演出の予告パターンが予告αに決定された場合には、保留記憶表示が丸型の金色表示で始動入賞記憶表示エリア５Ｈに表示され、保留表示予告演出の予告パターンが予告βに決定された場合には、保留記憶表示が丸型の桜柄表示に始動入賞記憶表示エリア５Ｈに表示される。保留表示予告演出が実行されない場合には、保留表示が前述した丸型の白色表示で始動入賞記憶表示エリア５Ｈに表示される。
【０２５７】
また、図２６に示すように、変動表示結果が「ハズレ（リーチ）」である場合には、「ハズレ（その他）」である場合よりも、保留表示予告演出が実行される割合（「予告なし」以外に決定される割合）が高く設定されており、変動表示結果が「小当り」である場合には、「ハズレ（その他）」、「ハズレ（リーチ）」である場合よりも、保留表示予告演出が実行される割合が高く設定されている。更に、変動表示結果が「大当り」である場合には、「ハズレ（その他）」、「ハズレ（リーチ）」、「小当り」である場合よりも、保留表示予告演出が実行される割合が高く設定されている。
【０２５８】
更に、変動表示結果が「ハズレ（その他）」、「ハズレ（リーチ）」、「小当り」である場合において保留表示予告演出が実行される際には、予告αが実行される割合が、予告βが実行される割合よりも高く設定されている。一方、変動表示結果が「大当り」である場合において保留表示予告演出が実行される際には、予告βが実行される割合が、予告αが実行される割合よりも高く設定されている。
【０２５９】
このような設定により、保留表示予告演出の予告パターンとして予告βが実行された場合には、変動表示結果が「大当り」となる可能性が最も高く、保留表示予告演出の予告パターンとして予告αが実行された場合は、保留表示予告演出の予告パターンとして予告βが実行された場合の次に変動表示結果が「大当り」となる可能性が高くなっている。このような設定により、保留表示予告演出の保留表示予告パターンが予告β＞予告α＞「予告なし」の順番で、変動表示結果が「大当り」となる可能性（大当り信頼度）が高くなり、遊技者の期待度も高くなる。
【０２６０】
尚、ステップＳ７０５において保留表示予告演出を実行すると決定した場合には、実行が決定された保留表示予告パターン（予告αまたは予告β）を、ＲＡＭ１２２の所定量位に設けられた先読み予告バッファに格納する。
【０２６１】
ステップＳ７０５に続いて、先読み予告バッファの記憶内容を確認すること等により、保留表示予告演出を実行すると決定されたか否かを判定する（ステップＳ７０６）。保留表示予告演出を実行すると決定された場合は（ステップＳ７０６；Ｙｅｓ）、始動入賞記憶表示エリア５Ｈの第１特図保留記憶数や第２特図保留記憶数を示す表示部位にそれぞれ、決定された保留予告パターン（予告αまたは予告β）に対応した所定の特別表示態様（予告αであれば金色、予告βであれば桜柄）にて丸型の保留記憶表示を新たに追加する（ステップＳ７０７）。
【０２６２】
一方、保留表示予告演出を実行しない（予告なし）と決定された場合は（ステップＳ７０６；Ｎｏ）、始動入賞記憶表示エリア５Ｈの第１特図保留記憶数や第２特図保留記憶数を示す表示部位にそれぞれ、保留表示を丸型の白色表示で新たに追加する（ステップＳ７０８）。
【０２６３】
このような保留表示予告演出を実行することにより、遊技者には、金色及び桜柄の保留表示の大当り期待度が高いことが印象付けられるとともに、金色の保留表示よりも桜柄の保留表示の方が大当り期待度が高いことが印象付けられる。このように保留表示が、金色及び桜柄で表示されることで、遊技者は、該金色または桜柄の保留表示を視認することで迅速に大当りの期待度を把握できるようになっている。
【０２６４】
ステップＳ７０７またはステップＳ７０８の処理の実行後、演出制御用ＣＰＵ１２０は、ＲＡＭ１２２の所定領域を参照することで、複数の変動表示に亘ってプレゼントボックス表示予告演出が実行されていることを示すプレゼントボックス表示予告演出実行中フラグがセットされているか否かを判定する（ステップＳ７０８ａ）。プレゼントボックス表示予告演出実行中フラグがセットされている場合は（ステップＳ７０８ａ；Ｙｅｓ）、先読み予告演出決定処理を終了し、プレゼントボックス表示予告演出実行中フラグがセットされていない場合は（ステップＳ７０８ａ；Ｎｏ）、始動入賞時受信コマンドバッファ１９４Ａを参照することで、新たに格納された保留記憶である判定対象の保留記憶が第１特図保留記憶であるか否かを判定する（ステップＳ７０８ｂ）。
【０２６５】
判定対象の保留記憶が第１特図保留記憶でない場合は（ステップＳ７０８ｂ；Ｎｏ）、先読み予告演出決定処理を終了し、判定対象の保留記憶が第１特図保留記憶である場合は（ステップＳ７０８ｂ；Ｙｅｓ）、始動入賞時受信コマンドバッファ１９４Ａを参照することで、判定対象の保留記憶以外に第１特図保留記憶が格納されているか否かを判定する（ステップＳ７０８ｃ）。判定対象の保留記憶以外に第１特図保留記憶が格納されていない場合は（ステップＳ７０８ｃ；Ｎｏ）、先読み予告演出決定処理を終了し、判定対象の保留記憶以外に第１特図保留記憶が格納されている場合は（ステップＳ７０８ｃ；Ｙｅｓ）、始動入賞時受信コマンドバッファ１９４Ａを参照することで、判定対象の保留記憶の変動カテゴリがスーパーリーチの変動カテゴリであるか否かを判定する（ステップＳ７１０）。判定対象の保留記憶の変動カテゴリがスーパーリーチの変動カテゴリでない場合は（ステップＳ７１０；Ｎｏ）、先読み予告演出決定処理を終了し、判定対象の保留記憶の変動カテゴリがスーパーリーチの変動カテゴリである場合は（ステップＳ７１０；Ｙｅｓ）、始動入賞時受信コマンドバッファ１９４Ａを参照することで、判定対象の保留記憶以前の全ての保留記憶内容をチェックする（ステップＳ７１１）。
【０２６６】
演出制御用ＣＰＵ１２０は、該始動入賞時受信コマンドバッファ１９４Ａのチェック内容に従って、判定対象の保留記憶以前の保留記憶に大当りとなる保留記憶が有るか否かを判定する（ステップＳ７１２）。判定対象の保留記憶以前の保留記憶に大当りとなる保留記憶が有るか否かは、判定対象の保留記憶以前の保留記憶に大当り（非確変、確変、突確）を示す変動カテゴリコマンドが対応付けて格納されているか否かを判定すれば良い。判定対象の保留記憶以前の保留記憶に大当りとなる保留記憶がある場合は（ステップＳ７１２；Ｙｅｓ）、先読み予告演出決定処理を終了し、判定対象の保留記憶以前の保留記憶に大当りとなる保留記憶が無い場合は（ステップＳ７１２；Ｎｏ）、例えば乱数回路１２４や演出制御カウンタ設定部１９３のランダムカウンタなどから抽出したプレゼントボックス表示予告演出用の乱数値を示す数値データに基づいて、プレゼントボックス表示予告演出決定テーブルを参照することにより、プレゼントボックス表示予告演出を実施するか否かを決定する（ステップＳ７１３）。
【０２６７】
尚、本実施例では、新たに格納された保留記憶である判定対象の保留記憶の変動カテゴリがスーパーリーチの変動カテゴリである場合のみプレゼントボックス表示予告演出の実行・非実行を決定し、非リーチ、その他の変動カテゴリである場合には一義的にプレゼントボックス表示予告演出の非実施（非実行）を決定している、本発明はこれに限定されず、判定対象の保留記憶の変動カテゴリが非リーチやその他である場合においても、プレゼントボックス表示予告演出の実施・非実施（実行・非実行）を決定するようにしても良い。
【０２６８】
ステップＳ７１３においては、例えば、図２７に示すような決定割合で、プレゼントボックス表示予告演出の有無を決定する。図２７に示す決定割合の設定例では、判定対象の保留記憶の変動表示結果に応じて、プレゼントボックス表示予告演出の有無の決定割合を異ならせている。
【０２６９】
具体的には、変動表示結果が「大当り」である場合には、プレゼントボックス表示予告演出の実施（実行）が決定される割合は、プレゼントボックス表示予告演出の非実施（非実行）が決定される割合よりも高く設定されており、変動表示結果が「ハズレ」である場合には、プレゼントボックス表示予告演出の実施（実行）が決定される割合は、プレゼントボックス表示予告演出の非実施（非実行）が決定される割合よりも低く設定されている。
【０２７０】
そして、ステップＳ７１３においてプレゼントボックス表示予告演出の実施（実行）の有無を決定した後は、該ステップＳ７１３においてプレゼントボックス表示予告演出の実施（実行）が決定されたか否かを判定する（ステップＳ７１４）。プレゼントボックス表示予告演出の非実施（非実行）が決定された場合は（ステップＳ７１４；Ｎｏ）、先読み予告演出決定処理を終了し、プレゼントボックス表示予告演出の実施（実行）が決定された場合は（ステップＳ７１４；Ｙｅｓ）、始動入賞時受信コマンドバッファ１９４Ａにおいて、始動入賞時受信コマンドバッファ１９４Ａに格納された判定対象の保留記憶のバッファ番号に対応付けて、ターゲット変動フラグをセットする。
【０２７１】
次いで、演出制御用ＣＰＵ１２０は、始動入賞時受信コマンドバッファ１９４Ａを参照し、第１特図保留記憶数が３個以下であるか否か、つまり、第１特図保留記憶がバッファ番号「３」に対応した格納領域に格納されているか否かを判定する（ステップＳ７２４）。第１特図保留記憶数が３個以下である場合は（ステップＳ７２４；Ｙｅｓ）、始動入賞時受信コマンドバッファ１９４Ａに格納された判定対象の第１特図保留記憶のバッファ番号に対応付けて、プレゼントボックス表示フラグにプレゼントボックスの表示数である「１」をセットし、始動入賞時受信コマンドバッファ１９４Ａに格納された判定対象の第１特図保留記憶のバッファ番号に対応付けて、残りプレゼントボックスの表示数をセットする（ステップＳ７２４ａ）。
【０２７２】
一方、第１特図保留記憶数が４個の場合は（ステップＳ７２４；Ｎｏ）、始動入賞時受信コマンドバッファ１９４Ａに格納されている第１特図保留記憶のうち１つのバッファ番号に対応付けて、プレゼントボックス表示フラグにプレゼントボックスを表示しないことを示す「０」をセットし、他の始動入賞時受信コマンドバッファ１９４Ａに格納されている各第１特図保留記憶のバッファ番号には、それぞれプレゼントボックス表示フラグにプレゼントボックスの表示数である「１」をセットする（ステップＳ７２４ｂ）。
【０２７３】
ステップＳ７２４ａまたはステップＳ７２４ｂの実行後、演出制御用ＣＰＵ１２０は、始動入賞時受信コマンドバッファ１９４Ａを参照し、プレゼントボックス表示予告演出が決定された保留記憶の変動表示の変動表示結果が「大当り」であるか否かを判定する（ステップＳ７２５）。プレゼントボックス表示予告演出が決定された保留記憶の変動表示の変動表示結果は、ターゲット変動フラグが対応付けてセットされているバッファ番号に対応付けて格納されている図柄指定コマンドを参照し、該図柄指定コマンドが大当りを示すコマンドＣ４０２Ｈであるか否かを判定すれば良い。
【０２７４】
プレゼントボックス表示予告演出が決定された保留記憶の変動表示の変動表示結果が「大当り」である場合は（ステップＳ７２５；Ｙｅｓ）、３つのプレゼントボックスの表示変更時の態様を、例えば乱数回路１２４や演出制御カウンタ設定部１９３のランダムカウンタなどから抽出した表示変更態様決定用の乱数値を示す数値データに基づいて、大当り時表示変更態様決定テーブルを参照することにより、各プレゼントボックス毎に決定する（ステップＳ７２６）。ステップＳ７２６においては、例えば、図２８（Ａ）に示すような決定割合で、プレゼントボックス表示変更態様を決定する。図２８（Ａ）に示す決定割合の設定例では、プレゼントボックス表示予告演出が決定された保留記憶の変動表示の変動表示結果が「大当り」であることに応じて、表示変更態様の決定割を異ならせている。
【０２７５】
具体的には、ステップＳ７２６において決定される表示変更態様のパターンとしては、「？」、「１００ｐｔ」、「２００ｐｔ」、「キャラクタＡ」、「キャラクタＢ」が設けられている。このうち「？」は、ポイントの獲得が実行されず、且つ大当たり期待度も示さない表示変更態様であり、表示レベルは最も低い「１」に設定されている。「１００ｐｔ」及び「２００ｐｔ」は、ポイントの獲得が実行される表示変更態様であり、「１００ｐｔ」の表示レベルは「２」、「２００ｐｔ」の表示レベルは「３」に設定されている。「キャラクタＡ」及び「キャラクタＢ」は、大当たり期待度を示す表示変更態様であり、「キャラクタＡ」の表示レベルは「４」、「キャラクタＢ」の表示レベルは「５」に設定されている。
【０２７６】
ステップＳ７２６におけるこれら表示変更態様は、「？」に決定される割合が最も低く、「１００ｐｔ」に決定される割合は「？」に決定される割合よりも高く設定されている。また、「２００ｐｔ」に決定される割合は「１００ｐｔ」に決定される割合よりも高く設定されており、「キャラクタＡ」に決定される割合は「２００ｐｔ」に決定される割合よりも高く設定されている。そして、「キャラクタＢ」に決定される割合が最も高く設定されている（ステップＳ７２６における表示変更態様の決定割合：「？」＜「１００ｐｔ」＜「２００ｐｔ」＜「キャラクタＡ」＜「キャラクタＢ」）。
【０２７７】
一方、プレゼントボックス表示予告演出が決定された保留記憶の変動表示の変動表示結果が「ハズレ」である場合は（ステップＳ７２５；Ｎｏ）、３つのプレゼントボックスの表示変更時の態様を、例えば乱数回路１２４や演出制御カウンタ設定部１９３のランダムカウンタなどから抽出した表示変更態様決定用の乱数値を示す数値データに基づいて、ハズレ時表示変更態様決定テーブルを参照することにより、各プレゼントボックス毎に決定する（ステップＳ７２７）。ステップＳ７２７においては、例えば、図２８（Ｂ）に示すような決定割合で、プレゼントボックス表示変更態様を決定する。図２８（Ｂ）に示す決定割合の設定例では、プレゼントボックス表示予告演出が決定された保留記憶の変動表示の変動表示結果が「ハズレ」であることに応じて、表示変更態様の決定割を異ならせている。尚、ステップＳ７２７において決定される表示変更態様のパターンとしては、ステップＳ７２６と同様に「？」、「１００ｐｔ」、「２００ｐｔ」、「キャラクタＡ」、「キャラクタＢ」が設けられている。
【０２７８】
そして、ステップＳ７２７におけるこれら表示変更態様は、「キャラクタＢ」に決定される割合が最も低く、「キャラクタＡ」に決定される割合は「キャラクタＢ」に決定される割合よりも高く設定されている。また、「２００ｐｔ」に決定される割合は「キャラクタＡ」に決定される割合よりも高く設定されており、「１００ｐｔ」に決定される割合は「２００ｐｔ」に決定される割合よりも高く設定されている。そして、「？」に決定される割合が最も高く設定されている（ステップＳ７２７における表示変更態様の決定割合：「？」＞「１００ｐｔ」＞「２００ｐｔ」＞「キャラクタＡ」＞「キャラクタＢ」）。
【０２７９】
尚、本実施例では、先読み予告演出決定処理において、判定対象の保留記憶においてプレゼントボックス表示予告演出の実行を決定した場合、更に該先読み予告演出決定処理において各プレゼントボックスの表示変更態様を決定しているが、本発明はこれに限定されず、各プレゼントボックスの表示変更態様は、プレゼントボックスの表示を実行する保留記憶（始動入賞時受信コマンドバッファ１９４Ａにおいて、プレゼントボックス表示フラグがバッファ番号に対応付けてセットされている第１特図保留記憶）の変動表示開始毎に決定するようにしても良い。
【０２８０】
また、本実施例では、先読み予告演出決定処理において、判定対象の保留記憶においてプレゼントボックス表示予告演出の実行を決定した場合、更に該先読み予告演出決定処理において各プレゼントボックスの表示変更態様を決定しているが、本発明はこれに限定されず、各プレゼントボックスの表示変更態様は、後述する変動表示中演出処理において遊技者によりプッシュボタン３１Ｂの押下操作が行われたときに決定するようにしても良い。
【０２８１】
また、本実施例では、図２８に示すように、「２００ｐｔ」の表示レベルの方が「キャラクタＡ」の表示レベルよりも低くなるように、「２００ｐｔ」の表示レベルが「３」、「キャラクタＡ」の表示レベルが「４」に設定されているが、本発明はこれに限定されず、「２００ｐｔ」の表示レベルを「４」、「キャラクタＡ」の表示レベルを「３」とすることで、「２００ｐｔ」の表示レベルの方が「キャラクタＡ」の表示レベルよりも高くなるように設定しても良い。
【０２８２】
また、本実施例では、図２８に示すように、「１００ｐｔ」、「２００ｐｔ」の表示レベルの方が「キャラクタＡ」、「キャラクタＢ」の表示レベルよりも低くなるように、「１００ｐｔ」の表示レベルが「２」、「２００ｐｔ」の表示レベルが「３」、「キャラクタＡ」の表示レベルが「４」、「キャラクタＢ」の表示レベルが「５」に設定されているが、本発明はこれに限定されず、「１００ｐｔ」の表示レベルを「４」、「２００ｐｔ」の表示レベルを「５」、「キャラクタＡ」の表示レベルを「２」、「キャラクタＢ」の表示レベルを「３」とすることで、「１００ｐｔ」及び「２００ｐｔ」の表示レベルの方が、「キャラクタＡ」及び「キャラクタＢ」の表示レベルよりも高くなるように設定しても良い。
【０２８３】
このような設定により、遊技者のプッシュボタン３１Ｂの押下操作によってプレゼントボックスが「キャラクタＢ」の表示画像に表示態様が変更された場合には、ターゲット変動における変動表示結果が「大当り」となる可能性が最も高く、遊技者のプッシュボタン３１Ｂの押下操作によってプレゼントボックスが「キャラクタＡ」の表示画像に表示態様が変更された場合には、ターゲット変動における変動表示結果が「大当り」となる可能性が「キャラクタＢ」の表示画像に表示態様が変更された場合の次に高くなっている。更に、遊技者のプッシュボタン３１Ｂの押下操作によってプレゼントボックスが「２００ｐｔ」の表示画像に表示態様が変更された場合には、ターゲット変動における変動表示結果が「大当り」となる可能性が「キャラクタＡ」の表示画像に表示態様が変更された場合の次に高くなっており、遊技者のプッシュボタン３１Ｂの押下操作によってプレゼントボックスが「１００ｐｔ」の表示画像に表示態様が変更された場合には、ターゲット変動における変動表示結果が「大当り」となる可能性が「２００ｐｔ」の表示画像に表示態様が変更された場合の次に高くなっている。そして、遊技者のプッシュボタン３１Ｂの押下操作によってプレゼントボックスが「？」の表示画像に表示態様が変更された場合には、ターゲット変動における変動表示結果が「大当り」となる可能性が最も低くなっている。
【０２８４】
ステップＳ７２６またはステップＳ７２７を実行した後、演出制御用ＣＰＵ１２０は、ステップＳ７２６またはステップＳ７２７において決定した３つのプレゼントボックスの表示変更態様を、表示レベルの小さい側から順にプレゼントボックス表示変更態様記憶テーブルに格納する。具体的には、ステップＳ７２６またはステップＳ７２７において決定した３つのプレゼントボックスの表示変更態様が、例えばそれぞれ表示レベルが「２」である「１００ｐｔ」、表示レベルが「４」である「キャラクタＡ」、表示レベルが「５」である「キャラクタＢ」である場合は、プレゼントボックス表示変更態様記憶テーブルの最上位に「１００ｐｔ」を表示レベルである「２」と対応付けて格納し、次に「キャラクタＡ」を表示レベル「４」と対応付けて格納する。そして、プレゼントボックス表示変更態様記憶テーブルの最下位に「キャラクタＢ」を表示レベル「５」と対応付けて格納する。
【０２８５】
尚、ステップＳ７２８実行後、演出制御用ＣＰＵ１２０は、ＲＡＭ１２２の所定領域にプレゼントボックス表示予告演出実行中フラグをセットし（ステップＳ７２９）、先読み予告演出決定処理を終了する。
【０２８６】
また、本実施例では、ステップＳ７０８ｂにおいて判定対象の保留記憶が第１特別図柄保留記憶であるか否かを判定することで、判定対象の保留記憶が第１特別図柄保留記憶である場合にプレゼントボックス表示予告演出の実行・非実行を決定しているが、本発明はこれに限定されず、ＣＰＵ１０３が実行する入賞時乱数値判定処理において、第２特図保留記憶の入賞である場合は変動カテゴリを判定しないようにすることで、第２特図保留記憶の入賞についてはプレゼントボックス表示予告演出の対象から除外することにより、先読み予告演出決定処理においては、ステップＳ７０８ｂの処理を実行しないようにしても良い。
【０２８７】
また、本実施例では、ステップＳ７０８ｂにおいて判定対象の保留記憶が第１特別図柄保留記憶であるか否かを判定することで、判定対象の保留記憶が第１特別図柄保留記憶である場合にプレゼントボックス表示予告演出の実行・非実行を決定しているが、本発明はこれに限定されず、判定対象の保留記憶が第２特別図柄保留記憶である場合にプレゼントボックス表示予告演出の実行・非実行を決定するようにしても良い。
【０２８８】
また、本実施例では、ステップＳ７０８ｂにおいて判定対象の保留記憶が第１特別図柄保留記憶であるか否かを判定することで、判定対象の保留記憶が第１特別図柄保留記憶である場合にプレゼントボックス表示予告演出の実行・非実行を決定するようにしているが、本発明はこれに限定されず、遊技状態が低確低ベース状態または高確低ベース状態で有る場合は、判定対象の保留記憶が第１特別図柄保留記憶である場合のみプレゼントボックス表示予告演出の実行・非実行を決定し、遊技状態が低確高ベース状態または高確高ベース状態で有る場合は、判定対象の保留記憶が第２特別図柄保留記憶である場合のみプレゼントボックス表示予告演出の実行・非実行を決定するようにしても良い。
【０２８９】
尚、これら遊技状態が低確低ベース状態または高確低ベース状態で有る場合に、プレゼントボックス表示予告演出の対象を第１特別図柄保留記憶のみとするために、ＣＰＵ１０３が実行する入賞時乱数値判定処理において、第１特別図柄保留記憶の入賞についてのみ変動カテゴリの判定を実施し、遊技状態が低確高ベース状態または高確高ベース状態で有る場合に、プレゼントボックス表示予告演出の対象を第２特別図柄保留記憶のみとするために、ＣＰＵ１０３が実行する入賞時乱数値判定処理において、第２特別図柄保留記憶の入賞についてのみ変動カテゴリの判定を実施するようにしても良い。
【０２９０】
図２３、図２４に示すステップＳ１６１にて先読み予告演出決定処理を実行した後には、例えば演出制御フラグ設定部１９１などに設けられた演出プロセスフラグの値に応じて、以下のようなステップＳ１７０〜Ｓ１７７の処理のいずれかを選択して実行する。
【０２９１】
ステップＳ１７０の変動表示開始待ち処理は、演出プロセスフラグの値が“０”のときに実行される処理である。この変動表示開始待ち処理は、主基板１１からの第１変動開始コマンドあるいは第２変動開始コマンドなどを受信したか否かに基づき、始動入賞時受信コマンドバッファ１９４Ａの第１特図保留記憶または第２特図保留記憶のバッファ番号「０」に格納されている受信コマンドに基づく演出表示装置５における演出図柄の変動表示を開始するか否かを判定する処理などを含んでいる。
【０２９２】
ステップＳ１７１の変動表示開始設定処理は、演出プロセスフラグの値が“１”のときに実行される処理である。この変動表示開始設定処理は、第１特別図柄表示装置４Ａや第２特別図柄表示装置４Ｂによる特図ゲームにおいて特別図柄の変動表示が開始されることに対応して、演出表示装置５における演出図柄の変動表示や、その他の各種演出動作を行うために、特別図柄の変動パターンや表示結果の種類などに応じた確定演出図柄や各種の演出制御パターンを決定する処理などを含んでいる。
【０２９３】
ステップＳ１７２の変動表示中演出処理は、演出プロセスフラグの値が“２”のときに実行される処理である。この変動表示中演出処理において、演出制御用ＣＰＵ１２０は、演出制御タイマ設定部１９２に設けられた演出制御プロセスタイマにおけるタイマ値に対応して、演出制御パターンから各種の制御データを読み出し、演出図柄の変動表示中における各種の演出制御を行う。こうした演出制御を行った後、例えば特図変動時演出制御パターンから演出図柄の変動表示終了を示す終了コードが読み出されたこと、あるいは、主基板１１から伝送される図柄確定コマンドを受信したことなどに対応して、演出図柄の変動表示結果となる最終停止図柄としての確定演出図柄を完全停止表示させる。特図変動時演出制御パターンから終了コードが読み出されたことに対応して確定演出図柄を完全停止表示させるようにすれば、変動パターン指定コマンドにより指定された変動パターンに対応する変動表示時間が経過したときに、主基板１１からの演出制御コマンドによらなくても、演出制御基板１２の側で自律的に確定演出図柄を導出表示して変動表示結果を確定させることができる。確定演出図柄を完全停止表示したときには、演出プロセスフラグの値が“３”に更新される。
【０２９４】
ステップＳ１７３の特図当り待ち処理は、演出プロセスフラグの値が“３”のときに実行される処理である。この特図当り待ち処理において、演出制御用ＣＰＵ１２０は、主基板１１から伝送された当り開始指定コマンドの受信があったか否かを判定する。そして、当り開始指定コマンドを受信したきに、その当り開始指定コマンドが大当り遊技状態の開始を指定するものであれば、演出プロセスフラグの値を大当り中演出処理に対応した値である“６”に更新する。これに対して、当り開始指定コマンドを受信したときに、その当り開始指定コマンドが小当り遊技状態の開始を指定するものであれば、演出プロセスフラグの値を小当り中演出処理に対応した値である“４”に更新する。また、当り開始指定コマンドを受信せずに、演出制御プロセスタイマがタイムアウトしたときには、特図ゲームにおける特図表示結果が「ハズレ」であったと判断して、演出プロセスフラグの値を初期値である“０”に更新する。
【０２９５】
ステップＳ１７４の小当り中演出処理は、演出制御プロセスフラグの値が“４”のときに実行される処理である。この小当り中演出処理において、演出制御用ＣＰＵ１２０は、例えば小当り遊技状態における演出内容に対応した演出制御パターン等を設定し、その設定内容に基づく演出画像を演出表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、小当り遊技状態における各種の演出制御を実行する。また、小当り中演出処理では、例えば主基板１１からの当り終了指定コマンドを受信したことに対応して、演出プロセスフラグの値を小当り終了演出に対応した値である“５”に更新する。
【０２９６】
ステップＳ１７５の小当り終了演出処理は、演出制御プロセスフラグの値が“５”のときに実行される処理である。この小当り終了演出処理において、演出制御用ＣＰＵ１２０は、例えば小当り遊技状態の終了などに対応した演出制御パターン等を設定し、その設定内容に基づく演出画像を演出表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、小当り遊技状態の終了時における各種の演出制御を実行する。その後、演出プロセスフラグの値を初期値である“０”に更新する。
【０２９７】
ステップＳ１７６の大当り中演出処理は、演出プロセスフラグの値が“６”のときに実行される処理である。この大当り中演出処理において、演出制御用ＣＰＵ１２０は、例えば大当り遊技状態における演出内容に対応した演出制御パターン等を設定し、その設定内容に基づく演出画像を演出表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態における各種の演出制御を実行する。また、大当り中演出処理では、例えば主基板１１からの当り終了指定コマンドを受信したことに対応して、演出制御プロセスフラグの値をエンディング演出処理に対応した値である“７”に更新する。
【０２９８】
ステップＳ１７７のエンディング演出処理は、演出プロセスフラグの値が“７”のときに実行される処理である。このエンディング演出処理において、演出制御用ＣＰＵ１２０は、例えば大当り遊技状態の終了などに対応した演出制御パターン等を設定し、その設定内容に基づく演出画像を演出表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態の終了時における各種の演出制御を実行する。その後、演出プロセスフラグの値を初期値である“０”に更新する。
【０２９９】
図２５は、変動表示開始設定処理として、図２２のステップＳ１７１にて実行される処理の一例を示すフローチャートである。図２５に示す変動表示開始設定処理において、演出制御用ＣＰＵ１２０は、先ず、ステップ７３０において演出制御フラグ設定部１９１の所定領域を参照し、第１変動開始コマンド受信フラグがセットされているか否かを判定する（ステップＳ７３０）。第１変動開始コマンド受信フラグがセットされている場合は（ステップＳ７３０；Ｙｅｓ）、始動入賞時受信コマンドバッファ１９４Ａにおける第１特図保有記憶のバッファ番号「０」に対応付けて受信コマンド、プレゼントボックス表示フラグ、ターゲット変動フラグが格納されていれば、これら受信コマンド、プレゼントボックス表示フラグ、ターゲット変動フラグを削除し、第２特図保有記憶のバッファ番号「０」に対応付けて受信コマンドが格納されていれば、これら受信コマンドを削除する（ステップＳ７３２）。そして、始動入賞時受信コマンドバッファ１９４Ａにおける第１特図保留記憶のバッファ番号「０」より下位のバッファ番号（例えばバッファ番号「１」〜「４」）に対応付けて格納されている受信コマンド、プレゼントボックス表示フラグ、ターゲット変動フラグを、バッファ番号１個分ずつ上位にシフトする（ステップＳ７３３）。
【０３００】
具体的には、第１特図保留記憶のバッファ番号「１」に対応付けて格納されている受信コマンド、プレゼントボックス表示フラグ、ターゲット変動フラグを、第１特図保留記憶のバッファ番号「０」に対応付けて格納するようにシフトし、第１特図保留記憶のバッファ番号「２」に対応付けて格納されている受信コマンド、プレゼントボックス表示フラグ、ターゲット変動フラグを、第１特図保留記憶のバッファ番号「１」に対応付けて格納するようにシフトし、第１特図保留記憶のバッファ番号「３」に対応付けて格納されている受信コマンド、プレゼントボックス表示フラグ、ターゲット変動フラグを、第１特図保留記憶のバッファ番号「２」に対応付けて格納するようにシフトし、第１特図保留記憶のバッファ番号「４」に対応付けて格納されている受信コマンド、プレゼントボックス表示フラグ、ターゲット変動フラグを、第１特図保留記憶のバッファ番号「３」に対応付けて格納するようにシフトする。
【０３０１】
そして、演出制御用ＣＰＵ１２０は、ＲＡＭ１２２の所定領域を参照し、プレゼントボックス表示予告演出実行中フラグがセットされているか否かを判定する（ステップＳ７３４）。プレゼントボックス表示予告演出実行中フラグがセットされていない場合は（ステップＳ７３４；Ｎｏ）、ステップＳ７４３に進み、プレゼントボックス表示予告演出実行中フラグがセットされている場合は（ステップＳ７３４；Ｙｅｓ）、始動入賞時受信コマンドバッファ１９４Ａにおける第１特図保留記憶のバッファ番号「０」に対応付けて格納されているプレゼントボックス表示フラグをチェックし（ステップＳ７３５）、該プレゼントボックス表示フラグに「０」以外がセットされているか否かを判定する（ステップＳ７３６）。プレゼントボックス表示フラグに「０」がセットされている場合は（ステップＳ７３６；Ｎｏ）、ステップＳ７４３に進み、プレゼントボックス表示フラグに「０」以外がセットされている場合は（ステップＳ７３６；Ｙｅｓ）、始動入賞時受信コマンドバッファ１９４Ａにおける第１特図保留記憶のバッファ番号「０」に対応付けて格納されているプレゼントボックス表示フラグに対応する数（例えば、セットされているプレゼントボックス表示フラグが「１」であれば１個、セットされているプレゼントボックス表示フラグが「２」であれば２個）のプレゼントボックスを演出表示装置５の表示画面に追加表示した後（ステップＳ７３７）、ステップＳ７４３に進む。
【０３０２】
尚、本実施例では、変動表示開始設定処理において、ステップＳ７３７を実行することで演出図柄の変動表示の開始時にプレゼントボックスの追加表示が実行されるようになっているが、本発明はこれに限定されず、プレゼントボックスの追加表示は、変動表示中演出処理において前記ステップＳ７３７と同様の処理を実行することで、演出図柄の変動表示中に実行するようにしても良い。
【０３０３】
また、ステップＳ７３０において第１変動開始コマンド受信フラグがセットされていない場合は（ステップＳ７３０；Ｎｏ）、演出制御フラグ設定部１９１の所定領域を参照し、第２変動開始コマンド受信フラグがセットされているか否かを判定する（ステップＳ７３９）。第２変動開始コマンド受信フラグがセットされていない場合は（ステップＳ７３９；Ｎｏ）、変動表示開始設定処理を終了し、第２変動開始コマンド受信フラグがセットされている場合は（ステップＳ７３９；Ｙｅｓ）、始動入賞時受信コマンドバッファ１９４Ａにおける第１特図保有記憶のバッファ番号「０」に対応付けて受信コマンド、プレゼントボックス表示フラグ、ターゲット変動フラグが格納されていれば、これら受信コマンド、プレゼントボックス表示フラグ、ターゲット変動フラグを削除し、第２特図保有記憶のバッファ番号「０」に対応付けて受信コマンドが格納されていれば、これら受信コマンドを削除する（ステップＳ７４１）。そして、始動入賞時受信コマンドバッファ１９４Ａにおける第２特図保留記憶のバッファ番号「０」より下位のバッファ番号（例えばバッファ番号「１」〜「４」）に対応付けて格納されている受信コマンドを、バッファ番号１個分ずつ上位にシフトする（ステップＳ７４２）。
【０３０４】
具体的には、第２特図保留記憶のバッファ番号「１」に対応付けて格納されている受信コマンドを、第２特図保留記憶のバッファ番号「０」に対応付けて格納するようにシフトし、第２特図保留記憶のバッファ番号「２」に対応付けて格納されている受信コマンドを、第２特図保留記憶のバッファ番号「１」に対応付けて格納するようにシフトし、第２特図保留記憶のバッファ番号「３」に対応付けて格納されている受信コマンドを、第２特図保留記憶のバッファ番号「２」に対応付けて格納するようにシフトし、第２特図保留記憶のバッファ番号「４」に対応付けて格納されている受信コマンドを、第３特図保留記憶のバッファ番号「３」に対応付けて格納するようにシフトする。そして、ステップＳ７４３に進む。
【０３０５】
ステップＳ７４３において、演出制御用ＣＰＵ１２０は、まず、変動パターン指定コマンド格納領域から変動パターン指定コマンドを読み出す（ステップＳ７４３）。変動パターン指定コマンドは、特別図柄プロセス処理において変動開始時に決定される変動パターンを指定するコマンドであり、図５に示す変動パターンのうちのいずれの変動パターンを実行するかを指定するためのコマンドである。
【０３０６】
次いで、表示結果指定コマンド格納領域に格納されているデータ（すなわち、受信した変動表示結果指定コマンド）に応じて演出図柄の表示結果（停止図柄）を決定する（ステップＳ７４４）。この場合、演出制御用ＣＰＵ１２０は、変動表示結果指定コマンドで指定される表示結果に応じた演出図柄の停止図柄を決定し、決定した演出図柄の停止図柄を示すデータを演出図柄表示結果格納領域に格納する。
【０３０７】
ステップＳ７４４の実行後、演出制御用ＣＰＵ１２０は、変動パターン指定コマンドに応じた演出制御パターン（プロセステーブル）を選択する（ステップＳ７４５）。そして、選択したプロセステーブルのプロセスデータ１におけるプロセスタイマをスタートさせる（ステップＳ７４６）。
【０３０８】
この際、演出制御用ＣＰＵ１２０は、ステップＳ８２３の示唆演出決定処理において示唆演出の実行が決定されたか否かを、示唆演出実行フラグにより判定し、示唆演出の実行が決定されている場合には、示唆演出の演出制御内容を含む演出制御パターン（プロセステーブル）を選択し、示唆演出の実行が決定されていない場合には、示唆演出の演出制御内容を含まない演出制御パターン（プロセステーブル）を選択する。
【０３０９】
次いで、演出制御用ＣＰＵ１２０は、プロセスデータ１の内容（表示制御実行データ１、ランプ制御実行データ１、音制御実行データ１）に従って演出装置（演出用部品としての演出表示装置５、演出用部品としての各種ランプおよび演出用部品としてのスピーカ８Ｌ，８Ｒ、操作部（スティックコントローラ３１Ａ、プッシュボタン３１Ｂ等））の制御を実行する（ステップＳ７４７）。例えば、演出表示装置５において変動パターンに応じた画像を表示させるために、表示制御部１２３のＶＤＰに指令を出力する。また、各種ランプを点灯／消灯制御を行わせるために、ランプ制御基板１４に対して制御信号（ランプ制御実行データ）を出力する。また、スピーカ８Ｌ，８Ｒからの音声出力を行わせるために、音声制御基板１３に対して制御信号（音番号データ）を出力する。
【０３１０】
なお、この実施例では、演出制御用ＣＰＵ１２０は、変動パターン指定コマンドに１対１に対応する変動パターンによる演出図柄の変動表示が行われるように制御するが、演出制御用ＣＰＵ１２０は、変動パターン指定コマンドに対応する複数種類の変動パターンから、使用する変動パターンを選択するようにしてもよい。
【０３１１】
そして、変動時間タイマに、変動パターン指定コマンドで特定される変動時間に相当する値を設定する（ステップＳ７４８）。また、変動制御タイマに所定時間を設定する（ステップＳ７４９）。なお、所定時間は例えば３０ｍｓであり、演出制御用ＣＰＵ１２０は、所定時間が経過する毎に左中右の演出図柄の表示状態を示す画像データを政治制御部１２３内のＶＲＡＭに書き込み、ＶＤＰがＶＲＡＭに書き込まれた画像データに応じた信号を演出表示装置５に出力し、演出表示装置５が信号に応じた画像を表示することによって演出図柄の変動が実現される。次いで、演出プロセスフラグの値を変動表示中演出処理に対応した値である “２”に更新し（ステップＳ７５０）、変動表示開始設定処理を終了する。
【０３１２】
図３１は、変動表示中演出処理として、図２２のステップＳ１７２にて実行される処理の一例を示すフローチャートである。図３１に示す変動表示中演出処理において、演出制御用ＣＰＵ１２０は、先ず、例えば演出制御プロセスタイマ値などに基づいて、変動パターンに対応した変動表示時間が経過したか否かを判定する（ステップＳ５４１）。一例として、ステップＳ５４１の処理では、演出制御プロセスタイマ値を更新（例えば１減算）し、更新後の演出制御プロセスタイマ値に対応して演出制御パターンから終了コードが読み出されたときなどに、変動表示時間が経過したと判定すればよい。
【０３１３】
ステップＳ５４１にて変動表示時間が経過していない場合には（ステップＳ５４１；Ｎｏ）、変動中予告演出を実行するための変動中予告演出期間であるか否かを判定する（ステップＳ５４２）。変動中予告演出期間は、例えば、図２２のステップＳ１７１で決定された予告演出制御パターンごとに予め定められていればよい。ステップＳ５４２にて変動中予告演出期間であるときには（ステップＳ５４２；Ｙｅｓ）、変動中予告演出を実行するための予告演出動作制御を行う（ステップＳ５４３）。
【０３１４】
一例として、ステップＳ５４３の処理では、各変動中予告演出に対応する予告演出制御パターンなどから読み出した演出制御実行データ（例えば表示制御データ、音声制御データ、ランプ制御データ、操作検出制御データなど）に応じて、演出画像の表示や効果音の出力、ランプの点灯、スティックコントローラ３１Ａやプッシュボタン３１Ｂの操作受付、演出用模型の動作などのうち、一部または全部を含めた所定の演出動作を行うために、各種指令を作成して表示制御部１２３や音声制御基板１３、ランプ制御基板１４などに対して伝送させればよい。
【０３１５】
そして、ステップＳ５４３の処理の実行後は、始動入賞時受信コマンドバッファ１９４Ａを参照し、第１特図保留記憶のバッファ番号「０」に対応付けてターゲット変動フラグがセットされているか否か、つまり、ターゲット変動フラグがセットされている保留記憶の変動表示中であるか否かを判定する（ステップＳ５４３ａ）。ターゲット変動フラグがセットされている保留記憶の変動表示中である場合は（ステップＳ５４３ａ；Ｙｅｓ）、遊技者のプッシュボタン３１Ｂの押下操作を受け付けるためのボタン操作受付期間であるか否かを判定する（ステップＳ５４３ｂ）。ボタン操作受付期間である場合は（ステップＳ５４３ｂ；Ｙｅｓ）、演出表示装置５の表示画面に、遊技者に対してプッシュボタン３１Ｂを操作するよう指示する旨のボタン操作指示表示を行い（ステップＳ５４３ｃ）、遊技者によるプッシュボタン３１Ｂの押下操作を受け付けたか否かを判定する（ステップＳ５４３ｄ）。
【０３１６】
遊技者によるプッシュボタン３１Ｂの押下操作を受け付けた場合は（ステップＳ５４３ｄ；Ｙｅｓ）、ＲＡＭ１２２の所定領域を参照し、図２９に示すプレゼントボックス表示変更態様記憶テーブルに表示変更態様の記憶が有るか否かを判定する（ステップＳ５４３ｅ）。プレゼントボックス表示変更態様記憶テーブルに表示変更態様の記憶が有る場合は（ステップＳ５４３ｅ；Ｙｅｓ）、プレゼントボックス表示変更態様記憶テーブルの最上位に記憶されている表示変更態様を読み出し、演出表示装置５の表示画面に表示されているプレゼントボックスのうち、１のプレゼントボックスの表示を該表示変更態様が示す表示に変更する（ステップＳ５４３ｆ）。そして、ステップＳ５４３ｆにおいて読み出した表変更態様を、プレゼントボックス表示変更態様記憶テーブルから削除する（ステップＳ５４３ｇ）。尚、ステップＳ５４３ｅにおいて、プレゼントボックス表示変更態様記憶テーブルに表示変更態様の記憶が無い場合は、ボタン操作受付期間を終了させても良い。
【０３１７】
ステップＳ５４２にて変動中予告演出期間でない場合（ステップＳ５４２；Ｎｏ）、ステップＳ５４３ａにてターゲット変動フラグがセットされている保留記憶の変動表示中でない場合（ステップＳ５４３ａ；Ｎｏ）、ステップＳ５４３ｂにてボタン操作受付期間でない場合（ステップＳ５４３ｂ；Ｎｏ）、ステップＳ５４３ｄにて遊技者によるプッシュボタン３１Ｂの押下操作を受け付けていない場合（ステップＳ５４３ｄ；Ｎｏ）、ステップＳ５４３ｅにてプレゼントボックス表示変更態様記憶テーブルに表示変更態様の記憶が無い場合（ステップＳ５４３ｅ；Ｎｏ）及びステップＳ５４３ｇの実行後は、ノーマルリーチ演出を実行するためのノーマルリーチ演出期間であるか否かを判定する（ステップＳ５４７）。ノーマルリーチ演出期間は、所定のリーチ演出に対応して選択されたリーチ演出制御パターンにおいて、予め定められていればよい。ステップＳ５４７にてノーマルリーチ演出期間であるときには（ステップＳ５４７；Ｙｅｓ）、ターゲット変動フラグ、プレゼントボックス表示演出実行中フラグがセットされていればそれぞれクリアするとともに（ステップＳ５４７ａ）、演出表示装置５の表示画面にプレゼントボックスやプレゼントボックスの表示変更態様である「１００ｐｔ」や「キャラクタＡ」等が示す表示が残っていれば、これらプレゼントボックス表示予告演出の表示を表示画面から消去し（ステップＳ５４７ｂ）、ノーマルリーチ演出を実行するための演出動作制御を行う（ステップＳ５４８）。
【０３１８】
ステップＳ５４７にてノーマルリーチ演出期間でないとき（ステップＳ５４７；Ｎｏ）またはステップＳ５４８の実行した後は、スーパーリーチ演出を実行するためのスーパーリーチ演出期間であるか否かを判定する（ステップＳ５５２）。スーパーリーチ演出期間は、所定のリーチ演出に対応して選択されたリーチ演出制御パターンにおいて、予め定められていればよい。ステップＳ５５２にてスーパーリーチ演出期間であるときには（ステップＳ５５２；Ｙｅｓ）、スーパーリーチ演出を実行するための演出動作制御を行う（ステップＳ５５３）。
【０３１９】
ステップＳ５５２にてスーパーリーチ演出期間ではないときや（ステップＳ５５２；Ｎｏ）、ステップＳ５５３の処理を実行した後には、例えば変動パターンに対応した特図変動時演出制御パターンにおける設定などに基づいて、その他、演出図柄の変動表示動作を含めた演出動作制御、例えば、擬似連演出の演出動作制御を行ってから（ステップＳ５５４）、変動表示中演出処理を終了する。
【０３２０】
ステップＳ５４１にて変動表示時間が経過した場合には（ステップＳ５４１；Ｙｅｓ）、主基板１１から伝送される図柄確定コマンドの受信があったか否かを判定する（ステップＳ５５５）。このとき、図柄確定コマンドの受信がなければ（ステップＳ５５５；Ｎｏ）、変動表示中演出処理を終了して待機する。なお、変動表示時間が経過した後、図柄確定コマンドを受信することなく所定時間が経過した場合には、図柄確定コマンドを正常に受信できなかったことに対応して、所定のエラー処理が実行されるようにしてもよい。
【０３２１】
ステップＳ５５５にて図柄確定コマンドの受信があった場合には（ステップＳ５５５；Ｙｅｓ）、例えば表示制御部１２３のＶＤＰ等に対して所定の表示制御指令を伝送させることといった、演出図柄の変動表示において表示結果となる最終停止図柄（確定演出図柄）を導出表示させる制御を行う（ステップＳ５５６）。また、当り開始指定コマンド受信待ち時間として予め定められた一定時間を設定し（ステップＳ５５７）、演出プロセスフラグの値を特図当り待ち処理に対応した値である“３”に更新してから（ステップＳ５６２）、変動表示中演出処理を終了する。
【０３２２】
次に、本実施例においてプレセントボックス表示予告演出の実行が決定された場合における当該パチンコ遊技機１における演出態様について図３３に基づいて説明する。
【０３２３】
先ず、図３３（ａ）に示すように、第１特図保留記憶数が「２」であり、変動表示結果が「ハズレ」となる第１特図保留記憶の変動表示が実行されている状態において（本実施例では、変動表示が実行されている保留記憶の保留表示を表示画面下部の中央に表示）、第１始動入賞口に遊技球が入賞すると、第１特図保留記憶数が「３」となり、該始動入賞に伴いプレゼントボックス表示予告演出の実行が決定される。
【０３２４】
そして、図３３（ｂ）及び図３３（ｃ）に示すように、演出図柄が「ハズレ」を示す組み合わせで導出表示された後、新たに演出図柄の変動表示が開始されることで、表示画面にプレゼントボックスが１個表示される。このプレゼントボックスの表示は、図３３（ｄ）に示すように、演出図柄が「ハズレ」を示す組み合わせで導出表示された後も維持され、更に演出図柄の変動表示が開始されることで、図３３（ｅ）に示すように、表示画面にプレゼントボックスが１個追加表示される。
【０３２５】
このように、図３３（ｆ）に示すように、表示画面にプレゼントボックスが２個表示されている状態で演出図柄が「ハズレ」を示す組み合わせで導出表示された後、プレゼントボックス表示予告演出の実行が決定された第１特図保留記憶の変動表示が実行されると、図３３（ｇ）に示すように、更に表示画面にプレゼントボックスが１個追加表示され、表示画面にプレゼントボックスが３個表示されている状態となる。
【０３２６】
そして、プレゼントボックス表示予告演出の実行が決定された第１特図保留記憶の変動表示中においてプレゼントボックスが３個表示されている状態となると、図３３（ｈ）に示すように、表示画面には、更に遊技者に対してプッシュボタン３１Ｂを押下操作するよう促す表示が実行される。更に、表示画面に遊技者に対してプッシュボタン３１Ｂを押下操作するよう促す表示が実行されている状態において遊技者がプッシュボタン３１Ｂを押下操作することで、図３３（ｉ）及び図３３（ｋ）に示すように、該プッシュボタン３１Ｂの押下操作毎にプレゼントボックスの表示が１００ポイントの獲得を示す画像や、大当り期待度を示すキャラクタＡ、Ｂの画像に１個ずつ表示レベル順に変更される。
【０３２７】
そして、ノーマルリーチ演出期間となることでこれらプレゼントボックス及び１００ポイントの獲得を示す画像や、大当り期待度を示すキャラクタＡ、Ｂの画像が表示画面から消去され、ノーマルリーチ演出及びスーパーリーチ演出の実行後、演出図柄が「大当り」または「ハズレ」の組み合わせで導出表示される。
【０３２８】
以上、本実施例におけるパチンコ遊技機１によれば、前述した引用文献１の遊技機にあっては、変動表示中において、リーチ演出中に実行される演出において使用されるアイテムの画像（第１画像）が予め表示されてしまうため、使用するアイテムに応じた演出の演出効果が遊技者に予測されてしまい、演出効果を向上させることができないという問題があるのに対し、本実施例におけるパチンコ遊技機１にあっては、複数の変動表示において順次表示された３個のプレゼントボックスが「キャラクタＡ」、「キャラクタＢ」等の表示変更態様の画像に変化するため、プレゼントボックスを用いた演出の演出効果をプレゼントボックスが変化しない場合によりも向上できるとともに、これらプレゼントボックスが変化した表示変更態様の画像により大当りとなる可能性が示唆されるので、表示変更態様の画像への変化に遊技者を注目させることができるので、パチンコ遊技機１の興趣を向上できる。
【０３２９】
また、複数の変動表示において順次表示された３個のプレゼントボックスが「１００ｐｔ」、「２００ｐｔ」等の表示変更態様の画像に変化するため、プレゼントボックスを用いた演出の演出効果をプレゼントボックスが変化しない場合によりも向上できるとともに、これらプレゼントボックスが変化した表示変更態様の画像によりポイントが付与される可能性が示唆されるので表示変更態様の画像への変化に遊技者を注目させることができるので、パチンコ遊技機１の興趣を向上できる。
【０３３０】
また、入賞時乱数値判定処理の判定結果が条件を満たした保留記憶に基づく変動表示（ターゲット変動）までの変動表示において順次プレゼントボックスが表示されていき、該変動表示（ターゲット変動）においてプレゼントボックスが表示変更態様の画像に変更されるので、プレゼントボックスの表示による遊技者の期待感を維持することができる。
【０３３１】
また、遊技者がプッシュボタン３１Ｂを操作する毎にプレゼントボックスが表示変更態様の画像に変更されていくので、遊技者の操作意欲を維持するとともに、表示変更態様の画像に変化していないプレゼントボックスへの期待感を維持することができる。
【０３３２】
以上、本発明の実施例を図面により説明してきたが、具体的な構成はこれら実施例に限られるものではなく、本発明の要旨を逸脱しない範囲における変更や追加があっても本発明に含まれる。
【０３３３】
例えば、前記実施例では、変動表示結果に応じてプレゼントボックス表示予告演出の実行・非実行を決定し、プレゼントボックス表示予告演出の実行を決定した場合は、更に変動表示結果が「大当り」である場合と「ハズレ」である場合とでプレゼントボックスの表示変更態様を異なる割合で決定したが、本発明はこれに限定されず、プレゼントボックス表示予告演出の実行を決定した場合は、変形例１として、プレゼントボックスの表示態様を複数態様から決定し、更にプレゼントボックスの表示変更態様を変動表示結果及びプレゼントボックスの表示態様とから異なる割合で決定するようにしても良い。
【０３３４】
具体的には、図３４に示すように、ステップＳ１６１の先読み予告演出決定処理におけるステップＳ７２４ａまたはステップＳ７２４ｂの実行後、プレゼントボックス表示演出が決定されたターゲット変動の変動表示結果が「大当り」であるか否かを判定する（ステップＳ７５１）。ターゲット変動の変動表示結果が「大当り」であるか否かは、ターゲット変動フラグが対応付けてセットされているバッファ番号に対応付けて格納されている図柄指定コマンドを参照し、該図柄指定コマンドが大当りを示すコマンドＣ４０２Ｈであるか否かを判定すれば良い。
【０３３５】
プレゼントボックス表示演出が決定されたターゲット変動の変動表示結果が「大当り」である場合は（ステップＳ７５１；Ｙｅｓ）、例えば乱数回路１２４や演出制御カウンタ設定部１９３のランダムカウンタなどから抽出したボックスカラー決定用の乱数値を示す数値データに基づいて、プレゼントボックスカラー決定テーブルを参照することにより、変動表示結果が「大当り」であることに応じて演出表示装置５の表示画面に表示されるプレゼントボックスのボックスカラーを一度に決定する（ステップＳ７５２）。ステップＳ７５２においては、例えば、図３５に示すような決定割合で、プレゼントボックスのボックスカラーを決定する。図３５に示す決定割合の設定例では、ターゲット変動の変動表示結果が「大当り」であることに応じて、ボックスカラーの決定割合を異ならせている。
【０３３６】
具体的には、ボックスカラーとしては、「白」と「赤」の２種類が設けられている。ステップＳ７５２では、ターゲット変動の変動表示結果が「大当り」であることに応じて、ボックスカラーが「赤」に決定される割合が、ボックスカラーが「白」に決定される割合よりも高く設定されている。
【０３３７】
ステップＳ７５２の実行後の演出制御用ＣＰＵ１２０は、ステップＳ７５２において決定したボックスカラーが「白」であるか否かを判定する（ステップＳ７５３）。ステップＳ７５２において決定したボックスカラーが「白」である場合は（ステップＳ７５３；Ｙｅｓ）、３個のプレゼントボックスの表示変更時の態様を、例えば乱数回路１２４や演出制御カウンタ設定部１９３のランダムカウンタなどから抽出した表示変更態様決定用の乱数値を示す数値データに基づいて、大当り時表示変更態様決定テーブル（ボックスカラー白用）を参照することにより、各プレゼントボックス毎に決定する（ステップＳ７５４）。ステップＳ７５４においては、例えば、図３６（Ａ）に示すような決定割合で、プレゼントボックス表示変更態様を決定する。図３６（Ａ）に示す決定割合の設定例では、プレゼントボックス表示予告演出が決定された保留記憶の変動表示の変動表示結果が「大当り」であること、及びボックスカラーが「白」であることに応じて、表示変更態様の決定割を異ならせている。
【０３３８】
具体的には、ステップＳ７５４において決定される表示変更態様のパターンとしては、「？」、「１００ｐｔ」、「２００ｐｔ」、「キャラクタＡ」、「キャラクタＢ」が設けられている。このうち「？」は、ポイントの獲得が実行されず、且つ大当たり期待度も示さない表示変更態様であり、表示レベルは最も低い「１」に設定されている。「１００ｐｔ」及び「２００ｐｔ」は、ポイントの獲得が実行される表示変更態様であり、「１００ｐｔ」の表示レベルは「２」、「２００ｐｔ」の表示レベルは「３」に設定されている。「キャラクタＡ」及び「キャラクタＢ」は、大当たり期待度を示す表示変更態様であり、「キャラクタＡ」の表示レベルは「４」、「キャラクタＢ」の表示レベルは「５」に設定されている。
【０３３９】
ステップＳ７５４におけるこれら表示変更態様は、「？」に決定される割合が最も低く、「１００ｐｔ」に決定される割合は「？」に決定される割合よりも高く設定されている。また、「２００ｐｔ」に決定される割合は「１００ｐｔ」に決定される割合よりも高く設定されており、「キャラクタＡ」に決定される割合は「２００ｐｔ」に決定される割合よりも高く設定されている。そして、「キャラクタＢ」に決定される割合が最も高く設定されている（ステップＳ７５４における表示変更態様の決定割合：「？」＜「１００ｐｔ」＜「２００ｐｔ」＜「キャラクタＡ」＜「キャラクタＢ」）。
【０３４０】
一方、ステップＳ７５２において決定したボックスカラーが「赤」である場合は（ステップＳ７５３；Ｎｏ）、３個のプレゼントボックスの表示変更時の態様を、例えば乱数回路１２４や演出制御カウンタ設定部１９３のランダムカウンタなどから抽出した表示変更態様決定用の乱数値を示す数値データに基づいて、大当り時表示変更態様決定テーブル（ボックスカラー赤用）を参照することにより、各プレゼントボックス毎に決定する（ステップＳ７５５）。ステップＳ７５５においては、例えば、図３６（Ｂ）に示すような決定割合で、プレゼントボックス表示変更態様を決定する。図３６（Ｂ）に示す決定割合の設定例では、プレゼントボックス表示予告演出が決定された保留記憶の変動表示の変動表示結果が「大当り」であること、及びボックスカラーが「赤」であることに応じて、表示変更態様の決定割を異ならせている。
【０３４１】
具体的には、ステップＳ７５５において決定される表示変更態様のパターンとしては、「？」、「１００ｐｔ」、「２００ｐｔ」、「キャラクタＡ」、「キャラクタＢ」が設けられており、ステップＳ７５５におけるこれら表示変更態様は、ステップＳ７５４と同様に、「？」に決定される割合が最も低く、「１００ｐｔ」に決定される割合は「？」に決定される割合よりも高く設定されている。また、「２００ｐｔ」に決定される割合は「１００ｐｔ」に決定される割合よりも高く設定されており、「キャラクタＡ」に決定される割合は「２００ｐｔ」に決定される割合よりも高く設定されている。そして、「キャラクタＢ」に決定される割合が最も高く設定されている（ステップＳ７５５における表示変更態様の決定割合：「？」＜「１００ｐｔ」＜「２００ｐｔ」＜「キャラクタＡ」＜「キャラクタＢ」）。
【０３４２】
しかしながら、ステップＳ７５５において「？」に決定される割合は、ステップＳ７５４において「？」に決定される割合よりも低く設定されており、ステップＳ７５５において「１００ｐｔ」に決定される割合は、ステップＳ７５４において「１００ｐｔ」に決定される割合よりも低く設定されている。更にステップＳ７５５において「キャラクタＡ」に決定される割合は、ステップＳ７５４において「キャラクタＡ」に決定される割合よりも低く設定されている。逆に、ステップＳ７５５において「２００ｐｔ」に決定される割合は、ステップＳ７５４において「２００ｐｔ」に決定される割合よりも高く設定されており、ステップＳ７５５において「キャラクタＢ」に決定される割合は、ステップＳ７５４において「キャラクタＢ」に決定される割合よりも高く設定されている。尚、ステップＳ７５５において「２００ｐｔ」に決定される割合は、ステップＳ７５４において「２００ｐｔ」に決定される割合の約１．３３倍に設定されており、ステップＳ７５５において「キャラクタＢ」に決定される割合は、ステップＳ７５４において「キャラクタＢ」に決定される割合の１．４倍に設定されている。
【０３４３】
つまり、ターゲット変動の変動表示結果が「大当り」であり、プレゼントボックスのボックスカラーが「赤」に決定された場合は、ターゲット変動の変動表示結果が「大当り」であり、プレゼントボックスのボックスカラーが「白」に決定された場合と比較して、ターゲット変動において「１００ｐｔ」より高いポイント数の獲得を示す「２００ｐｔ」の画像及び「キャラクタＡ」より大当り期待度の高い「キャラクタＢ」の画像が表示され易いようになっている。特に、「キャラクタＢ」の画像が「２００ｐｔ」の画像よりも表示され易いようになっている。
【０３４４】
また、ステップＳ７５１にてプレゼントボックス表示演出が決定されたターゲット変動の変動表示結果が「ハズレ」である場合は（ステップＳ７５１；Ｎｏ）、例えば乱数回路１２４や演出制御カウンタ設定部１９３のランダムカウンタなどから抽出したボックスカラー決定用の乱数値を示す数値データに基づいて、プレゼントボックスカラー決定テーブルを参照することにより、変動表示結果が「ハズレ」であることに応じて演出表示装置５の表示画面に表示されるプレゼントボックスのボックスカラーを一度に決定する（ステップＳ７５６）。ステップＳ７５６においては、例えば、図３５に示すような決定割合で、プレゼントボックスのボックスカラーを決定する。図３５に示す決定割合の設定例では、ターゲット変動の変動表示結果が「ハズレ」であることに応じて、ボックスカラーの決定割合を異ならせている。
【０３４５】
具体的には、ボックスカラーとしては、「白」と「赤」の２種類が設けられている。ステップＳ７５６では、ターゲット変動の変動表示結果が「ハズレ」であることに応じて、ボックスカラーが「白」に決定される割合が、ボックスカラーが「赤」に決定される割合よりも高く設定されている。
【０３４６】
ステップＳ７５６の実行後の演出制御用ＣＰＵ１２０は、ステップＳ７５６において決定したボックスカラーが「白」であるか否かを判定する（ステップＳ７５７）。ステップＳ７５６において決定したボックスカラーが「白」である場合は（ステップＳ７５７；Ｙｅｓ）、３個のプレゼントボックスの表示変更時の態様を、例えば乱数回路１２４や演出制御カウンタ設定部１９３のランダムカウンタなどから抽出した表示変更態様決定用の乱数値を示す数値データに基づいて、ハズレ時表示変更態様決定テーブル（ボックスカラー白用）を参照することにより、各プレゼントボックス毎に決定する（ステップＳ７５８）。ステップＳ７５８においては、例えば、図３６（Ｃ）に示すような決定割合で、プレゼントボックス表示変更態様を決定する。図３６（Ｃ）に示す決定割合の設定例では、プレゼントボックス表示予告演出が決定された保留記憶の変動表示の変動表示結果が「ハズレ」であること、及びボックスカラーが「白」であることに応じて、表示変更態様の決定割を異ならせている。尚、ステップＳ７５８において決定される表示変更態様のパターンとしては、ステップＳ７５４、７５５と同様に「？」、「１００ｐｔ」、「２００ｐｔ」、「キャラクタＡ」、「キャラクタＢ」が設けられている。
【０３４７】
そして、ステップＳ７５８におけるこれら表示変更態様は、「キャラクタＢ」に決定される割合が最も低く、「キャラクタＡ」に決定される割合は「キャラクタＢ」に決定される割合よりも高く設定されている。また、「２００ｐｔ」に決定される割合は「キャラクタＡ」に決定される割合よりも高く設定されており、「１００ｐｔ」に決定される割合は「２００ｐｔ」に決定される割合よりも高く設定されている。そして、「？」に決定される割合が最も高く設定されている（ステップＳ７５８における表示変更態様の決定割合：「？」＞「１００ｐｔ」＞「２００ｐｔ」＞「キャラクタＡ」＞「キャラクタＢ」）。
【０３４８】
一方、ステップＳ７５６において決定したボックスカラーが「赤」である場合は（ステップＳ７５７；Ｎｏ）３個のプレゼントボックスの表示変更時の態様を、例えば乱数回路１２４や演出制御カウンタ設定部１９３のランダムカウンタなどから抽出した表示変更態様決定用の乱数値を示す数値データに基づいて、ハズレ時表示変更態様決定テーブル（ボックスカラー赤用）を参照することにより、各プレゼントボックス毎に決定する（ステップＳ７５９）。ステップＳ７５９においては、例えば、図３６（Ｄ）に示すような決定割合で、プレゼントボックス表示変更態様を決定する。図３６（Ｄ）に示す決定割合の設定例では、プレゼントボックス表示予告演出が決定された保留記憶の変動表示の変動表示結果が「ハズレ」であること、及びボックスカラーが「赤」であることに応じて、表示変更態様の決定割を異ならせている。尚、ステップＳ７５９において決定される表示変更態様のパターンとしては、ステップＳ７５４、７５５、７５８と同様に「？」、「１００ｐｔ」、「２００ｐｔ」、「キャラクタＡ」、「キャラクタＢ」が設けられている。
【０３４９】
そして、ステップＳ７５９におけるこれら表示変更態様は、「キャラクタＢ」に決定される割合及び「キャラクタＡ」に決定される割合が最も低く、「？」に決定される割合及び「１００ｐｔ」に決定される割合が「キャラクタＢ」に決定される割合及び「キャラクタＡ」に決定される割合よりも高く設定されている。そして、「２００ｐｔ」に決定される割合が最も高く設定されている（ステップＳ７５９における表示変更態様の決定割合：「２００ｐｔ」＞「１００ｐｔ」＝「？」＞「キャラクタＡ」＝「キャラクタＢ」）。
【０３５０】
更に、ステップＳ７５９において「？」に決定される割合は、ステップＳ７５８において「？」に決定される割合よりも低く設定されている。また、ステップＳ７５９において「１００ｐｔ」に決定される割合とステップＳ７５８において「１００ｐｔ」に決定される割合は同一に設定されており、ステップＳ７５９において「キャラクタＡ」に決定される割合とステップＳ７５８において「キャラクタＡ」に決定される割合は同一に設定されている。ステップＳ７５９において「２００ｐｔ」に決定される割合は、ステップＳ７５８において「２００ｐｔ」に決定される割合よりも高く設定されており、ステップＳ７５９において「キャラクタＢ」に決定される割合は、ステップＳ７５８において「キャラクタＢ」に決定される割合よりも高く設定されている。尚、ステップＳ７５９において「２００ｐｔ」に決定される割合は、ステップＳ７５８において「２００ｐｔ」に決定される割合の約２．６６倍に設定されており、ステップＳ７５９において「キャラクタＢ」に決定される割合は、ステップＳ７５８において「キャラクタＢ」に決定される割合の２倍に設定されている。
【０３５１】
つまり、ターゲット変動の変動表示結果が「ハズレ」であり且つプレゼントボックスのボックスカラーが「赤」に決定された場合は、ターゲット変動の変動表示結果が「ハズレ」であり且つプレゼントボックスのボックスカラーが「白」に決定された場合と比較して、ターゲット変動において「１００ｐｔ」より高いポイント数の獲得を示す「２００ｐｔ」の画像及び「キャラクタＡ」より大当り期待度の高い「キャラクタＢ」の画像が表示され易いようになっている。特に、「２００ｐｔ」の画像が「キャラクタＢ」の画像よりも表示され易いようになっている。
【０３５２】
このように、プレゼントボックス表示予告演出の実行を決定した場合に、プレゼントボックスの表示態様を複数態様から決定し、更にプレゼントボックスの表示変更態様を変動表示結果及びプレゼントボックスの表示態様とから異なる割合で決定することにより、プレゼントボックスの表示態様に応じて遊技者にプレゼントボックスが「１００ｐｔ」より高いポイント数の獲得を示す「２００ｐｔ」や、「キャラクタＡ」より大当り期待度の高い「キャラクタＢ」の画像に変化する期待感を煽ることで、興趣の向上を図ることができる。
【０３５３】
尚、該変形例１では、ステップＳ７５２及びステップＳ７５６においてプレゼントボックス表示演出が決定されたターゲット変動の変動表示結果が「大当り」であるか否かに応じて、全てのプレゼントボックスのボックスカラーを一度に決定しているが、ボックスカラーは、プレゼントボックス表示演出が決定されたターゲット変動の変動表示結果が「大当り」であるか否かに応じて、各プレゼントボックス毎に個別に決定するようにしても良く、この場合は、各プレゼントボックス毎に決定したボックスカラーに従って、ステップＳ７５３〜７５５またはステップＳ７５７〜Ｓ７５９を実行する。
【０３５４】
また、前記実施例では、プレゼントボックス表示予告演出の実行・非実行をターゲット変動の変動表示結果に応じて決定し、プレゼントボックス表示予告演出の実行が決定した場合は、表示画面に最終的に表示されるプレゼントボックス数を一義的に３個に決定しているが、本発明はこれに限定されず、プレゼントボックス表示予告演出の実行・非実行及びプレゼントボックス表示予告演出を実行する場合のプレゼントボックスの表示個数は、変形例２として、ターゲット変動の変動表示結果に応じて異なる割合で決定されるようにしても良い。
【０３５５】
具体的には、図３７に示すように、図２２に示す先読み予告演出決定処理のステップＳ７１３において、例えば乱数回路１２４や演出制御カウンタ設定部１９３のランダムカウンタなどから抽出したプレゼントボックス表示予告演出用の乱数値を示す数値データに基づいて、プレゼントボックス表示予告演出決定テーブルを参照することにより、プレゼントボックス表示予告演出を実行するか否かと、プレゼントボックス表示予告演出を実行する場合における表示するプレゼントボックス数とを決定する。
【０３５６】
図３７に示す決定割合の設定例では、ターゲット保留表示の変動表示結果に応じて、プレゼントボックス表示予告演出の実行・非実行及びプレゼントボックス表示予告演出を実行する場合におけるプレゼントボックスの表示数の決定割合を異ならせている。
【０３５７】
具体的には、変動表示結果が「大当り」である場合には、プレゼントボックス表示予告演出の非実行が決定される割合が最も低く設定されており、プレゼントボックス表示予告演出の実行が決定された場合におけるプレゼントボックスを２個表示する割合は、プレゼントボックス表示予告演出の非実行が決定される割合よりも高く設定されている。また、プレゼントボックス表示予告演出の実行が決定された場合におけるプレゼントボックスを３個表示する割合が最も高く設定されている。
【０３５８】
一方、変動表示結果が「ハズレ」である場合には、プレゼントボックス表示予告演出の非実行が決定される割合が最も高く設定されており、プレゼントボックス表示予告演出の実行が決定された場合におけるプレゼントボックスを２個表示する割合は、プレゼントボックス表示予告演出の非実行が決定される割合よりも低く設定されている。また、プレゼントボックス表示予告演出の実行が決定された場合におけるプレゼントボックスを３個表示する割合が最も低く設定されている。つまり、変形例２における先読み予告演出決定処理のステップＳ７１３においては、ターゲット変動までに表示されるプレゼントボックスの個数によって大当り期待度が異なるようになっているため、本変形例２においては、遊技者は、ターゲット変動までに表示されたプレゼントボックス数を視認することで迅速に大当りの期待度を把握できるようになっている。
【０３５９】
また、前記実施例では、プレゼントボックス表示予告演出の実行・非実行をターゲット変動の変動表示結果に応じて決定し、プレゼントボックス表示予告演出の実行が決定した場合は、表示画面に最終的に表示されるプレゼントボックス数を一義的に３個に決定しているが、本発明はこれに限定されず、プレゼントボックス表示予告演出の実行が決定した場合は、表示画面に最終的に表示されるプレゼントボックス数を２個以上の範囲から決定してもよく、この場合は、第１特図保留記憶数に応じて、演出図柄の変動が開始される毎に表示されるプレゼントボックス数を異ならせるようにしても良い。
【０３６０】
また、前記実施例では、先読み予告演出決定処理のステップＳ７２６またはステップＳ７２７において各プレゼントボックス毎に表示変更態様を決定しているため、２つ以上のプレゼントボックスにおいて同一の表示変更態様が決定される場合があるが、本発明はこれに限定されず、プレゼントボックスの表示変更態様を決定した時点でプレゼントボックス表示変更態様記憶テーブルを参照することで、プレゼントボックス表示変更態様記憶テーブルに同一の表示変更態様が記憶されているか否かを判定し、プレゼントボックス表示変更態様記憶テーブルに同一の表示変更態様が記憶されている場合は、プレゼントボックス表示変更態様記憶テーブルに記憶されている表示変更態様のいずれとも異なる表示変更態様が決定するまで、ステップＳ７２６またはステップＳ７２７を巡回実行するようにしても良い。
【０３６１】
また、前記実施例では、判定対象の保留記憶が第１特図保留記憶の場合のみプレゼントボックス表示予告演出の実行・非実行を決定したが、本発明はこれに限定されず、判定対象の保留記憶が第２特図保留記憶の場合においても、プレゼントボックス表示予告演出の実行・非実行を決定するようにしても良い。
【０３６２】
また、前記実施例では、第２特図保留記憶の変動表示が第１特図保留記憶の変動表示よりも優先して実行されるパチンコ遊技機１においてプレゼントボックス表示予告演出を実行したが、本発明はこれに限定されず、第１特図保留記憶、第２特図保留記憶に拘らず、各始動入賞口に遊技球が入賞した順に保留記憶の変動表示が実行されるパチンコ遊技機１においても、プレゼントボックス表示予告演出を実行しても良い。
【０３６３】
また、前記実施例では、遊技者がプッシュボタン３１Ｂを押下操作する毎に表示画面に表示されているプレゼントボックスの表示を、１個ずつプレゼントボックス表示変更態様記憶テーブルに記憶されている表示変更態様に変更しているが、本発明はこれに限定されず、遊技者がプッシュボタン３１Ｂを１度押下操作することで全てのプレゼントボックスの表示を、一括してプレゼントボックス表示変更態様記憶テーブルに記憶されている表示変更態様に変更するようにしても良い。
【０３６４】
また、前記実施例では、遊技者がプッシュボタン３１Ｂを押下操作することで表示画面に表示されているプレゼントボックスの表示をプレゼントボックス表示変更態様記憶テーブルに記憶されている表示変更態様に変更しているが、本発明はこれに限定されず、遊技者がプッシュボタン３１Ｂを押下操作せずとも、一定時間が経過することでプレゼントボックスの表示をプレゼントボックス表示変更態様記憶テーブルに記憶されている表示変更態様に変更するようにしても良い。
【０３６５】
また、前記実施例では、遊技者がプッシュボタン３１Ｂを押下操作する毎に表示画面に表示されているプレゼントボックスの表示を、１個ずつプレゼントボックス表示変更態様記憶テーブルに記憶されている表示変更態様に表示レベルの低い順に変更しているが、本発明はこれに限定されず、プレゼントボックスの表示プレゼントボックス表示変更態様記憶テーブルに記憶されている表示変更態様に変更する順番は表示レベルの高い順や、ランダムであっても良い。
【０３６６】
また、前記実施例では、遊技者がプッシュボタン３１Ｂを押下操作することでプレゼントボックスの表示をプレゼントボックス表示変更態様記憶テーブルに記憶されている表示変更態様に変更したが、本発明はこれに限定されず、プレゼントボックスの表示は、遊技者がスティックコントローラ３１Ａの傾動操作等、プッシュボタン３１Ｂの押下操作とは異なる操作を行うことでプレゼントボックス表示変更態様記憶テーブルに記憶されている表示変更態様に変更しても良い。
【０３６７】
また、前記実施例では、プレゼントボックス表示予告演出の実行が決定された場合、変動表示が開始されるタイミングでプレゼントボックスの表示を行ったが、本発明はこれに限定されず、プレゼントボックスが表示されるタイミングは、例えば、ステップアップ予告演出またはセリフ予告演出等の変動中予告演出の実行時等の特定の演出の実行時であっても良い。
【０３６８】
また、前記実施例では、遊技者に景品として遊技球が払い出され、遊技者は払い出された遊技球（貸し球の場合もある）を遊技領域に発射して遊技が行われるパチンコ遊技機１を例示しているが、本発明はこれに限定されるものではなく、例えば、プリペイドカードや会員カード等の遊技用記録媒体の記録情報より特定される大きさの遊技価値である度数を使用して、遊技に使用するための遊技得点を付与するとともに、付与された遊技得点または遊技による入賞により付与された遊技得点を使用して遊技機内に封入された遊技球を遊技領域に打ち込んで遊技者が遊技を行う遊技機にも本発明を適用することができる。
【０３６９】
また、前記実施例では、変動時間及びリーチ演出の種類や擬似連の有無等の変動態様を示す変動パターンを演出制御用ＣＰＵ１２０に通知するために、変動を開始するときに１つの変動パターン指定コマンドを送信する例を示したが、２つ乃至それ以上のコマンドにより変動パターンを演出制御用ＣＰＵ１２０に通知するようにしてもよい。具体的には、２つのコマンドにより通知する場合、ＣＰＵ１０３は、１つ目のコマンドでは擬似連の有無、滑り演出の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信するようにしてもよい。この場合、演出制御用ＣＰＵ１２０は２つのコマンドの組合せから導かれる変動時間に基づいて変動表示における演出制御を行うようにすればよい。
【０３７０】
尚、ＣＰＵ１０３の方では２つのコマンドのそれぞれにより変動時間を通知し、それぞれのタイミングで実行される具体的な変動態様については演出制御用ＣＰＵ１２０の方で選択を行うようにしてもよい。２つのコマンドを送る場合、同一のタイマ割込内で２つのコマンドを送信するようにしてもよく、１つ目のコマンドを送信した後、所定期間が経過してから（例えば次のタイマ割込において）２つ目のコマンドを送信するようにしてもよい。尚、それぞれのコマンドで示される変動態様はこの例に限定されるわけではなく、送信する順序についても適宜変更可能である。このように２つ乃至それ以上のコマンドにより変動パターンを通知する様にすることで、変動パターン指定コマンドとして記憶しておかなければならないデータ量を削減することができる。
【０３７１】
また、前記実施例では、遊技機としてパチンコ遊技機１を例示しているが、本発明はこれに限定されるものではなく、これら遊技機として、遊技用価値を用いて１ゲームに対して所定数の賭数を設定することによりゲームが開始可能となるとともに、各々が識別可能な複数種類の識別情報を変動表示可能な可変表示装置に表示結果が導出されることにより１ゲームが終了し、該可変表示装置に導出された表示結果に応じて入賞が発生可能とされたスロットマシンであっても良く、これらスロットマシンに本発明を適用する場合にあっては、例えば、ビッグボーナスやレギュラーボーナス等の特別入賞役に内部当選したときや、小役を入賞させる操作態様が報知されるリプレイタイム状態であるＡＲＴへの移行抽選に当選したとき等に、複数のゲームに渡ってプレゼントボックスを表示していき、これら表示されたプレゼントボックスを、前述した実施例と同様に、キャラクタの表示やポイント数表示に変更するようにしても良い。
【０３７２】
また、前記実施例では、特別図柄を表示する第１特別図柄表示装置４Ａや第２特別図柄表示装置４Ｂと、演出図柄を表示する演出表示装置５とを個別とした形態を例示しているが、本発明はこれに限定されるものではなく、これらが単一の表示装置にて構成されていても良い。つまり、単一の表示装置に、特別図柄を表示する特別図柄表示領域と、演出図柄を表示する演出図柄表示領域とを設けて、特別図柄と演出図柄とを単一の表示装置にて表示するようにしても良い。
【符号の説明】
【０３７３】
１                パチンコ遊技機
４Ａ              第１特別図柄表示装置
４Ｂ              第２特別図柄表示装置
５                演出表示装置
１０３            ＣＰＵ
１２０            演出制御用ＣＰＵ
１５１Ａ          第１特図保留記憶部
１５１Ｂ          第２特図保留記憶部
【図１】
2014140539.tif 000003
【図２】
2014140539.tif 000004
【図３】
2014140539.tif 000005
【図４】
2014140539.tif 000006
【図５】
2014140539.tif 000007
【図６】
2014140539.tif 000008
【図７】
2014140539.tif 000009
【図８】
2014140539.tif 000010
【図９】
2014140539.tif 000011
【図１０】
2014140539.tif 000012
【図１１】
2014140539.tif 000013
【図１２】
2014140539.tif 000014
【図１３】
2014140539.tif 000015
【図１４】
2014140539.tif 000016
【図１５】
2014140539.tif 000017
【図１６】
2014140539.tif 000018
【図１７】
2014140539.tif 000019
【図１８】
2014140539.tif 000020
【図１９】
2014140539.tif 000021
【図２０】
2014140539.tif 000022
【図２１】
2014140539.tif 000023
【図２２】
2014140539.tif 000024
【図２３】
2014140539.tif 000025
【図２４】
2014140539.tif 000026
【図２５】
2014140539.tif 000027
【図２６】
2014140539.tif 000028
【図２７】
2014140539.tif 000029
【図２８】
2014140539.tif 000030
【図２９】
2014140539.tif 000031
【図３０】
2014140539.tif 000032
【図３１】
2014140539.tif 000033
【図３２】
2014140539.tif 000034
【図３３】
2014140539.tif 000035
【図３４】
2014140539.tif 000036
【図３５】
2014140539.tif 000037
【図３６】
2014140539.tif 000038
【図３７】
2014140539.tif 000039